(57)【要約】【課題】封印作業の確実性を向上させることが可能な遊技機を提供する。【解決手段】本発明の遊技機における第１部材は、第１封印部を有し、第２部材は、封印子によって第１封印部と接続され、第１部材と第２部材の結合状態を封印する第２封印部を有する。第１封印部は、封印子が貫通する貫通孔を有する封印子貫通部と、封印子貫通部に設けられた係合部とを有する。第２封印部は、第１封印部の封印子貫通部が当接すると共に封印子が挿通するピン用孔を有する封印ベースと、ピン用孔に挿通された封印子の挿通方向と反対の方向への移動を係止する封印用係合部材と、封印ベースから突出した壁部と、壁部に形成され、第１封印部の係合部に係合して第１封印部における封印子の挿通方向に交差する方向の移動を規制する移動規制部とを有する。【選択図】図１６
2019041894.tif 000002
【特許請求の範囲】
【請求項１】
第１部材と第２部材とを備える遊技機であって、
前記第１部材は、第１封印部を有し、
前記第２部材は、封印子によって前記第１封印部と接続され、前記第１部材と前記第２部材の結合状態を封印する第２封印部を有し、
前記第１封印部は、前記封印子が貫通する貫通孔を有する封印子貫通部と、前記封印子貫通部に設けられた係合部と、を有し、
前記第２封印部は、前記第１封印部の前記封印子貫通部が当接すると共に前記封印子が挿通するピン用孔を有する封印ベースと、前記ピン用孔に挿通された前記封印子の挿通方向と反対の方向への移動を係止する封印用係合部材と、前記封印ベースから突出した壁部と、前記壁部に形成され、前記第１封印部の前記係合部に係合して前記第１封印部における前記封印子の挿通方向に交差する方向の移動を規制する移動規制部と、を有する
ことを特徴とする遊技機。
【請求項２】
前記第１部材は、第１部材本体と、前記第１封印部とを有し、
前記第１封印部は、連結片によって前記第１部材本体に連結されている
ことを特徴とする請求項１に記載の遊技機。
【発明の詳細な説明】
【技術分野】
【０００１】
本発明は、遊技機に関する。
【背景技術】
【０００２】
従来、複数の図柄がそれぞれの表面に配された複数のリールと、スタートスイッチと、ストップスイッチと、各リールに対応して設けられたステッピングモータと、制御部とを備えた、パチスロと呼ばれる遊技機が知られている。スタートスイッチは、メダルやコインなどの遊技媒体が遊技機に投入された後、スタートレバーが遊技者により操作されたこと（以下、「開始操作」ともいう）を検出し、全てのリールの回転の開始を要求する信号を出力する。ストップスイッチは、各リールに対応して設けられたストップボタンが遊技者により押されたこと（以下、「停止操作」ともいう）を検出し、該当するリールの回転の停止を要求する信号を出力する。ステッピングモータは、その駆動力を対応するリールに伝達する。また、制御部は、スタートスイッチ及びストップスイッチにより出力された信号に基づいて、ステッピングモータの動作を制御し、各リールの回転動作及び停止動作を行う。
【０００３】
このような遊技機では、開始操作が検出されると、プログラム上で乱数を用いた抽籤処理（以下、「内部抽籤処理」という）が行われ、その抽籤の結果（以下、「内部当籤役」という）と停止操作のタイミングとに基づいてリールの回転の停止を行う。そして、全てのリールの回転が停止され、入賞の成立に係る図柄の組合せが表示されると、その図柄の組合せに対応する特典が遊技者に付与される。なお、遊技者に付与される特典の例としては、遊技媒体（メダル等）の払い出し、遊技媒体を消費することなく再度、内部抽籤処理を行う再遊技（以下、「リプレイ」ともいう）の作動、遊技媒体の払い出し機会が増加するボーナスゲームの作動等を挙げることができる。
【０００４】
また、上記構成の遊技機において、カシメ部材を用いて基板ケースを封印する遊技機が知られている（例えば、特許文献１参照）。特許文献１に記載された遊技機によれば、基板ケースの開放が困難になり、基板ケース内に配置された基板に対する不正行為を防止すことが期待される。
【先行技術文献】
【特許文献】
【０００５】
【特許文献１】特開２０１０−２０１０２９号公報
【発明の概要】
【発明が解決しようとする課題】
【０００６】
しかしながら、特許文献１に記載されたような基板ケースの封印構造を有する遊技機では、封印作業が不完全である場合に、不正行為を防止できなくなることになる。そのため、封印作業の確実性が求められていた。
【０００７】
本発明は、上記課題を解決するためになされたものであり、本発明の目的は、封印作業の確実性を向上させることが可能な遊技機を提供することである。
【課題を解決するための手段】
【０００８】
上記課題を解決するために、本発明では、以下のような構成の遊技機を提供する。
【０００９】
第１部材（例えば、後述の第１部材２０２）と第２部材（例えば、後述の第２部材２０３）とを備える遊技機であって、
前記第１部材は、第１封印部（例えば、後述の第１封印部２１２）を有し、
前記第２部材は、封印子（例えば、後述の封印ピン２３０）によって前記第１封印部と接続され、前記第１部材と前記第２部材の結合状態を封印する第２封印部（例えば、後述の第２封印部２１６）を有し、
前記第１封印部は、前記封印子が貫通する貫通孔（例えば、後述の貫通孔２２８）を有する封印子貫通部（例えば、後述のピン貫通部２２１）と、前記封印子貫通部に設けられた係合部（例えば、後述の係合溝２２７）と、を有し、
前記第２封印部は、前記第１封印部の前記封印子貫通部が当接すると共に前記封印子が挿通するピン用孔（例えば、後述のピン挿通孔２８１）を有する封印ベース（例えば、後述の封印ベース２７１）と、前記ピン用孔に挿通された前記封印子の挿通方向と反対の方向への移動を係止する封印用係合部（例えば、後述の封印用係合部材２７３）材と、前記封印ベースから突出した壁部（例えば、後述の係合壁２８２）と、前記壁部に形成され、前記第１封印部の前記係合部に係合して前記第１封印部における前記封印子の挿通方向に交差する方向の移動を規制する移動規制部（例えば、後述の移動規制部２８３）と、を有する
ことを特徴とする遊技機。
【００１０】
また、前記本発明の遊技機は、
前記第１部材は、第１部材本体と、前記第１封印部とを有し、
前記第１封印部は、連結片（例えば、後述の連結片２４１Ａ，２４１Ｂ）によって前記第１部材本体に連結されているようにしてもよい。
【発明の効果】
【００１１】
本発明によれば、封印作業の確実性を向上させることができる。
【図面の簡単な説明】
【００１２】
【図１】本発明の第１の実施形態の遊技機における機能フローを説明する説明図である。
【図２】本発明の第１の実施形態の遊技機における外観構成例を示す斜視図である。
【図３】本発明の第１の実施形態の遊技機における発光カバーを外した状態の正面図である。
【図４】本発明の第１の実施形態の遊技機におけるキャビネットの内部を示す説明図である。
【図５】本発明の第１の実施形態の遊技機が備える回路の全体構成を示すブロック図である。
【図６】本発明の第１の実施形態の遊技機における副制御回路の内部構成を示すブロック図である。
【図７】本発明の第１の実施形態の遊技機における主制御基板ケースの斜視図である。
【図８】本発明の第１の実施形態の遊技機における主制御基板ケースの正面図である。
【図９】本発明の第１の実施形態の遊技機における主制御基板ケースの分解斜視図である。
【図１０】本発明の第１の実施形態の遊技機における主制御基板ケースの第１封印部を分解して正面側から見た説明図である。
【図１１】本発明の第１の実施形態の遊技機における主制御基板ケースの第１封印部を分解して裏面側から見た説明図である。
【図１２】本発明の第１の実施形態の遊技機における主制御基板ケースの第２封印部を分解して正面側から見た説明図である。
【図１３】本発明の第１の実施形態の遊技機における主制御基板ケースの第２封印部の係合壁の斜視図である。
【図１４】本発明の第１の実施形態の遊技機における主制御基板ケースの第２封印部を分解して裏面側から見た説明図である。
【図１５】図７に示すＡ−Ａ線断面図である。
【図１６】図１５に示すＢ−Ｂ線断面図である。
【図１７】本発明の第１の実施形態の遊技機におけるキャビネット上部の縦断面図である。
【図１８】本発明の第２の実施形態の遊技機における外観構成例を示す斜視図である。
【図１９】本発明の第２の実施形態の遊技機における内部構造を示すものであり、ミドルドアを閉じた状態の斜視図である。
【図２０】本発明の第２の実施形態の遊技機における内部構造を示すものであり、ミドルドアを開けた状態の斜視図である。
【図２１】本発明の第２の実施形態の遊技機におけるキャビネットの内部を示す説明図である。
【図２２】本発明の第２の実施形態の遊技機におけるフロントドアの裏面側を示す説明図である。
【図２３】本発明の第２の実施形態の遊技機が備える回路の全体構成を示すブロック図である。
【図２４】本発明の第２の実施形態の遊技機における副制御回路の構成例を示すブロック図である。
【図２５】本発明の第２の実施形態の遊技機における主制御基板ケースの正面図である。
【図２６】本発明の第２の実施形態の遊技機における主制御基板ケースの斜視図である。
【図２７】本発明の第２の実施形態の遊技機における主制御基板ケースの分解斜視図である。
【図２８】本発明の第２の実施形態の遊技機における主制御基板ケースの第１部材をケースの内側から見た斜視図である。
【図２９】本発明の第２の実施形態の遊技機における遊技機本体に固定される第２封印部の分解斜視図である。
【図３０】本発明の第２の実施形態の遊技機における封印カバーの斜視図である。
【図３１】本発明の第２の実施形態の遊技機における封印用係合部材の正面図である。
【図３２】図２５に示すＣ−Ｃ線断面図である。
【図３３】本発明の第３の実施形態の遊技機における外観構成例を示す斜視図である。
【図３４】本発明の第３の実施形態の遊技機における内部構造を示すものであり、ミドルドアを閉じた状態の斜視図である。
【図３５】本発明の第３の実施形態の遊技機における内部構造を示すものであり、ミドルドアを開けた状態の斜視図である。
【図３６】本発明の第３の実施形態の遊技機におけるキャビネットの内部を示す説明図である。
【図３７】本発明の第３の実施形態の遊技機におけるフロントドアの裏面側を示す説明図である。
【図３８】本発明の第３の実施形態の遊技機における制御系を示すブロック図である。
【図３９】本発明の第３の実施形態の遊技機における主制御基板ケースの上面図である。
【図４０】本発明の第３の実施形態の遊技機における主制御基板ケースを上方から見た斜視図である。
【図４１】本発明の第３の実施形態の遊技機における主制御基板ケースを下方から見た斜視図である。
【図４２】本発明の第３の実施形態の遊技機における主制御基板ケースの分解斜視図である。
【図４３】本発明の第３の実施形態の遊技機における主制御基板ケースの第１部材をケースの内側から見た斜視図である。
【図４４】本発明の第３の実施形態の遊技機におけるシール貼付け面を拡大して示す説明図である。
【図４５】図３９に示すＤ−Ｄ線断面図である。
【図４６】本発明の第３の実施形態の遊技機におけるシールカバーの斜視図である。
【図４７】本発明の第３の実施形態の遊技機におけるフロントドアを裏面側から見た説明図である。
【図４８】本発明の第３の実施形態の遊技機における主制御基板ケースの第１封印部を分解して上方から見た説明図である。
【図４９】図３９に示すＥ−Ｅ線断面図である。
【図５０】図３９に示すＦ−Ｆ線断面図である。
【図５１】本発明の第３の実施形態の遊技機における主制御基板ケースの第２封印部を分解して上方から見た説明図である。
【図５２】図３９に示すＧ−Ｇ線断面図である。
【図５３】本発明の第３の実施形態の遊技機におけるスイッチブラケットの斜視図である。
【図５４】図３９に示すＨ−Ｈ線断面図である。
【発明を実施するための形態】
【００１３】
１.第１の実施形態
以下、本発明の第１の実施形態を示す遊技機であるパチスロについて、図１〜図１７を参照しながら説明する。
【００１４】
＜機能フロー＞
まず、図１を参照して、パチスロの機能フローについて説明する。
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１５】
遊技者によりメダルが投入され、スタートレバーが操作されると、予め定められた数値の範囲（例えば、０〜６５５３５）の乱数から１つの値（以下、乱数値）が抽出される。
【００１６】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１７】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００１８】
パチスロでは、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定期間が１９０ｍｓｅｃである場合には、滑り駒数の最大数を図柄４個分に定め、規定期間が７５ｍｓｅｃである場合には、滑り駒数の最大数を図柄１個分に定める。
【００１９】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２０】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロでは、以上のような一連の流れが１回の遊技として行われる。
【００２１】
また、パチスロでは、前述した一連の流れの中で、表示装置により行う映像の表示、各種ランプにより行う光の出力、スピーカにより行う音の出力、或いはこれらの組合せを利用して様々な演出が行われる。
【００２２】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２３】
演出内容が決定されると、演出実行手段は、リールの回転開始時、各リールの回転停止時、入賞の有無の判定時等の各契機に連動させて対応する演出を実行する。このように、パチスロでは、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２４】
＜パチスロの構造＞
次に、図２〜図４を参照して、本実施形態におけるパチスロの構造について説明する。
【００２５】
［外観構造］
図２は、パチスロ１の外部構造を示す斜視図である。図３は、本実施の形態におけるパチスロ１のフロントパネル１０を外した状態の正面図である。
【００２６】
図２に示すように、パチスロ１は、遊技機本体の一具体例を示す外装体２を備えている。外装体２は、リールや回路基板等を収容するキャビネット２ａと、キャビネット２ａに対して開閉可能に取り付けられるフロントドア２ｂとを有している。
キャビネット２ａの両側面には、把手７が設けられている（図２では一側面の把手７のみを示す）。この把手７は、パチスロ１を運搬するときに手をかける凹部である。
【００２７】
キャビネット２ａの内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材と、リール本体の内側からシート材に光を照射するリール用光源とを有している。シート材の表面には、複数（例えば２１個）の図柄が周方向に沿って所定の間隔をあけて描かれている。
【００２８】
フロントドア２ｂは、ドア本体９と、フロントパネル１０と、発光表示装置１１とを備えている。
ドア本体９は、ヒンジ（不図示）を用いてキャビネット２ａに開閉可能に取り付けられている。ヒンジは、パチスロ１の前方からドア本体９を見た場合に、ドア本体９における左側の端部に設けられている。
【００２９】
図２に示すように、発光表示装置１１は、ドア本体９の上部に設けられている。この発光表示装置１１は、マトリックス状に配置された複数の光源部によって形成されたドットマトリクス部１１９（図３参照）と、フロントパネル１０のドットマトリクス部１１９に対向する発光カバーから構成されている。
【００３０】
ドットマトリクス部１１９は、任意の箇所の光源部を点灯（点滅）することで、フロントパネル１０に施されたデザインの任意の箇所（本実施の形態では花火の絵柄）を背面から照明する。これにより、フロントパネル１０に施されたデザインの任意の箇所を発光させる演出が行われる。
【００３１】
発光表示装置１１の下方には、３つのリール３Ｌ，３Ｃ，３Ｒに描かれた図柄を表示する表示窓４Ｌ，４Ｃ，４Ｒが設けられている。以下、各表示窓４Ｌ，４Ｃ，４Ｒを、それぞれ左表示窓４Ｌ、中表示窓４Ｃ、右表示窓４Ｒという。
【００３２】
表示窓４Ｌ，４Ｃ，４Ｒは、例えばアクリル板等の透明な部材で形成されている。この表示窓４Ｌ，４Ｃ，４Ｒは、正面（遊技者側）から見て、３つのリールの配置領域と重畳する位置に設けられ、かつ、３つのリールより手前（遊技者側）に位置するように設けられる。したがって、遊技者は、表示窓４Ｌ，４Ｃ，４Ｒを介して、表示窓４Ｌ，４Ｃ，４Ｒの背後に設けられた３つのリールを視認することができる。
【００３３】
本実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。
【００３４】
フロントパネル１０は、ドア本体９の上部に取り付けられている。図３に示すように、フロントパネル１０は、上表示部１０１と、リール照明部１０２と、リールサイド演出表示部１０３Ａ，１０３Ｂと、エッジ演出表示部１０４Ａ，１０４Ｂと、リール下表示部１０５とを有している。
【００３５】
上表示部１０１は、発光表示装置１１の上方に配置されており、リール照明部１０２は、リール３Ｌ，３Ｃ，３Ｒと発光表示装置１１との間に配置されている。リールサイド演出表示部１０３Ａ，１０３Ｂは、リール３Ｌ，３Ｃ，３Ｒの側方に配置されており、エッジ演出表示部１０４Ａ，１０４Ｂは、リール横演出表示部１０３の側方に配置されている。リール下表示部１０５は、リール３Ｌ，３Ｃ，３Ｒの下方に配置されている。
【００３６】
上表示部１０１、リール照明部１０２、リールサイド演出表示部１０３Ａ，１０３Ｂ、エッジ演出表示部１０４Ａ，１０４Ｂ及びリール下表示部１０５は、ドア本体９に設けられた後述する各種ランプ群１１１〜１１７を覆っている。そして、これら上表示部１０１，１０２，１０３Ａ，１０３Ｂ，１０４Ａ，１０４Ｂ，１０５は、各種ランプ群１１１〜１１７からの光が照射されて発光する。
【００３７】
例えば、リールサイド演出表示部１０３Ａには、上下方向に並ぶ３つのＢＥＴ発光部が設けられている。３つのＢＥＴ発光部の点灯する数は、１回の遊技に使用するメダルの数を示す。
【００３８】
本実施形態では、１回の遊技に使用するメダルの数を１〜３に設定している。例えば、１回の遊技に使用するメダルの数を「１」にした場合は、１つのＢＥＴ発光部（例えば一番下に位置するＢＥＴ発光部）が点灯し、その他ＢＥＴ発光部（真ん中と一番上に位置するＢＥＴ発光部）が消灯する。
【００３９】
図２に示すように、ドア本体９の中央には、台座部１２が形成されている。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ）が設けられている。
【００４０】
メダル投入口１３は、遊技者によって外部からパチスロ１に投下されるメダルを受け入れるために設けられる。メダル投入口１３から受け入れられたメダルは、予め設定された 
枚数（例えば３枚）を上限として１回の遊技に使用され、予め設定された枚数を超えた分は、パチスロ１の内部に預けることができる（いわゆるクレジット機能）。
【００４１】
ＭＡＸベットボタン１４及び１ベットボタン１５は、パチスロ１の内部に預けられているメダルから１回の遊技に使用する枚数を決定するために設けられる。なお、図２には示さないが、台座部１２には、精算ボタンが設けられる。この精算ボタンは、パチスロ１の内部に預けられているメダルを外部に引き出す（排出する）ために設けられる。
【００４２】
スタートレバー１６は、全てのリール（３Ｌ，３Ｃ，３Ｒ）の回転を開始するために設けられる。ストップボタン１７Ｌ，１７Ｃ，１７Ｒは、それぞれ、左リール３Ｌ、中リール３Ｃ、右リール３Ｒに対応づけて設けられ、各ストップボタンは対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４３】
また、台座部１２には、７セグメントＬＥＤ（Light Emitting Diode）からなる７セグ表示器６が設けられている。この７セグ表示器６は、特典として遊技者に対して払い出すメダルの枚数（以下、払出枚数）、パチスロ１の内部に預けられているメダルの枚数（以下、クレジット枚数）、遊技を行うためのメダルの投入枚数（以下、ＢＥＴ枚数）等の情報をデジタル表示する。
【００４４】
ドア本体９の下部には、メダル払出口１８、メダル受皿１９、スピーカ２０Ｌ，２０Ｒ等が設けられている。メダル払出口１８は、後述のメダル払出装置３３の駆動により排出されるメダルを外部に導く。メダル受皿１９は、メダル払出口１８から排出されたメダルを貯める。また、スピーカ２０Ｌ，２０Ｒは、演出内容に対応する効果音や楽曲等の音を出力する。
【００４５】
また、ドア本体９には、腰部パネル表示部１０６が設けられている。この腰部パネル表示部１０６は、スピーカ２０Ｌ，２０Ｒの上方に配置されている。腰部パネル表示部１０６は、ドア本体９に設けられた光源部を覆っている。そして、腰部パネル表示部１０６は、光源部からの光が照射されて発光する。
【００４６】
［内部構造］
次に、パチスロ１の内部構造を、図４を参照しながら説明する。
図４は、パチスロ１の内部構造を示す斜視図である。
【００４７】
キャビネット２ａは、正面側の一面が開口された略直方体状に形成されている。このキャビネット２ａ内の上部には、後述の主制御回路４１（図５参照）を構成する主制御基板を収容した主制御基板ケース２０１が取り付けられている。主制御回路４１は、内部当籤役の決定、各リールの回転及び停止、入賞の有無の判定等の、パチスロ１における遊技の主な動作及び該動作間の流れを制御する回路である。なお、主制御回路４１の具体的な構成は後述する。
【００４８】
キャビネット２ａ内の中央部には、３つのリール（左リール３Ｌ、中リール３Ｃ及び右リール３Ｒ）が設けられている。なお、図４には示さないが、各リールは、所定の減速比を有する歯車を介して対応する後述のステッピングモータ（図５に示すステッピングモータ６１Ｌ，６１Ｃ，６１Ｒのいずれか）に接続される。
【００４９】
キャビネット２ａ内の下部には、多量のメダルを収容可能であり、かつ、それらを１枚ずつ排出可能な構造を有するメダル払出装置３３（以下、ホッパー３３という）が設けられている。また、キャビネット２ａ内における、ホッパー３３の一方の側部（図４に示す例では左側）には、パチスロ１が有する各装置に対して必要な電力を供給する電源装置３４が設けられている。
【００５０】
なお、フロントドア２ｂの裏面側（表示画面側とは反対側の部分）における上部には、後述の副制御回路４２（図５及び図６参照）を構成する副基板が設けられている。副制御回路４２は、映像の表示等による演出の実行を制御する回路である。なお、副制御回路４２の具体的な構成は後述する。
【００５１】
さらに、フロントドア２ｂの裏面側における略中央部には、セレクタが設けられている。セレクタは、メダル投入口１３（図２参照）を介して外部から投入されたメダルの材質や形状等が適正である否かを選別する装置であり、適正であると判定したメダルをホッパー３３に案内する。また、セレクタ内においてメダルが通過する経路上には、適正なメダルが通過したことを検出するメダルセンサ３５Ｓ（図５参照）が設けられている。
【００５２】
＜パチスロが備える回路の構成＞
次に、パチスロ１が備える回路の構成について、図５及び図６を参照して説明する。
図５は、パチスロ１が備える回路全体のブロック構成図である。図６は、副制御回路の内部構成を示すブロック構成図である。
【００５３】
パチスロ１は、主制御回路４１、副制御回路４２、及び、これらの回路と電気的に接続される周辺装置（アクチュエータ）を備える。
【００５４】
［主制御回路］
主制御回路４１は、主に、回路基板（主制御基板）上に設置されたマイクロコンピュータ５０により構成される。それ以外の構成要素として、主制御回路４１は、クロックパルス発生回路５４、分周器５５、乱数発生器５６、サンプリング回路５７、表示部駆動回路６４、ホッパー駆動回路６５、及び、払出完了信号回路６６を含む。
【００５５】
マイクロコンピュータ５０は、メインＣＰＵ５１、メインＲＯＭ（Read Only Memory）５２及びメインＲＡＭ（Random Access Memory）５３により構成される。
【００５６】
メインＲＯＭ５２には、メインＣＰＵ５１により実行される各種処理の制御プログラム、内部抽籤テーブル等のデータテーブル、副制御回路４２に対して各種制御指令（コマンド）を送信するためのデータ等が記憶されている。メインＲＡＭ５３には、制御プログラムの実行により決定された内部当籤役等の各種データを格納する格納領域が設けられている。
【００５７】
メインＣＰＵ５１には、クロックパルス発生回路５４、分周器５５、乱数発生器５６及びサンプリング回路５７が接続されている。クロックパルス発生回路５４及び分周器５５は、クロックパルスを発生する。なお、メインＣＰＵ５１は、発生されたクロックパルスに基づいて、制御プログラムを実行する。また、乱数発生器５６は、予め定められた範囲の乱数（例えば、０〜６５５３５）を発生する。そして、サンプリング回路５７は、発生された乱数の中から１つの値を抽出する。
【００５８】
マイクロコンピュータ５０の入力ポートには、各種スイッチ及びセンサ等が接続される。メインＣＰＵ５１は、各種スイッチ等からの入力信号を受けて、ステッピングモータ６１Ｌ，６１Ｃ，６１Ｒ等の周辺装置の動作を制御する。
【００５９】
ストップスイッチ１７Ｓは、本発明に係る停止操作検出手段の一具体例を示すものであり、左ストップボタン１７Ｌ、中ストップボタン１７Ｃ、右ストップボタン１７Ｒのそれぞれが遊技者により押されたこと（停止操作）を検出する。スタートスイッチ１６Ｓは、本発明に係る開始操作検出手段の一具体例を示すものであり、スタートレバー１６が遊技者により操作されたこと（開始操作）を検出する。精算スイッチ１４Ｓは、精算ボタンが遊技者により押されたことを検出する。
【００６０】
メダルセンサ３５Ｓは、本発明に係る投入操作検出手段の一具体例を示すものであり、メダル投入口１３に投入されたメダルがセレクタ３５内を通過したことを検出する。また、ベットスイッチ１２Ｓは、ベットボタン（ＭＡＸベットボタン１４又は１ベットボタン１５）が遊技者により押されたことを検出する。
【００６１】
また、マイクロコンピュータ５０により動作が制御される周辺装置としては、３つのステッピングモータ６１Ｌ，６１Ｃ，６１Ｒ、７セグ表示器６及びホッパー３３がある。また、マイクロコンピュータ５０の出力ポートには、各周辺装置の動作を制御するための駆動回路が接続される。
【００６２】
モータ駆動回路６２は、左リール３Ｌ、中リール３Ｃ、右リール３Ｒに対応してそれぞれ設けられた３つのステッピングモータ６１Ｌ，６１Ｃ，６１Ｒの駆動を制御する。リール位置検出回路６３は、発光部と受光部とを有する光センサにより、リールが一回転したことを示すリールインデックスをリール毎に検出する。
【００６３】
３つのステッピングモータ６１Ｌ，６１Ｃ，６１Ｒのそれぞれは、その運動量がパルスの出力数に比例し、回転軸を指定された角度で停止させることが可能な構成を有する。また、各ステッピングモータの駆動力は、所定の減速比を有する歯車を介して、対応するリールに伝達される。そして、各ステッピングモータに対して１回のパルスが出力されるごとに、対応するリールは一定の角度で回転する。
３つのリール３Ｌ，３Ｃ，３Ｒ及び３つのステッピングモータ６１Ｌ，６１Ｃ，６１Ｒは、本発明に係る変動表示手段の一具体例を示すものである。
【００６４】
メインＣＰＵ５１は、各リールのリールインデックスを検出してから対応するステッピングモータに対してパルスが出力された回数をカウントすることによって、各リールの回転角度（具体的には、リールが図柄何個分だけ回転したか）を管理する。
【００６５】
ここで、各リールの回転角度の管理を具体的に説明する。各ステッピングモータに対して出力されたパルスの数は、メインＲＡＭ５３に設けられたパルスカウンタ（不図示）によって計数される。そして、図柄１個分の回転に必要な所定回数（例えば１６回）のパルスの出力がパルスカウンタで計数されるごとに、メインＲＡＭ５３に設けられた図柄カウンタ（不図示）の値に、「１」が加算される。なお、図柄カウンタは、リール毎に設けられる。そして、図柄カウンタの値は、リール位置検出回路６３によってリールインデックスが検出されるとクリアされる。
【００６６】
すなわち、本実施形態では、図柄カウンタの値を管理することにより、リールインデックスが検出されてから図柄何個分の回転動作が行われたのかを管理する。それゆえ、各リールの各図柄の位置は、リールインデックスが検出される位置を基準として検出される。
【００６７】
なお、表示部駆動回路６４は、７セグ表示器６の動作を制御する。ホッパー駆動回路６５は、ホッパー３３の動作を制御する。払出完了信号回路６６は、ホッパー３３に設けられたメダル検出部３３Ｓが行うメダルの検出を管理し、ホッパー３３から外部に排出されたメダルが所定の払出枚数に達したか否かをチェックする。また、主制御回路４１には、外部端子板１８Ｓが接続されている。主制御回路４１は、外部端子板１８Ｓを介してホールコンピュータ又は呼出装置１００に接続されている。
【００６８】
［副制御回路］
図６に示すように、副制御回路４２は、主制御回路４１と電気的に接続され、主制御回路４１から送信されるコマンドに基づいて演出内容の決定や実行等の処理を行う。副制御回路４２は、基本的には、図６に示すように、サブＣＰＵ８１、サブＲＯＭ８２、サブＲＡＭ８３、ＤＳＰ（Digital Signal Processor）９０、オーディオＲＡＭ９１、Ｄ／Ａ（Digital to Analog）変換器９２、及び、アンプ９３を含む。
【００６９】
サブＣＰＵ８１は、主制御回路４１から送信されたコマンドに応じて、サブＲＯＭ８２に記憶されている制御プログラムに従い、音、光の出力制御を行う。なお、サブＲＯＭ８２は、本発明の遊技機に係る演出記憶手段の一具体例を示すものであり、基本的には、プログラム記憶領域及びデータ記憶領域を有する。
【００７０】
プログラム記憶領域には、サブＣＰＵ８１が実行する各種制御プログラムが記憶される。なお、プログラム記憶領域に格納される制御プログラムには、例えば、主制御回路４１との通信を制御するための主基板通信タスク、演出用乱数値を抽出して演出内容（演出データ）の決定及び登録を行うための演出登録タスク、決定した演出内容に基づいて発光表示装置１１のドットマトリクス部１１９及び各種ランプ群による光の出力を制御するためのランプ制御タスク、スピーカ２０Ｌ，２０Ｒによる音の出力を制御するための音声制御タスク等のプログラムが含まれる。
【００７１】
データ記憶領域には、例えば、各種データテーブルを記憶する記憶領域、各種演出内容を構成する演出データを記憶する記憶領域、ＢＧＭや効果音に関するサウンドデータを記憶する記憶領域、光の点消灯のパターンに関するランプデータを記憶する記憶領域等の各種記憶領域が含まれる。
【００７２】
サブＲＡＭ８３は、決定された演出内容や演出データを登録する格納領域や、主制御回路４１から送信される内部当籤役等の各種データを格納する格納領域などを有する。
【００７３】
また、副制御回路４２には、図６に示すように、第１ランプ群１１１、第７ランプ群１１７、第８ランプ群１１８、ドットマトリクス部１１９、スピーカ２０Ｌ，２０Ｒ等の周辺装置が接続されている。つまり、これらの周辺装置の動作は、副制御回路４２により制御される。
【００７４】
第１ランプ群１１１は、上表示部１０１（図３参照）に光を照射する。この第１ランプ群１１１は、上表示部ＬＥＤドライブ基板１２１を介してサブＣＰＵ８１（副制御回路４２）に接続されている。上表示部ＬＥＤドライブ基板１２１には、サブＣＰＵ８１から送信された制御信号（後述のＬＥＤ制御データ又は差分データ）を受けて、第１ランプ群１１１に電流を供給するドライバ（回路）が実装されている。すなわち、サブＣＰＵ８１及び上表示部ＬＥＤドライブ基板１２１は、演出制御手段の具体例を示すものであり、演出内容に基づいて制御信号（後述のＬＥＤ制御データ又は差分データ）を作成し、第１ランプ群１１１を制御する。
【００７５】
第７ランプ群１１７は、リール下表示部１０５（図３参照）に光を照射する。この第７ランプ群１１７は、７ＳＥＧドライブ基板１２７を介してサブＣＰＵ８１（副制御回路４２）に接続されている。７ＳＥＧドライブ基板１２７には、サブＣＰＵ８１から送信された制御信号（後述のＬＥＤ制御データ又は差分データ）を受けて、第７ランプ群１１７に電流を供給するドライバ（回路）が実装されている。すなわち、サブＣＰＵ８１及び７ＳＥＧドライブ基板１２７は、演出制御手段の具体例を示すものであり、演出内容に基づいて制御信号（後述のＬＥＤ制御データ又は差分データ）を作成し、第７ランプ群１１７を制御する。
【００７６】
第８ランプ群１１８は、リール３Ｌ，３Ｃ，３Ｒのリール用光源として機能する。また、第８ランプ群１１８は、腰部パネル表示部１０６、ＭＡＸベットボタン１４、ストップボタン１７Ｌ，１７Ｃ，１７Ｒに光を照射する。
【００７７】
第８ランプ群１１８は、回胴部ＬＥＤドライブ基板１２８を介してサブＣＰＵ８１（副制御回路４２）に接続されている。回胴部ＬＥＤドライブ基板１２８には、サブＣＰＵ８１から送信された制御信号（後述のＬＥＤ制御データ又は差分データ）を受けて、第８ランプ群１１８に電流を供給するドライバ（回路）が実装されている。すなわち、サブＣＰＵ８１及び回胴部ＬＥＤドライブ基板１２８は、演出制御手段の具体例を示すものであり、演出内容に基づいて制御信号（後述のＬＥＤ制御データ又は差分データ）を作成し、第８ランプ群１１８を制御する。
【００７８】
ドットマトリクス部１１９は、発光表示装置１１の光源として機能する。ドットマトリクス部１１９の各ポートには、１個のフルカラーＬＥＤが設けられている。これにより、各ポートに送信する送信データは、カソード（マイナス）側のＲＧＢ（Ｒｅｄ、Ｇｒｅｅｎ、Ｂｌｕｅ）値と、アノード（プラス）側の値が必要になる。
【００７９】
ドットマトリクス部１１９は、マトリクスドライブ基板１２９を介してサブＣＰＵ８１（副制御回路４２）に接続されている。マトリクスドライブ基板１２９には、サブＣＰＵ８１から送信された制御信号（後述のＬＥＤ制御データ又は差分データ）を受けて、第８ランプ群１１８に電流を供給するドライバ（回路）が実装されている。すなわち、サブＣＰＵ８１及びマトリクスドライブ基板１２９は、演出制御手段の具体例を示すものであり、演出内容に基づいて制御信号（後述のＬＥＤ制御データ又は差分データ）を作成し、ドットマトリクス部１１９を制御する。
【００８０】
なお、第２ランプ群（不図示）は、リール照明部１０２（図３参照）に光を照射する。第３ランプ群（不図示）は、リールサイド演出表示部１０３Ａ（図３参照）に光を照射し、第４ランプ群（不図示）は、リールサイド演出表示部１０３Ｂ（図３参照）に光を照射する。第５ランプ群（不図示）は、エッジ演出表示部１０４Ａ（図３参照）に光を照射し、第６ランプ群（不図示）は、エッジ演出表示部１０４Ｂ（図３参照）に光を照射する。本実施形態に係る第２ランプ群、第３ランプ群、第４ランプ群、第５ランプ群、第６ランプ群、及び、その他のポートに係る光源部は、それぞれ不図示のドライブ基板を介して副制御回路４２に接続されている。
【００８１】
また、本実施形態では、各基板１２１，１２７，１２８，１２９が、各ランプ群１１１，１１７，１１８及びドットマトリクス部１１９へローカルバス通信方式によるシリアル通信を行う。しかし、本発明に係るランプ群との間の通信方式としては、データ線・クロック線の２線を用いたＩ２Ｃ（Inter-Integrated Circuit）通信や、データ線・クロック線・セレクト線の３線を用いたＳＰＩ（Serial Peripheral Interface）同期式シリアル通信を適用してもよい。また、本発明に係るランプ群との間の通信方式としては、パラレル通信を適用してもよい。
【００８２】
また、本実施形態では、回胴部ＬＥＤドライブ基板１２８は、第８ランプ群１１８におけるリール用光源（リールバックライト）をスタティック制御する。ＬＥＤの点灯方式（方法）としては、ダイナミック制御とスタティック制御がある。ダイナミック制御では、点灯しているＬＥＤを一定周波数で高速に点滅させる。このダイナミック制御において、高い周波数で点滅する間隔を短くすれば、人間の目で見た場合に残像現象によって常時点灯しているように見える。
【００８３】
リールバックライトをダイナミック制御すると、リールが回転した際にリールバックライトの発光がちらついて見える。その結果、所謂、目押しの妨げや、目の疲労感があらわれやすい等の問題が生じする。そこで、本実施形態では、リールバックライトをスタティック制御する。スタティック制御では、ＬＥＤに常時電流をかけ続ける。これにより、ＬＥＤに常に一定の電流が流れるため、リールバックライトの発光がちらつかないようにすることができる。
【００８４】
また、サブＣＰＵ８１、ＤＳＰ９０、オーディオＲＡＭ９１、Ｄ／Ａ変換器９２及びアンプ９３は、演出内容により指定されたサウンドデータに従ってＢＧＭ等の音をスピーカ２０Ｌ，２０Ｒにより出力する。
【００８５】
＜主制御基板ケース＞
次に、パチスロ１が備える主制御基板ケース２０１の構成について、図７〜図９を参照して説明する。
図７は、主制御基板ケース２０１の正面図である。図８は、主制御基板ケース２０１の斜視図である。図９は、主制御基板ケース２０１の分解斜視図である。
【００８６】
図７〜図９に示すように、主制御基板ケース２０１は、水平方向で互いに重ね合されて略長方形の筐体状に形成される第１部材２０２及び第２部材２０３から構成されている。この主制御基板ケース２０１には、主制御基板が収容されている。主制御基板ケース２０１は、キャビネット２ａのフロントドア２ｂに対向する壁面（図４参照）に固定されている。したがって、第１部材２０２と第２部材２０３は、外装体（遊技機本体）２の前後方向で対向している。また、第１部材２０２と第２部材２０３は、主制御基板の視認性を妨げないように、無色透明な樹脂材料（光透過性樹脂）によって形成されている。
【００８７】
第１部材２０２は、略長方形の板状に形成された正面部２０２ａと、正面部２０２ａの４つの辺にそれぞれ連続する上壁部２０２ｂ、下壁部２０２ｃ、左壁部２０２ｄ、右壁部２０２ｅを有している。これら正面部２０２ａ、上壁部２０２ｂ、下壁部２０２ｃ、左壁部２０２ｄ、右壁部２０２ｅは、本発明に係る第１部材本体の第１具体例を示す。
【００８８】
正面部２０２ａは、外装体（遊技機本体）２の前後方向に直交する平面を有しており、後方を向く面である内面に主制御基板が取り付けられている。この正面部２０２ａには、複数のコネクタ用開口部２１１が形成されている。複数のコネクタ用開口部２１１は、主制御基板に実装された電源コネクタや通信用コネクタ等のコネクタを露出させる。なお、複数のコネクタ用開口部２１１は、不図示のコネクタ用カバーによって覆われている。
【００８９】
上壁部２０２ｂと下壁部２０２ｃは、上下方向で対向している。上壁部２０２ｂには、第１封印部２１２が設けられている。この第１封印部２１２は、第２部材２０３の後述する第２封印部２１６と接続され、第１部材２０２と第２部材２０３の結合状態を封印する。
【００９０】
また、左壁部２０２ｄと右壁部２０２ｅは、外装体（遊技機本体）２の左右方向で対向している。左壁部２０２ｄには、第１封印部２１３が設けられている。この第１封印部２１３は、キャビネット２ａのフロントドア２ｂに対向する壁面（図４参照）に固定された第２封印部（不図示）と係合し、第１部材２０２（主制御基板ケース２０１）とキャビネット２ａの結合状態を封印する。
【００９１】
図９に示すように、第２部材２０３は、略長方形の板状に形成された背面部２０３ａと、背面部２０３ａの４つの辺にそれぞれ連続する上壁部２０３ｂ、下壁部２０３ｃ、左壁部２０３ｄ、右壁部２０３ｅを有している。これら背面部２０３ａ、上壁部２０３ｂ、下壁部２０３ｃ、左壁部２０３ｄ、右壁部２０３ｅは、本発明に係る第２部材本体の第１具体例を示す。
【００９２】
背面部２０３ａは、第１部材２０２の正面部２０２ａに対向する平面を有しており、主制御基板の裏面を覆っている。上壁部２０３ｂと下壁部２０３ｃは、上下方向で対向している。上壁部２０３ｂには、第２封印部２１６が設けられている。第１部材２０２と第２部材２０３を重ね合わせた場合に、上壁部２０３ｂは、第１部材２０２における上壁部２０２ｂの外面に重なり、下壁部２０３ｃは、第１部材２０２における下壁部２０２ｃの内面に重なる。
【００９３】
また、左壁部２０３ｄと右壁部２０３ｅは、外装体（遊技機本体）２の左右方向で対向している。第１部材２０２と第２部材２０３を重ね合わせた場合に、左壁部２０３ｄは、第１部材２０２における左壁部２０２ｄの外面に重なり、右壁部２０３ｅは、第１部材２０２における右壁部２０２ｅの外面に重なる。互い位に重ね合された第１部材２０２と第２部材２０３は、固定ねじを用いて締結されている。
【００９４】
［第１封印部］
次に、第１封印部２１２，２１３の構成について、図１０及び図１１を参照して説明する。
図１０は、第１封印部を分解して正面側から見た説明図である。図１１は、第１封印部を分解して裏面側から見た説明図である。
【００９５】
第１部材２０２の上壁部２０２ｂに設けた第１封印部２１２と、左壁部２０２ｄに設けた第１封印部２１３は、同様の構成を有している。そのため、ここでは、第１封印部２１２について説明し、第１封印部２１３についての説明を省略する。
【００９６】
図１０及び図１１に示すように、第１封印部２１２は、ピン貫通部２２１と、封印蓋２２２と有している。ピン貫通部２２１は、本発明に係る封印子貫通部の第１具体例を示す。このピン貫通部２２１は、左右方向に所定の距離を空けて並ぶピン収容筒２２４Ａ，２２４Ｂと、ピン収容筒２２４Ａ，２２４Ｂと第１部材２０２の上壁部２０２ｂを連結する連結部２２５と、を有している。
【００９７】
ピン収容筒２２４Ａ，２２４Ｂは、それぞれ有底の円筒状に形成されており、開口が正面を向いている。ピン収容筒２２４Ａの外周面には、軸方向に沿って延びる係合溝２２７が設けられている。係合溝２２７は、ピン収容筒２２４Ａの外周面に２つの突条を設けることで形成されており、溝幅がピン収容筒２２４Ａの開口側に向かうにつれて狭くなっている。この係合溝２２７には、第２封印部２１６（図９参照）の後述する移動規制部２８３が係合する。
【００９８】
ピン収容筒２２４Ａ，２２４Ｂは、それぞれ封印ピン２３０を収容する。この封印ピン２３０は、本発明に係る封印子の一具体例を示す。封印ピン２３０は、円柱状の胴部２３０ａと、胴部２３０ａの軸方向の一端（後端）に連続する頭部２３０ｂとを有している。胴部２３０ａの他端部（先端部）は、テーパー状に形成されており、他端部以外の径よりも小さい径に設定されている。また、胴部２３０ａの軸方向の中間部（先端部に連続する部分）には、周方向に延びる複数のピン係合溝２３０ｃが形成されている。すなわち、封印ピン２３０は、係合溝付きピンである。
【００９９】
図１１に示すように、ピン収容筒２２４Ａ，２２４Ｂの底部には、封印ピン２３０の胴部２３０ａが貫通する貫通孔２２８が設けられている。貫通孔２２８は、ピン収容筒２２４Ａ，２２４Ｂの軸方向に延びている。そして、貫通孔２２８の周壁面には、封印ピン２３０の貫通方向（貫通孔への挿入方向）の移動を規制する複数のピン保持部２２９が形成されている。複数のピン保持部２２９は、本発明に係る封印子保持部の一具体例を示す。
【０１００】
封印ピン２３０は、複数のピン保持部２２９によって移動を規制されることで、ピン収容筒２２４Ａ，２２４Ｂ内である待機位置に配置される。そして、第１部材２０２と第２部材２０３（図９参照）の結合状態を封印する際に、封印ピン２３０の頭部２３０ｂを押圧することで、複数のピン保持部２２９の規制に抗して移動し、胴部２３０ａが貫通孔２２８を貫通する。
【０１０１】
複数のピン保持部２２９は、貫通孔２２８の中心に向かって突出しており、ピン収容筒２２４Ａ，２２４Ｂの軸方向に延びている。複数のピン保持部２２９の突出方向の先端は、ピン収容筒２２４Ａ，２２４Ｂの軸方向に延び角部が丸まるような円弧状に形成されている。また、複数のピン保持部２２９におけるピン収容筒２２４Ａ，２２４Ｂの開口側の端部（封印ピン２３０が挿入される側の端部）には、封印ピン２３０を案内する傾斜面２２９ａ（図１５参照）が形成されている。
【０１０２】
複数のピン保持部２２９における封印ピン２３０（胴部２３０ａ）との接触点を通る円の径は、胴部２３０ａの先端の径よりも大きく、胴部２３０ａの中間部（ピン係合溝２３０ｃが設けられている部分）の径よりも小さい。詳しくは、複数のピン保持部２２９における封印ピン２３０（胴部２３０ａ）との接触点を通る円の径が、胴部２３０ａのテーパー状に形成された部分の何れかの径に等しい。これにより、胴部２３０ａ（封印ピン２３０）の先端部の一部は、貫通孔２２８から突出する。
【０１０３】
一方、ピン収容筒２２４Ａ，２２４Ｂの底部における外側の面には、ピン用凹部２２６が設けられている。ピン用凹部２２６は、本発明に係る封印子用凹部の一具体例を示す。このピン用凹部２２６は、貫通孔２２８を含む領域に形成されており、その深さは、胴部２３０ａ（封印ピン２３０）の貫通孔２２８から突出する長さよりも大きい。そのため、胴部２３０ａ（封印ピン２３０）の貫通孔２２８から突出する先端部は、ピン用凹部２２６に配置される。これにより、封印ピン２３０の先端がその他の部材、例えば、封印ベース２７１と干渉しないようにすることができる。また、封印ピン２３０が、その先端よりも中央部側で複数のピン保持部２２９と接触するため、封印ピン２３０の姿勢を安定させることができる。
【０１０４】
図１０に示すように、連結部２２５は、第１部材２０２の上壁部２０２ｂに連続する連結片２４１Ａ，２４１Ｂと、連結片２４１Ａ，２４１Ｂとピン収容筒２２４Ａ，２２４Ｂとを接続する接続片２４２とを有している。連結片２４１Ａ，２４１Ｂは、第１部材２０２の上壁部２０２ｂから略垂直に突出している。なお、上壁部２０２ｂには、第２封印部２１６との干渉を避けるための切欠き２０６が形成されている。
【０１０５】
接続片２４２は、一部が切り欠かれた略楕円の環状に形成されており、切り欠かれた部分である端部がそれぞれ連結片２４１Ａ，２４１Ｂに連続している。また、接続片２４２は、ピン収容筒２２４Ａ，２２４Ｂの開口側の端部における外周面に連続しており、接続片２４２における切り欠かれた部分に対向する中間部は、ピン収容筒２２４Ａ，２２４Ｂに連続していない。そして、接続片２４２は、ピン収容筒２２４Ａ，２２４Ｂよりもピン収容筒２２４Ａ，２２４Ｂの軸方向に突出している。
【０１０６】
すなわち、ピン収容筒２２４Ａ，２２４Ｂは、接続片２４２によって一体に連結され、連結片２４１Ａ，２４１Ｂによって第１部材２０２の上壁部２０２ｂに連結されている。なお、連結部２２５は、工具等により切断可能な材料、例えば、樹脂材料によって形成されている。
【０１０７】
封印蓋２２２は、外形が連結部２２５の接続片２４２に見合った略楕円形の板状に形成されており、２つの円盤部２５１Ａ，２５１Ｂと、２つの円盤部２５１Ａ，２５１Ｂを接続する接続部２５２とを有している。この封印蓋２２２は、連結部２２５の接続片２４２に係合され、ピン収容筒２２４Ａ，２２４Ｂの開口側の端面に溶着によって固定されている。
【０１０８】
封印蓋２２２の２つの円盤部２５１Ａ，２５１Ｂは、ピン収容筒２２４Ａ，２２４Ｂの開口側の端面に対向し、接続部２５２は、ピン収容筒２２４Ａ，２２４Ｂ間の間隙に対向する。２つの円盤部２５１Ａ，２５１Ｂは、ピン収容筒２２４Ａ，２２４Ｂの径と同等に設定されている。
【０１０９】
２つの円盤部２５１Ａ，２５１Ｂには、それぞれ貫通孔２５３が設けられている。貫通孔２５３の径は、封印ピン２３０の頭部２３０ｂの径よりも小さい。したがって、封印蓋２２２は、封印ピン２３０のピン収容筒２２４Ａ，２２４Ｂからの抜け出しを係止する。また、円盤部２５１Ａ，２５１Ｂの貫通孔２５３に工具等を通すことで、封印ピン２３０の頭部２３０ｂの押圧が可能になっている。
【０１１０】
図１１に示すように、２つの円盤部２５１Ａ，２５１Ｂのピン収容筒２２４Ａ，２２４Ｂに対向する面には、ピン規制突部２５５と、溶着用突部２５６が形成されている。ピン規制突部２５５は、貫通孔２５３を囲う円筒状に形成されており、ピン収容筒２２４Ａ，２２４Ｂに収容された封印ピン２３０の開口側へ移動を規制する。溶着用突部２５６は、ピン規制突部２５５よりも大きい径の円筒状に形成されている。この溶着用突部２５６は、ピン収容筒２２４Ａ，２２４Ｂの開口側の端面に溶着される。
【０１１１】
［第２封印部］
次に、第２封印部２１６の構成について、図１２〜図１４を参照して説明する。
図１２は、第２封印部を分解して正面側から見た説明図である。図１３は、第２封印部の係合壁の斜視図である。図１４は、第２封印部を分解して裏面側から見た説明図である。
【０１１２】
図１２〜図１４に示すように、第２封印部２１６は、封印ベース２７１と、封印カバー２７２と、封印ベース２７１と封印カバー２７２に挟まれて固定される封印用係合部材２７３とを有する。封印ベース２７１と封印カバー２７２は、溶着により固定される部材であり、封印ベース２７１は、本発明に係る第１被溶着部材の一具体例を示し、封印カバー２７２は、本発明に係る第２被溶着部材の一具体例を示す。また、封印ベース２７１と封印カバー２７２は、本発明に係る第２封印部本体の第１の具体例を示す。
【０１１３】
封印ベース２７１は、第２部材２０３の上壁部２０３ｂに連続しており、有底の角筒状に形成されている。封印ベース２７１の開口（図１４参照）は、外装体（遊技機本体）２の後方を向いており、封印ベース２７１の底部は、第１封印部２１２に対向する。封印ベース２７１の底部には、第１封印部２１２を貫通した封印ピン２３０が挿通する２つのピン挿通孔２８１（図１３参照）が形成されている。２つのピン挿通孔２８１は、本発明に係る封印子用孔の一具体例を示す。
【０１１４】
図１２及び図１３に示すように、封印ベース２７１の底部における第１封印部２１２に対向する面には、係合壁２８２が設けられている。係合壁２８２は、楕円の筒状に形成されており、軸方向が封印ベース２７１の第１封印部２１２に対向する面と略平行になっている。係合壁２８２は、２つのピン挿通孔２８１を囲んでいる。この係合壁２８２内には、第１封印部２１２のピン収容筒２２４Ａ，２２４Ｂ（図９参照）が挿入される。したがって、係合壁２８２の軸方向は、第１封印部２１２のピン収容筒２２４Ａ，２２４Ｂが挿入される方向となる。
【０１１５】
係合壁２８２の内面には、移動規制部２８３が設けられている。移動規制部２８３は、係合壁２８２の軸方向に延びるリブであり、封印ベース２７１の第１封印部２１２に対向する面に連続している。これにより、移動規制部２８３の応力を向上させることができる。移動規制部２８３は、第１封印部２１２の係合溝２２７に係合される。
【０１１６】
また、移動規制部２８３は、係合壁２８２の内面における上方に設けられており、係合溝２２７は、ピン収容筒２２４Ａの外周面における上方に設けられている。これにより、移動規制部２８３の位置を確認しながら、第１封印部２１２のピン収容筒２２４Ａ，２２４Ｂを係合壁２８２内に挿入することができ、組み立て作業の作業性を向上させることができる。
【０１１７】
なお、本発明に係る移動規制部は、係合壁の内面における第２部材２０３からの距離が離れている位置に設けるとよい。例えば、第２封印部を第２部材２０３の左壁部に設ける場合は、移動規制部を係合壁の内面における左側方に設ける。これにより、移動規制部の位置を確認しながら第１部材と第２部材の組み立て作業を行うことができる。
【０１１８】
図１４に示すように、封印ベース２７１の底部における第１封印部２１２に対向する面と反対側の面（内面）には、凸部２８５と、２つの変形抑制部２８６と、２つのベース側係合部２８７（図１４では一方を示す）と、溶着用段部２８８と、４つの位置決め凸部２８９（図１４では１つを示す）が設けられている。
【０１１９】
凸部２８５は、封印ベース２７１の底部における中央に配置されており、封印ベース２７１の底部の内面から略垂直に延びる円柱状に形成されている。この凸部２８５の先端部は、先端に向かうにつれて細くなるようにテーパー状に形成されている。凸部２８５は、封印用係合部材２７３の後述する位置決め用貫通孔２９７ａを貫通し、封印カバー２７２の後述する嵌合凹部２９１に嵌合する。
【０１２０】
２つの変形抑制部２８６は、凸部２８５の左右方向（水平方向）の両側に配置されており、封印ベース２７１の底部から略垂直に延びる円筒状に形成されている。２つの変形抑制部２８６の内径は、２つのピン挿通孔２８１の径と一致しており、また、両者の中心が一致している。そのため、２つの変形抑制部２８６は、封印ピン２３０の挿通方向への移動を案内するガイド部としての役割を有する。２つの変形抑制部２８６には、封印用係合部材２７３の後述する複数の係合片２９９が当接する。
【０１２１】
２つのベース側係合部２８７は、２つの変形抑制部２８６の左右方向（水平方向）の両側に配置されており、封印ベース２７１の底部から略垂直に延びる直方体状に形成されている。２つのベース側係合部２８７には、封印用係合部材２７３の後述する２つの折り曲げ係合部２９８が係合する。
【０１２２】
溶着用段部２８８は、凸部２８５、２つの変形抑制部２８６及び２つのベース側係合部２８７を囲む枠状に形成されており、封印ベース２７１の内面に連続している。この溶着用段部２８８には、封印カバー２７２の後述する溶着用突部２９３が当接する。４つの位置決め凸部２８９は、溶着用段部２８８の４つの角部から突出しており、それぞれ封印ベース２７１の内面に連続している。４つの位置決め凸部２８９は、封印カバー２７２の後述する４つの位置決め凹部２９５と係合する。
【０１２３】
なお、封印ベース２７１の筒孔は、底部に向かうにつれて小さくなっている。すなわち、封印ベース２７１の底部における内面の外形は、封印ベース２７１の開口の外形より小さく設定されている。
【０１２４】
図１２に示すように、封印カバー２７２は、封印ベース２７１の筒孔に見合った直方体状に形成されており、封印ベース２７１の筒孔に挿入される。この封印カバー２７２は、封印ベース２７１の底部に対向する略長方形の第１の面と、第１の面と反対側である長方形の第２の面と、第１の面及び第２の面に連続する４つの壁面とを有している。
【０１２５】
封印カバー２７２の第１の面の外形は、封印ベース２７１の底部における内面の外径と略等しく、封印カバー２７２の第２の面の外形は、封印ベース２７１の開口の外形と略等しい。したがって、封印カバー２７２の第１の面の外形は、封印ベース２７１の開口の外形より小さくなり、封印カバー２７２を封印ベース２７１の筒孔に容易に挿入することができる。
【０１２６】
封印カバー２７２の第１の面には、嵌合凹部２９１と、２つのピン用凹部２９２と、溶着用突部２９３と、２つの仕切り突部２９４と、４つの位置決め用凹部２９５が設けられている。嵌合凹部２９１は、封印カバー２７２の第１の面における中央に配置されており、円形に形成されている。この嵌合凹部２９１には、封印ベース２７１の凸部２８５（図１４参照）が嵌合する。なお、嵌合凹部２９１における開口側の周縁部は、凸部２８５の嵌合を案内するためにテーパー状に形成されている。
【０１２７】
２つのピン用凹部２９２は、嵌合凹部２９１の左右方向（水平方向）の両側に配置されており、封印ベース２７１の２つのピン挿通孔２８１に対向する。２つのピン用凹部２９２は、円形に形成されており、その径は、ピン挿通孔２８１の径よりも大きい。２つのピン用凹部２９２には、封印ベース２７１の２つのピン挿通孔２８１を貫通した封印ピン２３０の胴部２３０ａが配置される。
【０１２８】
溶着用突部２９３は、封印カバー２７２の第１の面から突出しており、嵌合凹部２９１及び２つのピン用凹部２９２を囲む長方形の枠状に形成されている。溶着用突部２９３は、封印ベース２７１の溶着用段部２８８に当接する。封印ベース２７１と封印カバー２７２は、レーザー光や超音波等により溶着用段部２８８と溶着用突部２９３の境界面で熱を発生させることにより溶着される。
【０１２９】
２つの仕切り突部２９４は、２つのピン用凹部２９２の左右方向（水平方向）の両側であって、溶着用突部２９３よりも内側に配置されている。２つの仕切り突部２９４は、封印カバー２７２の第１の面の短辺に沿って延びる突条に形成されている。これら２つの仕切り突部２９４は、封印ベース２７１と封印カバー２７２を溶着した場合に、溶着用突部２９３における封印カバー２７２の第１の面の短辺に沿って延びる部分と、封印用係合部材２７３との間に配置される。これにより、レーザー光を用いて溶着する場合に、レーザー光が封印用係合部材２７３に影響を及ぼさないようにすることができる。
【０１３０】
４つの位置決め用凹部２９５は、封印カバー２７２の第１の面における４つの角部に形成されている。４つの位置決め用凹部２９５には、封印ベース２７１の４つの位置決め凸部２８９がそれぞれ係合する。これにより、封印ベース２７１に対する封印カバー２７２の位置決めを容易に行うことができる。また、４つの位置決め用凹部２９５と４つの位置決め用凹部２９５を、封印ベース２７１と封印カバー２７２との溶着部分としてもよい。
【０１３１】
封印用係合部材２７３は、板金材により形成されており、長方形の板体からなる本体板２９７と、本体板２９７に連続する２つの折り曲げ係合部２９８とを有している。本体板２９７は、封印ベース２７１の底部の内面と封印カバー２７２の第１の面に挟まれる。また、本体板２９７は、封印ベース２７１の溶着用段部２８８に囲まれる。
【０１３２】
本体板２９７には、位置決め用貫通孔２９７ａと、２つのピン貫通孔２９７ｂが形成されている。位置決め用貫通孔２９７ａは、本体板２９７の中央に配置されており、円形に形成されている。この位置決め用貫通孔２９７ａには、封印ベース２７１の凸部２８５が貫通する。
【０１３３】
２つのピン貫通孔２９７ｂは、本体板２９７の長手方向に並んでおり、封印ベース２７１の２つのピン挿通孔２８１に対向する。２つのピン貫通孔２９７ｂは、円形に形成されており、その径は、封印ピン２３０における胴部２３０ａの径よりも大きい。２つのピン貫通孔２９７ｂには、封印ベース２７１の２つのピン挿通孔２８１を貫通した封印ピン２３０の胴部２３０ａが貫通する。
【０１３４】
また、２つのピン貫通孔２９７ｂには、それぞれ複数の係合片２９９が設けられている。複数の係合片２９９は、ピン貫通孔２９７ｂの周縁部に連続しており、ピン貫通孔２９７ｂの中心に向かって突出している。複数の係合片２９９は、それぞれ弾性変形可能であり、封印ピン２３０のピン係合溝２３０ｃに係合して弾性変形する。また、弾性変形した複数の係合片２９９は、封印ピン２３０のピン貫通孔２９７ｂへの挿入方向と反対の方向への移動を規制する。
【０１３５】
２つの折り曲げ係合部２９８は、本体板２９７の２つの短辺にそれぞれ連続し、本体板２９７の平面に対して略垂直に突出している。２つの折り曲げ係合部２９８は、封印ベース２７１の２つのベース側係合部２８７（図１４参照）に係合する。具体的には、２つの折り曲げ係合部２９８の互いに対向する面（折り曲げの内側の面）が、２つのベース側係合部２８７に係合する。
【０１３６】
２つの折り曲げ係合部２９８が２つのベース側係合部２８７に係合することより、封印ベース２７１に対して封印用係合部材２７３が位置決めされる。また、封印ベース２７１の凸部２８５が位置決め用貫通孔２９７ａを貫通して、封印カバー２７２の嵌合凹部２９１に嵌合することにより、封印カバー２７２に対して封印用係合部材２７３が位置決めされる。その結果、封印用係合部材２７３の位置決めを容易に行うことができる。
【０１３７】
［第１封印部と第２封印部の接続］
次に、第１封印部２１２と第２封印部２１６の接続について、図１５及び図１６を参照して説明する。図１５は、図７に示すＡ−Ａ線断面図である。図１６は、図１５に示すＢ−Ｂ線断面図である。
【０１３８】
図１５に示すように、第２封印部２１６を組み立てるには、封印ベース２７１における第１封印部２１２に対向する側と反対側から封印用係合部材２７３及び封印カバー２７２を収容して、封印ベース２７１の内側で当該封印ベース２７１と封印カバー２７２を溶着する。これにより、封印カバー２７２が外部に配置されないようにすることができ、封印ベース２７１と封印カバー２７２を強引に引きはがすことが困難になる。その結果、痕跡が残る方法で封印ベース２７１と封印カバー２７２を分離することになり、主制御基板ケース２０１を開放して不正行為を行うことを防止或いは抑制することができる。
【０１３９】
基板（基板ケース）に対する不正行為（改変）は、閉店中で人が居ないときに行われる。改変としては、例えば、基板に配される電気部品を利益が得やすくなる不正品（一定の手順等で、出率が高くなる或いは遊技の結果とは関係なしに強制的に払出を行う）に取り換えることが挙げられる。
【０１４０】
ところで、基板に対する改変を行っただけでは、改変を行った者に何ら利益が発生しない。改変を行った者は、後日、一般遊技客に紛れて来店し、改変した遊技機で遊技（若しくは所定の操作）を行うことにより利益を得ることができる。したがって、後日までに改変を発覚することができれば、被害を避けることができる。一方、不正行為を行う者は、痕跡を残さずに改変して、改変が発覚しないようにする必要がある。したがって、痕跡が残る方法でしか、改変を行うことができないように基板ケースを構成することができれば、不正行為を防止することができると言える。
【０１４１】
また、本実施形態では、封印カバー２７２の第１の面に溶着用突部２９３を設けた。封印カバー２７２の第１の面は、封印ベース２７１の開口から露出される封印カバー２７２の第２の面と反対側の端面である。したがって、封印ベース２７１の開口から工具等を侵入させても、封印ベース２７１と封印カバー２７２との溶着部に到達することが難しく、封印ベース２７１と封印カバー２７２を強引に引きはがすことが困難になる。
【０１４２】
なお、本発明に係る封印カバー２７２（第２被溶着部材）の溶着用突部としては、第１の面の縁部に沿う枠状（全周）に形成することに限定されず、例えば、対向する２辺に沿って形成してもよく、また、適当な間隔を空けて並ぶように形成してもよい。また、本発明に係る封印カバー２７２（第２被溶着部材）の溶着用突部としては、任意の位置に設定することができ、例えば、側面に溶着用突部を設けてもよい。また、本発明に係る封印カバー２７２（第２被溶着部材）としては、溶着用突部を設けずに封印ベース２７１（第１被溶着部材）と溶着してもよい。
【０１４３】
また、封印ベース２７１の開口から露出される封印カバー２７２の第２の面は、滑らかな（凹凸の無い）平面に形成されている（図１４参照）。したがって、封印カバー２７２を把持することが困難になり、封印ベース２７１と封印カバー２７２を強引に引きはがすことを難しくしている。
【０１４４】
また、図１５に示すように、封印ベース２７１は、封印用係合部材２７３の複数の係合片２９９に当接する変形抑制部２８６を有する。これにより、複数の係合片２９９が封印ピン２３０の挿入方向と反対の方向に弾性変形することを防止或いは抑制することができる。したがって、封印ピン２３０と複数の係合片２９９との係合が外れないようにすることができ、第１封印部２１２と第２封印部２１６との接続が解除されることを防止或いは抑制することができる。
【０１４５】
第１封印部２１２と第２封印部２１６とを接続する前において、封印ピン２３０は、ピン収容筒２２４Ａ，２２４Ｂ内である待機位置に配置されている。待機位置において、封印ピン２３０における胴部２３０ａの先端部は、ピン収容筒２２４Ａ，２２４Ｂに設けた複数のピン保持部２２９に保持されており、封印ピン２３０の頭部２３０ｂは、封印蓋２２２と係合している。そして、封印ピン２３０の軸は、外装体（遊技機本体）２の前後方向（水平方向）に略平行になっている。
【０１４６】
図１６に示すように、複数のピン保持部２２９は、封印ピン２３０における鉛直方向ｇの下側を避けて配置されており、少なくとも２つのピン保持部２２９Ａ，２２９Ｂで封印ピン２３０を保持している。これにより、封印ピン２３０がその挿入方向と直交する方向にずれた状態で保持されないようにすることができる。封印ピン２３０がずれた状態で第２封印部２１６のピン挿通孔２８１や封印用係合部材２７３のピン貫通孔を貫通しないようにすることができる。その結果、第１封印部２１２と第２封印部２１６の接続が不完全になることを防止することができ、第１封印部２１２と第２封印部２１６による封印の信頼性及び確実性を向上させることができる。
【０１４７】
また、複数のピン保持部２２９は、封印ピン２３０における胴部２３０ａの先端部（先端よりも頭部２３０ｂ側）を保持している。これにより、封印ピン２３０における胴部２３０ａの先端面を保持する場合よりも、封印ピン２３０の姿勢を安定させることができる。また、封印ピン２３０の先端（先端面）は、ピン収容筒２２４Ａ，２２４Ｂに設けたピン用凹部に配置されている。これにより、待機位置に配置された封印ピン２３０の先端が、その他の部材（第２封印部２１６）と干渉しないようにすることができる。
【０１４８】
また、複数のピン保持部２２９は、封印ピン２３０を案内する傾斜面２２９ａ（図１５参照）を有している。これにより、封印ピン２３０を複数のピン保持部２２９に係合する位置（待機位置）まで容易に挿入することができる。
【０１４９】
封印ピン２３０によって第１封印部２１２と第２封印部２１６を接続する場合は、待機位置に配置された封印ピン２３０の頭部２３０ｂを工具等で押圧する。工具等は、封印蓋２２２に設けた貫通孔２５３を貫通して封印ピン２３０の頭部２３０ｂに接触させることができる。
【０１５０】
頭部２３０ｂを押圧された封印ピン２３０は、複数のピン保持部２２９に抗して、前後方向（水平方向）に平行な軸方向に移動する。そして、封印ピン２３０は、第２封印部２１６（封印ベース２７１）のピン挿通孔２８１及び封印用係合部材２７３のピン貫通孔２９７ｂを貫通する。このとき、封印用係合部材２７３の複数の係合片２９９が、封印ピン２３０のピン係合溝２３０ｃに係合し、封印ピン２３０の挿通方向に押圧されて弾性変形する。これにより、封印ピン２３０の挿入方向と反対の方向への移動が係止される。
【０１５１】
そして、封印ピン２３０の頭部２３０ｂがピン収容筒２２４Ａ，２２４Ｂの底部に当接すると、第１封印部２１２と第２封印部２１６との接続が完了し、第１部材２０２と第２部材２０３の結合状態が封印される。
【０１５２】
なお、第１封印部２１３と係合して第１部材２０２（主制御基板ケース２０１）とキャビネット２ａの結合状態を封印する第２封印部（不図示）は、第２封印部２１６と同様の構成を有している。そのため、第１封印部２１３とキャビネット２ａに設けた第２封印部（不図示）との接続（係合）は、第１封印部２１２と第２封印部２１６との接続（係合）と同様に行われる。
【０１５３】
また、本実施形態では、１つの封印部（第１封印部２１２と第２封印部２１６）に２つの封印ピンを用いているが、２つの封印ピン２３０のうちの１つは、予備である。そのため、第１封印部２１２と第２封印部２１６との接続は、１つの封印ピン２３０によって行われる。
【０１５４】
検査等で主制御基板ケース２０１を開放する場合は、封印ピン２３０によって接続している側のピン収容筒（２２４Ａ又は２２４Ｂ）を第１部材２０２から切断する。すなわち、連結部２２５の突出片（２４１Ａ又は２４１Ｂ）を切断し、且つ、連結部２２５の接続片２４２における中間部を切断する（封印蓋２２２も一緒に切断する）。これにより、ピン収容筒（２２４Ａ又は２２４Ｂ）を第１部材２０２から切断でき、第１封印部２１２と第２封印部２１６の接続が解除される。その後、再び第１部材２０２と第２部材２０３の結合状態を封印する場合は、第１封印部２１２と第２封印部２１６を予備の封印ピン２３０によって接続する。
【０１５５】
［主制御基板ケースの取り付け位置］
次に、主制御基板ケース２０１の取り付け位置について、図１７を参照して説明する。図１７は、キャビネット２ａ上部の縦断面図である。
【０１５６】
図１７に示すように、主制御基板ケース２０１は、キャビネット２ａの上部に取り付けられている。上述したように、主制御基板ケース２０１は、前後方向に重ね合された第１部材２０２及び第２部材２０３を有している。そして第１部材２０２には、第１封印部２１２が設けられており、第２部材２０３には、第２封印部２１６が設けられている。
【０１５７】
第１封印部２１２は、第２封印部２１６の前方に配置されており、第２封印部２１６は、キャビネット２ａ（遊技機本体）の内壁面２Ａに対向している。第２封印部２１６の封印ベース２７１の開口は、内壁面２Ａに対向している。なお、第1部材２０２及び第２部材２０３を無色透明でない樹脂材料によって形成した場合は、封印ベース２７１内に収容された封印カバー２７２を、キャビネット２ａの正面側から視認できなくなる。
【０１５８】
封印カバー２７２の封印ベース２７１に対する挿入方向（遊技機本体の前後方向）の長さＬ１は、封印カバー２７２の第２の面（封印ベース２７１の開口から露出する端面）から内壁面２Ａまでの距離Ｌ２よりも長い。したがって、封印カバー２７２を封印ベース２７１から取り外そうとしても、封印カバー２７２が内壁面２Ａに干渉するため、封印ベース２７１から封印カバー２７２を抜き出すことができない。
【０１５９】
すなわち、封印カバー２７２を封印ベース２７１から取り外す場合は、主制御基板ケース２０１を遊技機本体から取り外す必要がある。これにより、主制御基板ケース２０１を遊技機本体に取り付けた状態で、封印ベース２７１と封印カバー２７２の溶着部分を引き剥がすことを困難にすることができる。その結果、主制御基板ケース２０１を開放して不正行為を行うことを防止或いは抑制することができる。
【０１６０】
なお、本実施形態では、主制御基板ケース２０１の裏側（取付け側）において、封印ベース２７１に封印カバー２７２を挿入する構成とした。したがって、主制御基板ケース２０１をキャビネット２ａ（フロントドア２ｂでもよい）に取り付けると、キャビネット２ａが邪魔になって封印カバー２７２を封印ベース２７１から取り外すことができない。その結果、主制御基板ケース２０１を開放して不正行為を行うことを防止或いは抑制することができる。すなわち、第１被溶着部材に対して封印対象物の取付け側から第２被溶着部材を挿入する構成であれば、第１被溶着部材から第２被溶着部材取り外すことができなくなり、封印対象物の封印を不正に解除することを防止或いは抑制することができる。
【０１６１】
また、本実施形態では、第２封印部２１６の移動規制部２８３が第１封印部２１２の係合溝２２７に係合する。これにより、第１封印部２１２と第２封印部２１６がずれた状態で封印ピン２３０と封印用係合部材２７３の複数の係合片２９９が係合して、第１封印部２１２及び第２封印部２１６を用いた封印が不完全になることを防止することができる。その結果、封印作業の確実性を向上させることができ、不正行為をより防止或いは抑制することができる。
【０１６２】
さらに、第１封印部２１２のピン収容筒２２４Ｂを第１部材２０２から切り離して、ピン収容筒２２４Ａが残った場合であっても、第２封印部２１６の移動規制部２８３がピン収容筒２２４Ａの係合溝２２７に係合している。そのため、ピン収容筒２２４Ａに力を加えてピン収容筒２２４Ａを回転させたり、変位させたりすることができない。その結果、ピン収容筒２２４Ａに力を加えることで連結片２４１Ａが切断されることを防止することができる。
【０１６３】
また、係合溝２２７は、ピン収容筒２２４Ａの開口側に向かうにつれて狭くなっている。すなわち、係合溝２２７は、移動規制部２８３が係合溝２２７に挿入される方向に至るにつれて溝幅が狭くなる。これにより、移動規制部２８３を係合溝２２７に容易に係合させることができると共に、移動規制部２８３を係合溝２２７に確実に当接させることができる。
【０１６４】
なお、本実施形態では、第１封印部２１２のピン収容筒２２４Ａに係合溝２２７を設け、第２封印部２１６の係合壁２８２にリブからなる移動規制部２８３を設けた。しかし、本発明に係る移動規制部としては、溝部であってもよい。この場合は、ピン収容筒２２４Ａにリブを設ける。すなわち、本発明に係る移動規制部に係合する係合部は、リブであってもよい。
【０１６５】
また、本実施形態では、第１封印部２１２のピン収容筒２２４Ａに係合溝２２７を設けた。しかし、本発明に係る移動規制部に係合する係合部としては、ピン収容筒２２４Ａに固定される封印蓋に係合部としての係合溝（リブでもよい）を設けてもよい。この場合は、連結部２２５の接続片２４２（図１０参照）に切欠きを設けて、その切欠きに封印蓋の係合溝を配置する。また、第２封印部２１６の係合壁２８２の高さを高くして封印蓋の係合溝に対向させ、係合溝に対向した部分に移動規制部を設けるとよい。
【０１６６】
封印蓋に係合溝を設けることにより、第１部材２０２と第２部材２０３を重ね合わせるときに、係合溝と移動規制部を係合させる必要が無くなる。すなわち、第１封印部２１２のピン収容筒２２４Ａ，２２４Ｂを第２封印部２１６の係合壁２８２内に挿入した後に、封印蓋をピン収容筒２２４Ａ，２２４Ｂに固定すれば、係合溝と移動規制部を係合させることができる。その結果、第１部材や第２部材が大型な場合であっても、係合溝と移動規制部の係合が煩雑にならないようにすることができる。
【０１６７】
また、封印蓋の係合溝は、連結部２２５の接続片２４２（図１０参照）に設けた切欠きを貫通する長さにしてもよい。その場合は、係合溝がピン収容筒２２４Ａの外面に封印ピン２３０の挿通方向に交差する方向で対向する。そこで、ピン収容筒２２４Ａの外面に係合溝と接続される接続部を設けてもよい。これにより、封印蓋から突出する係合溝の破損を防止或いは抑制することができる。また、第２封印部２１６の係合壁２８２の高さを高くしなくても、移動規制部と係合溝を係合させることができる。
【０１６８】
また、本実施形態では、封印カバー２７２が主制御基板ケース２０１の外側において封印ベース２７１と溶着されている。しかしながら、本発明に係る封印ベースとしては、基板ケースの内側で封印ベースと溶着されるものであってもよい。すなわち、封印ベース（第１被溶着部材）の開口に連通する空間を閉じる構成であってもよい。
【０１６９】
また、本実施形態では、封印ベース２７１内に収容された封印カバー２７２の第２の面が内壁面２Ａに対向する構成とした。しかし、本発明に係る封印カバーの第２の面（封印ベースの開口から露出される端面）は、その他の部品に対向していてもよい。その他の部品としては、例えば、後述するミドルドア３４１やファン、部品取り付け用のブラケット等を挙げることができる。
【０１７０】
２.第２の実施形態
次に、本発明の第２の実施形態を示す遊技機であるパチスロについて、図１８〜図３２を参照しながら説明する。
【０１７１】
＜パチスロの構造＞
まず、図１８〜図２２を参照して、第２の実施形態におけるパチスロの構造について説明する。
【０１７２】
［外観構造］
図１８は、パチスロ１の外部構造を示す斜視図である。
【０１７３】
図２に示すように、パチスロ３０１は、外装体（遊技機本体）３０２を備える。外装体３０２は、リールや回路基板等を収容するキャビネット３０２ａと、キャビネット３０２ａの開口を開閉可能に取り付けられるフロントドア３０２ｂと、を有している。
【０１７４】
キャビネット３０２ａの両側面には、把手３０７が設けられる（図１８では一方の側面の把手３０７のみを示す）。把手３０７は凹状部材で構成され、パチスロ３０１を運搬するときに作業者の手がこの把手３０７にかけられる。
【０１７５】
キャビネット３０２ａの内部には、３つのリール３０３Ｌ，３０３Ｃ，３０３Ｒ（変動表示手段）が横並びに設けられている。以下、各リール３０３Ｌ，３０３Ｃ，３０３Ｒを、それぞれ左リール３０３Ｌ、中リール３０３Ｃ、右リール３０３Ｒという。各リール３０３Ｌ，３０３Ｃ，３０３Ｒは、円筒状に形成されたリール本体と、リール本体の周面に装着された透光性のシート材を有している。シート材の表面には、複数（例えば２１個）の図柄が周方向（リールの回転方向）に沿って所定の間隔をあけて描かれている。
【０１７６】
フロントドア３０２ｂは、ドア本体３０９と、フロントパネル３１０と、腰部パネル３１２と、台座部３１３とを備える。ドア本体３０９は、ヒンジ（不図示）を用いてキャビネット３０２ａに開閉可能に取り付けられる。ヒンジは、パチスロ１の前方側（遊技者側）からドア本体３０９を見た場合、ドア本体３０９の左側の側端部に設けられる。
【０１７７】
フロントパネル３１０は、ドア本体３０９の上部に設けられている。このフロントパネル３１０は、開口３１０ａを有する枠状に形成されている。フロントパネル３１０の開口３１０ａは、キャビネット３０２ａの内部に配置された後述の表示装置３１１に対向する。また、フロントパネル３１０の開口３１０ａは、表示装置カバー３３０によって塞がれている。
【０１７８】
表示装置カバー３３０は、黒色の半透明な合成樹脂により形成されている。遊技者は、後述の表示装置３１１により表示された映像（画像）を、表示装置カバー３３０を介して視認する。 本実施形態では、表示装置カバー３３０を黒色の半透明な合成樹脂により形成することで、キャビネット３０２ａ内への外光の入り込みを抑制して、後述の表示装置３１１により表示された映像（画像）を鮮明に視認できるようにしている。
【０１７９】
フロントパネル３１０には、ランプ群３２１が設けられている。ランプ群３２１は、例えば、遊技者側から見て、フロントパネル３１０の上部に設けられたランプ２１ａ、２１ｂを含む。ランプ群３２１を構成する各ランプは、ＬＥＤ（Light Emitting Diode）３８５（図７参照）等で構成され、演出内容に対応するパターンで、光を点灯及び消灯する。
【０１８０】
腰部パネル３１２は、ドア本体３０９の中央部に設けられている。腰部パネル３１２は、任意の画像が描かれた装飾パネルと、この装飾パネルを背面側から照明するための光を出射する光源（ＬＥＤ３８５）を有している。
【０１８１】
台座部３１３は、フロントパネル３１０と腰部パネル３１２との間に設けられている。台座部３１３には、図柄表示領域３０４と、遊技者による操作の対象となる各種装置（メダル投入口３１４、ＭＡＸベットボタン３１５Ａ、１ベットボタン３１５Ｂ、スタートレバー３１６、３つのストップボタン３１７Ｌ，３１７Ｃ，３１７Ｒ、精算ボタン３１９等）が設けられる。
が設けられている。
【０１８２】
図柄表示領域３０４は、正面から見て３つのリール３０３Ｌ，３０３Ｃ，３０３Ｒに重畳する手前側に配置されており、３つのリール３０３Ｌ，３０３Ｃ，３０３Ｒに対応して設けられている。この図柄表示領域３０４は、表示窓としての機能を果たすものであり、その背後に設けられた各リール３０３Ｌ，３０３Ｃ，３０３Ｒを視認することが可能な構成になっている。以下、図柄表示領域３０４を、リール表示窓３０４という。
【０１８３】
リール表示窓３０４は、その背後に設けられたリール３０３Ｌ，３０３Ｃ，３０３Ｒの回転が停止されたとき、各リール３０３Ｌ，３０３Ｃ，３０３Ｒの複数種類の図柄のうち、その枠内における上段、中段及び下段の各領域にそれぞれ１個の図柄（合計で３個）を表示する。本実施の形態では、リール表示窓３０４の各リール３０３Ｌ，３０３Ｃ，３０３Ｒに対向する上段、中段及び下段からなる３つの領域のうち予め定められたいずれかをそれぞれ組合せてなる擬似的なラインを、入賞か否かの判定を行う対象となるライン（入賞判定ライン）として定義する。
【０１８４】
リール表示窓３０４は、台座部３１３に設けられた枠部材３３１により形成されている。この枠部材３３１は、リール表示窓３０４と、情報表示窓３３２を有している。
【０１８５】
情報表示窓３３２は、リール表示窓３０４の下部に連続して設けられており、上方に向かって開口している。この情報表示窓３３２には、遊技に関する情報が記載されたシート部材（情報シート）が配置されている。また、情報表示窓３３２及びリール表示窓３０４は、透明の窓カバー（不図示）によって覆われている。
【０１８６】
メダル投入口３１４は、遊技者によって外部からパチスロ３０１に投下されるメダルを受け入れるために設けられる。メダル投入口３１４から受け入れられたメダルは、予め設定された所定枚数（例えば３枚）を上限として１回の遊技に使用され、所定枚数を超えたメダルの枚数分は、パチスロ３０１の内部に預けることができる（いわゆるクレジット機能）。
【０１８７】
ＭＡＸベットボタン３１５Ａ及び１ベットボタン３１５Ｂは、キャビネット３０２ａの内部に預けられているメダルから１回の遊技に使用する枚数を決定するために設けられる。また、精算ボタン３１９は、パチスロ１の内部に預けられているメダルを外部に引き出す（排出する）ために設けられる。
【０１８８】
スタートレバー３１６は、全てのリール（３０３Ｌ，３０３Ｃ，３０３Ｒ）の回転を開始するために設けられる。ストップボタン３１７Ｌ，３１７Ｃ，３１７Ｒは、それぞれ、左リール３０３Ｌ、中リール３０３Ｃ、右リール３０３Ｒに対応づけて設けられ、各ストップボタンは対応するリールの回転を停止するために設けられる。以下、ストップボタン３１７Ｌ，３１７Ｃ，３１７Ｒを、それぞれ左ストップボタン３１７Ｌ、中ストップボタン３１７Ｃ、右ストップボタン３１７Ｒという。
【０１８９】
また、図１８には示さないが、台座部３１３には、７セグメントＬＥＤ（Light Emitting Diode）からなる７セグ表示器６（図２３参照）が設けられる。この７セグ表示器６は、特典として遊技者に対して払い出すメダルの枚数（以下、払出枚数という）、パチスロ３０１の内部に預けられているメダルの枚数（以下、クレジット枚数という）等の情報をデジタル表示する。
【０１９０】
ドア本体３０９の下部には、メダル払出口３２４、メダル受皿３２５、２つのスピーカ用孔３２０Ｌ，３２０Ｒ等が設けられる。メダル払出口３２４は、後述のメダル払出装置３３の駆動により排出されるメダルを外部に導く。メダル受皿３２５は、メダル払出口３２４から排出されたメダルを貯める。また、２つのスピーカ用孔３２０Ｌ，３２０Ｒは、演出内容に対応する効果音や楽曲等の音声を出力する。
【０１９１】
［内部構造］
次に、パチスロ３０１の内部構造を、図１９〜図２２を参照しながら説明する。
図１９及び図２０は、パチスロ３０１の内部構造を示す斜視図である。この図１９では、フロントドア３０２ｂが開放され、フロントドア３０２ｂの裏面側に設けられたミドルドア３４１がフロントドア３０２ｂに対して閉じた状態を示している。また、図２０では、フロントドア３０２ｂが開放され、ミドルドア３４１がフロントドア２ｂに対して開いた状態を示している。また、図２１は、キャビネット３０２ａの内部を示す説明図である。図２２は、フロントドア３０２ｂの裏面側を示す説明図である。
【０１９２】
図２１に示すように、キャビネット３０２ａは、上面板３２７ａと、底面板３２７ｂと、左右の側面板３２７ｃ，３２７ｄと、背面板３２７ｅを有している。キャビネット３０２ａ内の上部には、表示装置３１１が配置されている。
【０１９３】
表示装置３１１は、プロジェクタ３８９（図２３参照）と、プロジェクタ３８９から投射された映像光を投影する台形部材等の被投影部材（不図示）とを有しており、プロジェクションマッピングによる映像表示を行う。すなわち、本実施形態では、被投影部材の位置（投影距離や角度など）や形状に基づいて映像光を生成し、その映像光を被投影部材（立体物）の表面に投影することにより、高度で、かつ迫力のある演出を行う。
【０１９４】
キャビネット３０２ａの内部の下側には、メダル払出装置（以下、ホッパー装置）３５１と、メダル補助収納庫３５２と、電源装置３５３が配設されている。
【０１９５】
ホッパー装置３５１は、キャビネット３０２ａにおける底面板３２７ｂの中央部に取り付けられている。このホッパー装置３５１は、多量のメダルを収容可能で、それらを１枚ずつ排出可能な構造を有する。ホッパー装置３５１は、貯留されたメダルが例えば５０枚を超えたとき、又は精算ボタン３１９が押圧されてメダルの精算を行うときに、メダルを払い出す。ホッパー装置３５１によって払い出されたメダルは、メダル払出口３２４（図２参照）から排出される。
【０１９６】
メダル補助収納庫３５２は、ホッパー装置３５１から溢れ出たメダルを収納する。このメダル補助収納庫３５２は、キャビネット３０２ａ内部を正面から見て、ホッパー装置３５１の右側に配置されている。メダル補助収納庫３５２は、キャビネット３０２ａの底面板３２７ｂに係合されており、底面板３２７ｂに対して着脱可能に構成されている。
【０１９７】
電源装置３５３は、電源スイッチ３５３ａと、電源基板３５３ｂを有している（図２３参照）。この電源装置３５３は、キャビネット３０２ａ内部を正面から見て、ホッパー装置３５１の左側に配置されており、左側面板３２７ｃに取り付けられている。電源装置３５３は、サブ電源装置（不図示）から供給された交流電圧１００Ｖの電力を各部で必要な直流電圧の電力に変換して、変換した電力を各部へ供給する。
【０１９８】
電源装置３５３の上方には、副制御基板３７２（図２３参照）を収容する副制御基板ケース３５６が配設されている（図１９参照）。副制御基板ケース３５６に収納された副制御基板３７２は、副制御回路３９１（図９参照）を構成する。この副制御回路３９１は、映像の表示等による演出の実行を制御する回路である。副制御回路３９１の具体的な構成は後述する。
【０１９９】
副制御基板ケース３５６の上方には、副中継基板３６１が配設されている。この副中継基板３６１は、副制御基板３７２と後述の主制御基板３７１とを接続する配線を中継する。また、副中継基板３６１は、副制御基板３７２と副制御基板３７２の周辺に配設された基板とを接続する配線を中継する基板である。
【０２００】
キャビネット３０２ａ内には、キャビネット側中継基板（不図示）が配設されている。このキャビネット側中継基板は、後述のミドルドア３４１（図１９及び図２０参照）に取り付けられた主制御基板３７１（図２３参照）と、ホッパー装置３５１、遊技メダル補助収納庫スイッチ（不図示）、メダル払出カウントスイッチ（不図示）とを接続する配線の中継を行う。
【０２０１】
図１９，図２０及び図２２に示すように、ミドルドア３４１は、フロントドア３０２ｂの裏面における中央部に配置され、リール表示窓３０４（図２０参照）を裏側から開閉可能に構成されている。ミドルドア３４１の側部と下部には、ドアストッパ３４１ａ，３４１ｂが設けられている。このドアストッパ３４１ａ，３４１ｂは、リール表示窓３０４を裏側から閉じた状態のミドルドア３４１の開動作を固定（禁止）する。すなわち、ミドルドア３４１を開くには、ドアストッパ３４１ａ，３４１ｂを回転させてミドルドア３４１の固定を解除する必要がある。
【０２０２】
ミドルドア３４１には、主制御基板３７１（図２３参照）を収納した主制御基板ケース４０１と、３つのリール３０３Ｌ，３０３Ｃ，３０３Ｒが取り付けられている。３つのリール３０３Ｌ，３０３Ｃ，３０３Ｒには、所定の減速比をもったギアを介してステッピングモータが接続されている。
【０２０３】
主制御基板ケース４０１に収納された主制御基板３７１は、主制御回路４１を構成する。主制御回路４１は、内部当籤役の決定、リール３０３Ｌ，３０３Ｃ，３０３Ｒの回転及び停止、入賞の有無の判定といった、パチスロ３０１における遊技の主な流れを制御する回路である。主制御回路４１の具体的な構成は、第１の実施形態（図５参照）と同じである。
【０２０４】
ミドルドア３４１の下方には、スピーカ３６５Ｌ，３６５Ｒが配設されている。スピーカ３６５Ｌ，３６５Ｒは、それぞれスピーカ用孔３２０Ｌ，３２０Ｒ（図１８参照）に対向している。
【０２０５】
スピーカ３６５Ｌの上方には、セレクタ３６６と、ドア開閉監視スイッチ３６７が配設されている。セレクタ３６６は、メダルの材質や形状等が適正であるか否かを選別する装置であり、メダル投入口３１４に投入された適正なメダルをホッパー装置３５１へ案内する。セレクタ３６６内においてメダルが通過する経路上には、適正なメダルが通過したことを検出するメダルセンサ（不図示）が設けられている。
【０２０６】
ドア開閉監視スイッチ３６７は、フロントドア３０２ｂを裏面側から見て、セレクタ３６６の左斜め下に配置されている。このドア開閉監視スイッチ３６７は、パチスロ３０１の外部へ、フロントドア３０２ｂの開閉を報知するためのセキュリティー信号を出力する。
【０２０７】
また、リール表示窓３０４の下方であってミドルドア３４１により開閉される領域には、ドア中継端子板３６８が配設されている（図２０参照）。このドア中継端子板３６８は、主制御基板ケース４０１内の主制御基板３７１（図２３参照）と、各種のボタンやスイッチ、副制御基板３７２（図２３参照）、セレクタ３６６及び遊技動作表示基板３８１（図２３参照）との配線を中継する基板である。なお、各種のボタン及びスイッチとしては、例えば、ＭＡＸベットボタン３１５Ａ、１ベットボタン３１５Ｂ、ドア開閉監視スイッチ３６７、後述するＢＥＴスイッチ３７７、スタートスイッチ３７９等を挙げることができる。
【０２０８】
＜パチスロが備える回路の構成＞
次に、パチスロ３０１が備える回路の構成について、図２３を参照して説明する。
図２３は、パチスロ３０１が備える回路全体のブロック構成図である。
【０２０９】
パチスロ３０１は、ミドルドア３４１に配設された主制御基板３７１と、キャビネット３０２ａに配設された副制御基板３７２を有している。
主制御基板３７１には、リール中継端子板３７４と、設定用鍵型スイッチ３５７と、外部集中端子板３４７と、ホッパー装置３５１と、メダル補助収納庫スイッチ３７５と、電源装置３５３の電源基板３５３ｂが接続されている。設定用鍵型スイッチ３５７、外部集中端子板３４７、ホッパー装置３５１及びメダル補助収納庫スイッチ３７５は、キャビネット側中継基板３４４を介して主制御基板３７１に接続されている。外部集中端子板３４７及びホッパー装置３５１については、上述したため、説明を省略する。
【０２１０】
リール中継端子板３７４は、各リール３０３Ｌ，３０３Ｃ，３０３Ｒのリール本体の内側に配設されている。このリール中継端子板３７４は、各リール３０３Ｌ，３０３Ｃ，３０３Ｒのステッピングモータ（不図示）に電気的に接続されており、主制御基板３７１からステッピングモータに出力される信号を中継する。
【０２１１】
メダル補助収納庫スイッチ３７５は、メダル補助収納庫３５２の後述するスイッチ貫通孔を貫通している。このメダル補助収納庫スイッチ３７５は、メダル補助収納庫３５２がメダルで満杯になっているか否かを検出する。
【０２１２】
電源装置３５３の電源基板３５３ｂには、電源スイッチ３５３ａが接続されている。この電源スイッチ３５３ａは、パチスロ３０１に必要な電源を供給するときにＯＮにする。
【０２１３】
また、主制御基板３７１には、ドア中継端子板３６８を介して、セレクタ３６６、ドア開閉監視スイッチ３６７、ＢＥＴスイッチ３７７、精算スイッチ３７８、スタートスイッチ３７９、ストップスイッチ基板３８０、遊技動作表示基板３８１及び副中継基板３６１が接続されている。セレクタ３６６、ドア開閉監視スイッチ３６７及び副中継基板３６１については、上述したため、説明を省略する。
【０２１４】
ＢＥＴスイッチ３７７は、ベットボタン３１５（３１５Ａ，３１５Ｂ）が遊技者により押されたことを検出する。精算スイッチ３７８は、精算ボタン３１９が遊技者により押されたことを検出する。スタートスイッチ３７９は、スタートレバー３１６が遊技者により操作されたこと（開始操作）を検出する。
【０２１５】
ストップスイッチ基板３８０は、回転しているリールを停止させるための回路と、停止可能なリールをＬＥＤなどにより表示するための回路を構成する基板である。このストップスイッチ基板３８０には、ストップスイッチが設けられている。ストップスイッチは、各ストップボタン３１７Ｌ，３１７Ｃ，３１７Ｒが遊技者により押されたこと（停止操作）を検出する。
【０２１６】
遊技動作表示基板３８１は、メダルの投入を受け付けるとき、３つのリール３０３Ｌ，３０３Ｃ，３０３Ｒが回動可能なとき及び再遊技を行うときに、投入されたメダルの枚数を７セグ表示器６に表示させるための基板である。この遊技動作表示基板３８１には、７セグ表示器６とＬＥＤ３８２が接続されている。ＬＥＤ３８２は、例えば、遊技の開始を表示するマークや再遊技を行うマークなどを点灯させる。
【０２１７】
副制御基板３７２は、ドア中継端子板３６８と副中継基板３６１を介して主制御基板３７１に接続されている。この副制御基板３７２には、副中継基板３６１を介して、サウンドＩ／Ｏ基板３８４、複数のＬＥＤ基板３６２、２４ｈドア開閉監視ユニット３６３が接続されている。２４ｈドア開閉監視ユニット３６３については、上述したため、説明を省略する。
【０２１８】
サウンドＩ／Ｏ基板３８４は、スピーカ３６５Ｌ，３６５Ｒ及びフロントドア３０２ｂに設けられた不図示のスピーカへの音声の出力を行う。複数のＬＥＤ基板３６２には、ランプ群３２１を構成する各ランプのＬＥＤ３８５が実装される。
【０２１９】
また、副制御基板３７２には、ロムカートリッジ基板３８６と、プロジェクタ中継基板３８７が接続されている。これらロムカートリッジ基板３８６及びプロジェクタ中継基板３８７は、副制御基板３７２と共に副制御基板ケース３５６に収納されている。
ロムカートリッジ基板３８６は、演出用の画像（映像）、音声、ＬＥＤ基板（不図示）、通信のデータを管理するための基板である。プロジェクタ中継基板３８７は、副制御基板３７２と表示装置３１１のプロジェクタ３８９とを接続する配線を中継する基板である。
【０２２０】
＜主制御回路＞
主制御回路４１の具体的な構成は、第１の実施形態（図５参照）と同じである。そのため、主制御回路４１についての説明は省略する。
【０２２１】
＜副制御回路＞
次に、副制御基板３７２により構成される副制御回路３９１について、図２４を参照して説明する。
図２４は、パチスロ３０１の副制御回路３９１の構成例を示すブロック図である。
【０２２２】
副制御回路３９１は、主制御回路４１と電気的に接続され、主制御回路４１から送信されるコマンドに基づいて演出内容の決定や実行等の処理を行う。副制御回路３９１は、基本的には、サブＣＰＵ３９２、サブＲＡＭ３９３、レンダリングプロセッサ３９４、描画用ＲＡＭ３９５、及び、ドライバ３９６を含む。
【０２２３】
サブＣＰＵ３９２は、主制御回路４１から送信されたコマンドに応じて、ロムカートリッジ基板３８６に記憶されている制御プログラムに従い、映像、音、光の出力の制御を行う。ロムカートリッジ基板３８６は、基本的に、プログラム記憶領域とデータ記憶領域によって構成される。
【０２２４】
プログラム記憶領域には、サブＣＰＵ３９２が実行する各種制御プログラムが記憶される。なお、プログラム記憶領域に格納される制御プログラムには、例えば、主制御回路４１との通信を制御するための主基板通信タスク、演出用乱数値を抽出して演出内容（演出データ）の決定及び登録を行うための演出登録タスク、決定した演出内容に基づいて表示装置３１１による映像の表示を制御するための描画制御タスク、ＬＥＤ３８５等の光源による光の出力を制御するランプ制御タスク、スピーカ３６５Ｌ，３６５Ｒ等のスピーカによる音の出力を制御する音声制御タスク等が含まれる。
【０２２５】
データ記憶領域には、例えば、各種データテーブルを記憶する記憶領域、各種演出内容を構成する演出データを記憶する記憶領域、映像の作成に関するアニメーションデータを記憶する記憶領域、ＢＧＭ（Back-Ground Music）や効果音に関するサウンドデータを記憶する記憶領域、光の点消灯のパターンに関するランプデータを記憶する記憶領域等の各種記憶領域が含まれる。
【０２２６】
サブＲＡＭ３９３は、決定された演出内容、演出データ等を登録する格納領域や、主制御回路４１から送信される内部当籤役等の各種データ等を格納する格納領域などを有する。
【０２２７】
また、サブＣＰＵ３９２は、演出内容により指定されたサウンドデータに従ってＢＧＭなどの音をスピーカ３６５Ｌ，３６５Ｒ等のスピーカにより出力させる。また、サブＣＰＵ３９２は、演出内容により指定されたランプデータに従ってＬＥＤ３８５等の光源の点灯及び消灯を制御する。
【０２２８】
本実施形態では、サブＣＰＵ３９２、レンダリングプロセッサ３９４、描画用ＲＡＭ（フレームバッファを含む）３９５及びドライバ３９６は、演出内容により指定されたアニメーションデータに従って映像を作成し、該作成した映像はプロジェクタ３８９により表示される。
【０２２９】
演出内容により指定されたアニメーションデータは、２次元用のアニメーションデータとしてロムカートリッジ基板３８６に記憶されている。サブＣＰＵ３９２、レンダリングプロセッサ３９４、描画用ＲＡＭ（フレームバッファを含む）３９５及びドライバ３９６は、所定の演出を行う場合に、２次元用のアニメーションデータを補正して３次元用の映像を作成し、該映像を専用の液晶パネルに表示する。
【０２３０】
＜主制御基板ケース＞
次に、パチスロ３０１が備える主制御基板ケース４０１の構成について、図２５〜図２８を参照して説明する。
図２５は、主制御基板ケース４０１の正面図である。図２６は、主制御基板ケース４０１の斜視図である。図２７は、主制御基板ケース４０１の分解斜視図である。主制御基板ケース４０１の第１部材をケースの内側から見た斜視図である。
【０２３１】
図２５〜図２７に示すように、主制御基板ケース４０１は、水平方向で互いに重ね合されて略長方形の筐体状に形成される第１部材４０２及び第２部材４０３から構成されている。この主制御基板ケース４０１には、主制御基板３７１が収容されている。上述したように、主制御基板ケース４０１は、ミドルドア３４１に固定されている。したがって、ミドルドア３４１が閉じた状態において、第１部材４０２と第２部材４０３は、外装体（遊技機本体）３０２の前後方向で対向している。
【０２３２】
第１部材４０２は、略長方形の板状に形成された正面部４０２ａと、正面部４０２ａの４つの辺にそれぞれ連続する上壁部４０２ｂ、下壁部４０２ｃ、左壁部４０２ｄ、右壁部４０２ｅを有している。これら正面部４０２ａ、上壁部４０２ｂ、下壁部４０２ｃ、左壁部４０２ｄ、右壁部４０２ｅは、本発明に係る第１部材本体の第２具体例を示す。
【０２３３】
正面部４０２ａは、外装体（遊技機本体）３０２の前後方向に直交する平面を有している。正面部４０２ａにおけるミドルドア３４１が閉じた状態において前方を向く面は、主制御基板ケース４０１の内面となり、第２部材４０３に取り付けられた主制御基板３７１の実装面に対向する。
【０２３４】
上壁部４０２ｂと下壁部４０２ｃは、上下方向で対向している。下壁部４０２ｃには、第１封印部４１２が設けられている。この第１封印部４１２は、第２部材４０３の後述する第２封印部４１６と接続され、第１部材４０２と第２部材４０３の結合状態を封印する。
【０２３５】
また、左壁部４０２ｄと右壁部４０２ｅは、ミドルドア３４１が閉じた状態において、外装体（遊技機本体）３０２の左右方向で対向している。左壁部４０２ｄには、第１封印部４１３と、封印用突部４１４（図２７参照）が設けられている。第１封印部４１３は、ミドルドア３４１に固定された第２封印部４２１と接続され、第１部材４０２（主制御基板ケース４０１）とミドルドア３４１の結合状態を封印する。
【０２３６】
図２７に示すように、封印用突部４１４は、適当な厚みを有する略矩形の板状に形成されており、左壁部４０２ｄから側方に突出している。封印用突部４１４には、２つのスリット４１４ａが設けられている。２つのスリット４１４ａは、左右方向（封印用突部４１４が左壁部４０２ｄから突出する方向）に延びており、一端が封印用突部４１４の先端面に開口している。
【０２３７】
第２部材４０３は、略長方形の板状に形成された背面部４０３ａと、背面部４０３ａの４つの辺にそれぞれ連続する上壁部４０３ｂ、下壁部４０３ｃ、左壁部４０３ｄ、右壁部４０３ｅを有している。これら背面部４０３ａ、上壁部４０３ｂ、下壁部４０３ｃ、左壁部４０３ｄ、右壁部４０３ｅは、本発明に係る第２部材本体の第２具体例を示す。
【０２３８】
背面部４０３ａの第１部材４０２に対向する面には、主制御基板３７１が固定ねじを用いて取り付けられている。この主制御基板３７１には、メインＲＯＭ５２や、電源コネクタや通信用コネクタ等が実装されている。
【０２３９】
上壁部４０３ｂと下壁部４０３ｃは、上下方向で対向している。下壁部４０３ｃには、第２封印部４１６が設けられている。第１部材４０２と第２部材４０３を重ね合わせた場合に、上壁部４０３ｂの外面には、第１部材４０２の上壁部４０２ｂが重なり、下壁部４０３ｃの外面には、第１部材４０２の下壁部４０２ｃが重なる。なお、互いに重ね合された第１部材４０２と第２部材４０３は、固定ねじを用いて締結されている。
【０２４０】
左壁部４０３ｄと右壁部４０３ｅは、ミドルドア５４１が閉じた状態において、外装体（遊技機本体）３０２の左右方向で対向している。左壁部４０３ｄには、封印用突部４１７が設けられている。封印用突部４１７は、適当な厚みを有する略矩形の板状に形成されており、左壁部４０３ｄから側方に突出している。封印用突部４１７には、２つのスリット４１７ａが設けられている。２つのスリット４１７ａは、左右方向（封印用突部４１７が左壁部４０３ｄから突出する方向）に延びており、一端が封印用突部４１７の先端面に開口している。
【０２４１】
第１部材４０２と第２部材４０３を重ね合わせた場合に、封印用突部４１４と封印用突部４１７が適当な距離を空けて対向する。また、２つのスリット４１４ａと２つのスリット４１７ａが対向する。封印用突部４１４，４１７間には、刃部を有する切断部材（不図示）が配置される。切断部材が封印用突部４１４，４１７から外れる方向（封印用突部４１４，４１７が左壁部４０２ｄ，４０３ｄから突出する方向）に移動すると、刃部がスリット４１４ａ，４１７ａを貫通しながら移動する。
【０２４２】
封印用突部４１４，４１７間に切断部材を配置した後に、封印用突部４１４，４１７には封印シール（不図示）が貼り付けられる。封印シールは、封印用突部４１４と封印用突部４１７に跨って貼り付けられ、スリット４１４ａ，４１７ａを覆う。封印シールが貼り付けられた封印用突部４１４，４１７は、カバー部材４１９によって覆われる。カバー部材４１９は、中空の略直方体状に形成されており、一面が開口されている。このカバー部材４１９は、封印用突部４１４，４１７を覆う大きさに形成されており、切断部材に係合する係合部を有している。
【０２４３】
カバー部材４１９を封印用突部４１４，４１７から離れるように左右方向へ移動させると、切断部材（不図示）がカバー部材４１９と共に移動する。そして、切断部材の刃部がスリット４１４ａ，４１７ａを貫通しながら移動して、封印シールを切断する。すなわち、第１部材４０２と第２部材４０３を開放するために、カバー部材４１９を取り外すと、封印シールが切断される。その結果、第１部材４０２と第２部材４０３の結合状態を解除したことを示す痕跡を残すことができる。
【０２４４】
図２８に示すように、第１部材４０２の正面部４０２ａにおける前方を向く面（内面）において、主制御基板３７１に実装されたメインＲＯＭ５２と対向する位置には、ＲＯＭ用壁４１５が設けられている。このＲＯＭ用壁４１５は、正面部４０２ａにおける前方を向く面（内面）に連続して略垂直に突出しており、メインＲＯＭ５２を囲う大きさの枠状に形成されている。ＲＯＭ用壁４１５は、第１部材４０２と第２部材４０３が重ね合されると、メインＲＯＭ５２を囲う。これにより、メインＲＯＭ５２に対して不正に接触することが困難になり、メインＲＯＭ５２に対する不正行為を防止或いは抑制することができる。
【０２４５】
［第１封印部］
次に、第１封印部４１２，４１３について説明する。第１封印部４１２，４１３は、第１の実施形態に係る第１封印部２１２と同様の構成を有しており、異なる点は、第１封印部２１２が係合溝２２７を有しており、第１封印部４１２，４１３が係合溝２２７を有していない点である。そのため、ここでは、第１の実施形態と共通する部分には、同一の符号を付して重複した説明を省略する。
【０２４６】
［第２封印部］
次に、第２封印部４１６，４２１の構成について、図２９〜図３２を参照して説明する。
図２９は、第２封印部４２１の分解斜視図である。図３１は、第２封印部４２１における封印カバーの斜視図である。図３２は、第２封印部４２１における封印用係合部材の正面図である。
【０２４７】
第２部材４０３の下壁部４０３ｃに設けた第２封印部４１６と、ミドルドア３４１に固定される第２封印部４２１は、同様の構成を有している。そのため、ここでは、第２封印部４２１について説明し、第２封印部４１６についての説明を省略する。
【０２４８】
図２９に示すように、第２封印部４２１は、封印ベース４７１と、封印カバー４７２と、封印ベース４７１と封印カバー４７２に挟まれて固定される封印用係合部材４７３とを有する。封印ベース４７１と封印カバー４７２は、本発明に係る第２封印部本体の第２の具体例を示す。
【０２４９】
封印ベース４７１は、長方形の直方体状に形成されており、第１封印部４１３（図２６参照）に対向する略長方形の第１の面４７１ａを有している。封印ベース４７１の第１の面４７１ａには、防護壁４７７が設けられている。防護壁４７７は、第１の面４７１ａの１つの長辺と１つの短辺に連続しており、第１の面４７１ａから略垂直に突出している。
【０２５０】
また、第１の面４７１ａには、第１凹部４７４と、第２凹部４７５と、２つの第３凹部４７６とを有している。第１凹部４７４は、第１の面４７１ａの大部分に設けられた略長方形に形成されている。この第１凹部４７４には、封印カバー４７２が配置される。また、第１凹部４７４は、封印カバー４７２と溶着される溶着部分となる。
【０２５１】
第２凹部４７５は、第１凹部４７４の底面に設けられており、略長方形に形成されている。第２凹部４７５には、凸部４７８と、２つのベース側係合部４７９が設けられている。この第２凹部４７５には、封印用係合部材４７３が配置される。
【０２５２】
凸部４７８は、第２凹部４７５の底面における中央に配置されており、第２凹部４７５の底面から略垂直に延びる円柱状に形成されている。この凸部４７８の先端部は、先端に向かうにつれて細くなるようにテーパー状に形成されている。凸部４７８は、封印用係合部材４７３の後述する位置決め用貫通孔４９７ａを貫通し、封印カバー４７２の後述する嵌合凹部４９１に嵌合する。
【０２５３】
２つのベース側係合部４７９は、それぞれ第２凹部４７５の短辺に連続する四角形の凹部を設けることにより形成されている。２つのベース側係合部４７９には、封印用係合部材４７３の後述する２つの折り曲げ係合部４９８が係合する。また、第２凹部４７５の底面は、封印用係合部材４７３の後述する複数の係合片４９９の一部に当接する当接部としての役割を有する。
【０２５４】
２つの第３凹部４７６は、第２凹部４７５の底面に設けられており、それぞれ略長方形に形成されている。２つの第３凹部４７６は、第１の面４７１ａの長辺に沿う方向に所定の距離を空けて並んでおり、凸部４７８を挟んで配置されている。２つの第３凹部４７６の底面には、２つのピン用凹部４８１が設けられている。２つのピン用凹部４８１には、第１封印部４１３を貫通した封印ピン２３０が挿入される。
【０２５５】
図２９及び図３０に示すように、封印カバー４７２は、適当な厚みを有する略長方形の板体からなり、第１封印部４１３を貫通した封印ピン２３０が挿通する２つのピン挿通孔４８５を有している。２つのピン挿通孔４８５は、封印ベース４７１の２つのピン用凹部４８１に対向する。
【０２５６】
封印カバー４７２の封印ベース４７１に対向する面には、３つのスペーサ突部４８６，４８７，４８８と、嵌合凹部４９１と、２つの変形抑制部４９２と、溶着用突部４９３と、２つの仕切り突部４９４とが設けられている。
【０２５７】
スペーサ突部４８６は、封印カバー４７２の長手方向の中央に配置され、スペーサ突部４８７，４８８は、封印カバー４７２の長手方向の両端部に配置されている。３つのスペーサ突部４８６，４８７，４８８は、それぞれ封印カバー４７２の短手方向に延びる突条に形成されており、封印用係合部材４７３の後述する本体板４９７に当接する。
【０２５８】
嵌合凹部４９１は、スペーサ突部４８６に設けられており、円形に形成されている。この嵌合凹部４９１には、封印ベース４７１の凸部４７８（図２９参照）が嵌合する。なお、嵌合凹部４９１における開口側の周縁部は、凸部４７８の嵌合を案内するためにテーパー状に形成されている。
【０２５９】
２つの変形抑制部４９２は、３つのスペーサ突部４８６，４８７，４８８間に配置されており、封印カバー４７２の封印ベース４７１に対向する面から略垂直に延びる円筒状に形成されている。２つの変形抑制部４９２の高さは、３つのスペーサ突部４８６，４８７，４８８の高さと等しい。
【０２６０】
また、２つの変形抑制部４９２の内径は、２つのピン挿通孔４８５の径と一致しており、また、両者の中心が一致している。そのため、２つの変形抑制部４９２は、封印ピン２３０の挿通方向への移動を案内するガイド部としての役割を有する。２つの変形抑制部４９２には、封印用係合部材４７３の後述する複数の係合片４９９が当接する。
【０２６１】
溶着用突部４９３は、封印カバー４７２の封印ベース４７１に対向する面から突出しており、３つのスペーサ突部４８６，４８７，４８８及び２つの変形抑制部４９２を囲む長方形の枠状に形成されている。溶着用突部４９３は、封印ベース４７１の第１凹部４７４の底面に当接する。封印ベース４７１と封印カバー４７２は、レーザー光や超音波等により第１凹部４７４の底面と溶着用突部４９３の境界面で熱を発生させることにより溶着される。
【０２６２】
２つの仕切り突部４９４は、スペーサ突部４８７，４８８と溶着用突部２９３との間に配置されており、封印カバー４７２の短手方向に延びる突条に形成されている。これら２つの仕切り突部４９４は、封印ベース４７１と封印カバー４７２を溶着した場合に、溶着用突部４９３における封印カバー２７２の短手方向に延びる部分と、封印用係合部材４７３との間に配置される。これにより、レーザー光を用いて溶着する場合に、レーザー光が封印用係合部材４７３に影響を及ぼさないようにすることができる。
【０２６３】
図２９及び図３１に示すように、封印用係合部材４７３は、板金材により形成されており、長方形の板体からなる本体板４９７（係合部材本体）と、本体板４９７に連続する２つの折り曲げ係合部４９８とを有している。本体板４９７は、封印ベース４７１の第２凹部４７５の底面と封印カバー２７２のスペーサ突部４８６，４８７，４８８等に挟まれる。
【０２６４】
本体板４９７には、位置決め用貫通孔４９７ａと、２つのピン貫通孔４９７ｂが形成されている。位置決め用貫通孔４９７ａは、本体板４９７の中央に配置されており、円形に形成されている。この位置決め用貫通孔４９７ａには、封印ベース４７１の凸部４７８が貫通する。
【０２６５】
２つのピン貫通孔４９７ｂは、本体板４９７の長手方向に並んでおり、封印カバー４７２の２つのピン挿通孔４８５に対向する。２つのピン貫通孔４９７ｂは、円形に形成されており、その径は、封印ピン２３０における胴部２３０ａの径よりも大きい。２つのピン貫通孔４９７ｂには、封印カバー４７２の２つのピン挿通孔４８５を貫通した封印ピン２３０の胴部２３０ａが貫通する。
【０２６６】
また、２つのピン貫通孔４９７ｂには、それぞれ複数の係合片４９９が設けられている。複数の係合片４９９は、ピン貫通孔４９７ｂの周縁部に連続しており、ピン貫通孔４９７ｂの中心に向かって突出している。複数の係合片４９９は、それぞれ弾性変形可能であり、封印ピン２３０のピン係合溝２３０ｃに係合して弾性変形する。また、弾性変形した複数の係合片４９９は、封印ピン２３０のピン貫通孔４９７ｂへの挿入方向と反対の方向への移動を規制する。
【０２６７】
複数の係合片４９９の先端は、封印ピン２３０の胴部２３０ａと同じ曲率の円弧状に形成されている。そして、複数の係合片４９９の先端は、ピン貫通孔４９７ｂと同心であり、封印ピン２３０の胴部２３０ａの径と同じ円よりもピン貫通孔４９７ｂの中心側に変位している。すなわち、複数の係合片４９９の先端は、ピン貫通孔４９７ｂと同心であり、封印ピン２３０の胴部２３０ａの径と同じ円の内側に配置されている。これにより、封印ピン２３０と複数の係合片４９９との係合が強固になり、封印ピン２３０のピン貫通孔４９７ｂからの抜け出しを防止することができる。
【０２６８】
また、根元部が本体板４９７の長辺側にある係合片４９９ａと、本体板４９７の長辺との間の距離は、根元部が本体板４９７の短辺側にある係合片４９９ｂと本体板４９７の短辺との間の距離よりも短い。このように、本体板４９７における係合片４９９の根元部に連続する部分が十分に確保されていない場合は、係合片４９９ａが根元部から折れ曲がるように弾性変形すると、本体板４９７に撓みや変形が生じてしまう虞がある。
【０２６９】
そこで、本実施の形態では、係合片４９９ａの根元側に、封印ベース４７１における第２凹部４７５の底面（図２９参照）を当接させる。これにより、係合片４９９ａは、先端と根元の中間で折り曲がるように弾性変形し、本体板４９７に撓みや変形が生じないようにすることができる。
【０２７０】
２つの折り曲げ係合部４９８は、本体板４９７の２つの短辺にそれぞれ連続し、本体板２９７の平面に対して略垂直に突出している。２つの折り曲げ係合部４９８は、封印ベース４７１の２つのベース側係合部４７９（図２９参照）に係合する。具体的には、２つの折り曲げ係合部２９８の互いに対向する面（折り曲げの内側の面）が、２つのベース側係合部４７９に係合する。
【０２７１】
２つの折り曲げ係合部４９８が２つのベース側係合部２８７に係合することより、封印ベース４７１に対して封印用係合部材４７３が位置決めされる。また、封印ベース４７１の凸部４７８が位置決め用貫通孔４９７ａを貫通して、封印カバー４７２の嵌合凹部４９１に嵌合することにより、封印カバー４７２に対して封印用係合部材４７３が位置決めされる。その結果、封印用係合部材４７３の位置決めを容易に行うことができる。
【０２７２】
本実施形態では、複数の係合片４９９の先端を封印ピン２３０の胴部２３０ａと同じ曲率の円弧状に形成した。しかし、本発明に係る複数の係合片の先端は、封印ピン（封印子）の胴部と同じ曲率の円弧状であることに限定されず、封印子と係合が可能な円弧状であれば、その曲率を任意に設定することができる。すなわち、封印ピン（封印子）の係合溝が設けられている部分に対応して曲率の円弧状に設定することができる。例えば、本発明に係る複数の係合片の先端としては、複数の係合片が封印ピン（封印子）に押圧されて弾性変形した場合に、封印ピン（封印子）の係合溝に沿うような円弧状に設定してもよい。
【０２７３】
また、本実施形態では、複数の係合片４９９の先端を、ピン貫通孔４９７ｂと同心であり、封印ピン２３０の胴部２３０ａの径と同じ円の内側に配置した。しかし、本発明に係る複数の係合片の先端は、ピン貫通孔と同心であり、封印ピンの胴部の径と同じ円上に配置してもよい。また、本発明に係る複数の係合片の先端は、封印ピンの胴部よりも小さい曲率の円弧状に形成し、ピン貫通孔と同心であり、封印ピンの胴部の径と同じ円の内側に配置してもよい。
【０２７４】
［第１封印部と第２封印部の接続］
次に、第１封印部４１２と第２封印部４１６の接続について、図３２を参照して説明する。
図３２は、図２５に示すＣ−Ｃ線断面図である。
【０２７５】
図３２に示すように、第１封印部４１２と第２封印部４１６とを接続する前において、封印ピン２３０は、ピン収容筒２２４Ａ，２２４Ｂ内である待機位置に配置されている。待機位置において、封印ピン２３０における胴部２３０ａの先端部は、ピン収容筒２２４Ａ，２２４Ｂに設けた複数のピン保持部２２９に保持されており、封印ピン２３０の頭部２３０ｂは、封印蓋２２２と係合している。そして、封印ピン２３０の軸は、外装体（遊技機本体）３０２の前後方向（水平方向）に略平行になっている。
【０２７６】
本実施形態では、封印ベース４７１の第１凹部４７４に封印カバー４７２を配置し、第１凹部４７４の底面に設けた第２凹部４７５に封印用係合部材４７３を配置した。そして、封印カバー４７２の溶着用突部４９３と第１凹部４７４の底面を溶着した。これにより、封印ベース４７１と封印カバー４７２との溶着部分と、封印用係合部材４７３との間に所定の距離の間隙を設けることができ、溶着部分が板金に影響を及ぼさないようにすることができる。また、スペーサ突部４８６，４８７，４８８が封印用係合部材４７３の本体板４９７に当接するため、第２凹部４７５に配置した封印用係合部材４７３がずれないようにすることができる。
【０２７７】
封印ピン２３０によって第１封印部４１２と第２封印部４１６を接続する場合は、待機位置に配置された封印ピン２３０の頭部２３０ｂを工具等で押圧する。工具等は、封印蓋２２２に設けた貫通孔２５３を貫通して封印ピン２３０の頭部２３０ｂに接触させることができる。
【０２７８】
頭部２３０ｂを押圧された封印ピン２３０は、複数のピン保持部２２９に抗して、前後方向（水平方向）に平行な軸方向に移動する。そして、封印ピン２３０は、第２封印部４１６（封印カバー４７２）のピン挿通孔４８５及び封印用係合部材４７３のピン貫通孔４９７ｂを貫通する。このとき、封印用係合部材４７３の複数の係合片４９９が、封印ピン２３０のピン係合溝２３０ｃに係合し、封印ピン２３０の挿通方向に押圧されて弾性変形する。これにより、封印ピン２３０の挿入方向と反対の方向への移動が係止される。
【０２７９】
そして、封印ピン２３０の頭部２３０ｂがピン収容筒２２４Ａ，２２４Ｂの底部に当接すると、第１封印部２１２と第２封印部２１６との接続が完了し、第１部材４０２と第２部材４０３の結合状態が封印される。
【０２８０】
なお、本実施形態では、１つの封印部（第１封印部４１２と第２封印部４１６）に２つの封印ピンを用いているが、２つの封印ピン２３０のうちの１つは、予備である。そのため、第１封印部４１２と第２封印部４１６との接続は、１つの封印ピン２３０によって行われる。
３.第３の実施形態
次に、本発明の第３の実施形態を示す遊技機であるパチスロについて、図３３〜図５２を参照しながら説明する。
【０２８１】
＜パチスロの構造＞
まず、図３３〜図３７を参照して、第３の実施形態におけるパチスロの構造について説明する。
［外観構造］
図３３は、パチスロ５０１の外部構造を示す斜視図である。
【０２８２】
パチスロ５０１の外装体５０２は、リールや回路基板等を収容するキャビネット５０２ａと、キャビネット５０２ａに対して開閉可能に取り付けられるフロントドア５０２ｂとを有している。
キャビネット５０２ａの両側面には、把手７が設けられている。この把手５０７は、パチスロ５０１を運搬するときに手をかける凹部である。
【０２８３】
キャビネット５０２ａの内部には、３つのリール５０３Ｌ，５０３Ｃ，５０３Ｒが横並びに設けられている。以下、各リール５０３Ｌ，５０３Ｃ，５０３Ｒを、それぞれ左リール５０３Ｌ、中リール５０３Ｃ、右リール５０３Ｒという。各リール５０３Ｌ，５０３Ｃ，５０３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【０２８４】
フロントドア５０２ｂの中央よりも上側には、上パネルユニット５１０と、液晶表示装置５１１が設けられている。上パネルユニット５１０は、フロントドア５０２ｂの上部を形成している。この上パネルユニット５１０は、光源を有しており、光源から出射される光による演出を実行する。液晶表示装置５１１は、上パネルユニット５１０の下側に配置されており、映像の表示による演出を実行する。
【０２８５】
フロントドア５０２ｂの中央には、台座部５１２が形成されている。この台座部５１２には、図柄表示領域５０４と、遊技者による操作の対象となる各種装置が設けられている。
【０２８６】
図柄表示領域５０４は、正面から見て３つのリール５０３Ｌ，５０３Ｃ，５０３Ｒに重畳する手前側に配置されており、３つのリール５０３Ｌ，５０３Ｃ，５０３Ｒに対応して設けられている。この図柄表示領域５０４は、表示窓としての機能を果たすものであり、その背後に設けられた各リール５０３Ｌ，５０３Ｃ，５０３Ｒを透過することが可能な構成になっている。以下、図柄表示領域５０４を、リール表示窓５０４という。
【０２８７】
リール表示窓５０４は、その背後に設けられたリール５０３Ｌ，５０３Ｃ，５０３Ｒの回転が停止されたとき、各リール５０３Ｌ，５０３Ｃ，５０３Ｒの複数種類の図柄のうち、その枠内における上段、中段及び下段の各領域にそれぞれ１個の図柄（合計で３個）を表示する。本実施の形態では、リール表示窓５０４の各リール５０３Ｌ，５０３Ｃ，５０３Ｒに対向する上段、中段及び下段からなる３つの領域のうち予め定められたいずれかをそれぞれ組合せてなる擬似的なラインを、入賞か否かの判定を行う対象となるライン（入賞判定ライン）として定義する。
【０２８８】
リール表示窓５０４は、台座部５１２に設けられた枠部材５１３により形成されている。この枠部材５１３は、リール表示窓５０４と、情報表示窓５１４と、ストップボタン取付部５１５を有している。
【０２８９】
情報表示窓５１４は、リール表示窓５０４の下部に連続して設けられており、上方に向かって開口している。すなわち、リール表示窓５０４と情報表示窓５１４は、連続する１つの開口部として形成されている。この情報表示窓５１４及びリール表示窓５０４は、透明の窓カバー５１６によって覆われている。
【０２９０】
窓カバー５１６は、枠部材５１３の内面側に配置されており、フロントドア５０２ｂの前面側から取り外し不可能になっている。また、枠部材５１３は、窓カバー５１６を挟んで情報表示窓５１４の開口に対向するシート載置部５１７を有している。そして、シート載置部５１７と窓カバー５１６との間には、遊技に関する情報が記載されたシート部材（情報シート）が配置されている。したがって、情報シートは、凹凸や隙間の無い滑らかな表面を有する窓カバー５１６により覆われている。
【０２９１】
情報シートの取付部を構成する窓カバー５１６は、フロントドア５０２ｂの前面側から取り外し不可能であり、凹凸や隙間の無い滑らかな表面であるため、情報シートの取付部を利用して、パチスロ５０１の内部にアクセスする不正行為を防ぐことができる。
なお、情報シートの交換については、後で図４を参照して説明する。
【０２９２】
本実施の形態では、リール表示窓５０４と情報表示窓５１４を、連続する１つの開口部として形成した。しかし、本発明の遊技機に係る情報表示窓は、リール表示窓の下方に設けられていればよく、リール表示窓に連続していなくてもよい。すなわち、本発明の遊技機に係るリール表示窓と情報表示窓は、上下方向に並ぶ２つの開口部として形成してもよい。
【０２９３】
ストップボタン取付部５１５は、情報表示窓５１４の下方に設けられており、正面を向いた平面に形成されている。このストップボタン取付部５１５には、ストップボタン５１９Ｌ，５１９Ｃ，５１９Ｒが貫通する貫通孔が設けられている。ストップボタン５１９Ｌ，５１９Ｃ，５１９Ｒは、３つのリール５０３Ｌ，５０３Ｃ，５０３Ｒのそれぞれに対応づけられ、対応するリールの回転を停止するために設けられる。以下、ストップボタン５１９Ｌ，５１９Ｃ，５１９Ｒを、それぞれ左ストップボタン５１９Ｌ、中ストップボタン５１９Ｃ、右ストップボタン５１９Ｒという。
【０２９４】
ストップボタン５１９Ｌ，５１９Ｃ，５１９Ｒは、遊技者による操作の対象となる各種装置の一例を示す。また、台座部５１２には、遊技者による操作の対象となる各種装置として、メダル投入口５２１、ＢＥＴボタン５２２、スタートレバー５２３が設けられている。
【０２９５】
メダル投入口５２１は、遊技者によって外部から投下されるメダルを受け入れるために設けられる。メダル投入口５２１に受け入れられたメダルは、予め定められた規定数を上限として１回の遊技に投入されることとなり、規定数を超えた分はパチスロ５０１の内部に預けることが可能となる（いわゆるクレジット機能）。
【０２９６】
ＢＥＴボタン５２２は、パチスロ５０１の内部に預けられているメダルから１回の遊技に投入する枚数を決定するために設けられる。スタートレバー５２３は、全てのリール（５０３Ｌ，５０３Ｃ，５０３Ｒ）の回転を開始するために設けられる。
【０２９７】
また、正面から見てリール表示窓５０４の左側方には、７セグメントＬＥＤ（Light Emitting Diode）からなる７セグ表示器６が設けられている。この７セグ表示器６は、特典として遊技者に対して払い出すメダルの枚数（以下、払出枚数）、パチスロ内部に預けられているメダルの枚数（以下、クレジット枚数）等の情報をデジタル表示する。
【０２９８】
台座部５１２におけるスタートレバー５２３の側方には、精算ボタン５２７が設けられている。この精算ボタン５２７は、パチスロ５０１の内部に預けられているメダルを外部に引き出すために設けられる。また、台座部５１２の下方には、腰部パネルユニット５３１が設けられている。腰部パネルユニット５３１は、任意の画像が描かれた装飾パネルと、この装飾パネルを背面側から照明するための光を出射する光源を有している。
【０２９９】
腰部パネルユニット５３１の下方には、メダル払出口５３２と、スピーカ用孔５３３Ｌ，５３３Ｒと、メダルトレイユニット５３４が設けられている。メダル払出口５３２は、後述のホッパー装置３５１の駆動により排出されるメダルを外部に導く。メダル払出口５３２から排出されたメダルは、メダルトレイユニット５３４に貯められる。スピーカ用孔５３３Ｌ，５３３Ｒは、演出内容に応じた効果音や楽曲等の音を出力するために設けられている。
【０３００】
［内部構造］
図３４及び図３５は、パチスロ５０１の内部構造を示す斜視図である。この図３４では、フロントドア５０２ｂが開放され、フロントドア５０２ｂの裏面側に設けられたミドルドア５４１がフロントドア５０２ｂに対して閉じた状態を示している。また、図３５では、フロントドア５０２ｂが開放され、ミドルドア５４１がフロントドア５０２ｂに対して開いた状態を示している。
また、図３６は、キャビネット５０２ａの内部を示す説明図である。図３７は、フロントドア５０２ｂの裏面側を示す説明図である。
【０３０１】
キャビネット５０２ａは、上面板５２０ａと、底面板５２０ｂと、左右の側面板５２０ｃ，５２０ｄと、背面板５２０ｅを有している（図３６参照）。キャビネット５０２ａ内部の上側には、キャビネット側スピーカ５４２が配設されている。このキャビネット側スピーカ５４２は、取付ブラケット５４３Ｌ，５４３Ｒを介してキャビネット５０２ａの背面板５２０ｅに取り付けられている。キャビネット側スピーカ５４２は、例えば、効果音を出力するためのスピーカである。
【０３０２】
キャビネット５０２ａ内部を正面から見て、キャビネット側スピーカ５４２の左側方には、キャビネット側中継基板５４４が配設されている。このキャビネット側中継基板５４４は、キャビネット５０２ａの左側面板５２０ｃに取り付けられている。キャビネット側中継基板５４４は、ミドルドア５４１（図３４及び図３５参照）に取り付けられた後述する主制御基板３７１（図７参照）と、ホッパー装置３５１、メダル補助収納庫スイッチ（不図示）、メダル払出カウントスイッチ（不図示）とを接続する配線の中継を行う。
【０３０３】
キャビネット５０２ａ内部の中央部には、キャビネット側スピーカ５４２による音の出力を制御するアンプ基板５４５が配設されている。このアンプ基板５４５は、左右の側面板５２０ｃ，５２０ｄに固定された取付棚５４６に取り付けられている。
【０３０４】
また、キャビネット５０２ａ内部を正面から見て、アンプ基板５４５の右側には、外部集中端子板５４７が配設されている。この外部集中端子板５４７は、キャビネット５０２ａの右側面板５２０ｄに取り付けられている。外部集中端子板５４７は、メダル投入信号、メダル払出信号及びセキュリティー信号などの信号をパチスロ５０１の外部へ出力するために設けられている。
【０３０５】
キャビネット５０２ａ内部を正面から見て、アンプ基板５４５の左側には、サブ電源装置５４８が配設されている。このサブ電源装置５４８は、キャビネット５０２ａの左側面板５２０ｃに取り付けられている。サブ電源装置５４８は、交流電圧１００Ｖの電力を後述する電源装置３５３に供給する。また、交流電圧１００Ｖの電力を直流電圧の電力に変換して、アンプ基板５４５に供給する。
【０３０６】
キャビネット５０２ａの内部の下側には、メダル払出装置（以下、ホッパー装置）３５１と、メダル補助収納庫３５２と、電源装置３５３が配設されている。
【０３０７】
ホッパー装置３５１は、キャビネット５０２ａにおける底面板５２０ｂの中央部に取り付けられている。このホッパー装置３５１は、多量のメダルを収容可能であり、それらを１枚ずつ排出可能な構造を有する。ホッパー装置３５１は、貯留されたメダルが例えば５０枚を超えたとき、又は精算ボタンが押圧されてメダルの精算を行うときに、メダルを払い出す。ホッパー装置３５１によって払い出されたメダルは、メダル払出口５３２（図３３参照）から排出される。
【０３０８】
メダル補助収納庫３５２は、ホッパー装置３５１から溢れ出たメダルを収納する。このメダル補助収納庫３５２は、キャビネット５０２ａ内部を正面から見て、ホッパー装置３５１の右側に配置されている。メダル補助収納庫３５２は、キャビネット５０２ａの底面板５２０ｂに係合されており、底面板５２０ｂに対して着脱可能に構成されている。
【０３０９】
電源装置３５３は、電源スイッチ３５３ａと、電源基板３５３ｂを有している（図３８参照）。この電源装置３５３は、キャビネット５０２ａ内部を正面から見て、ホッパー装置３５１の左側に配置されており、左側面板５２０ｃに取り付けられている。電源装置３５３は、サブ電源装置５４８から供給された交流電圧１００Ｖの電力を各部で必要な直流電圧の電力に変換して、変換した電力を各部へ供給する。
【０３１０】
図３４，図３５及び図３７に示すように、ミドルドア５４１は、フロントドア５０２ｂの裏面における中央部に配置され、リール表示窓５０４（図３５参照）を裏側から開閉可能に構成されている。ミドルドア５４１の上部と下部には、ドアストッパ５４１ａ，５４１ｂ，５４１ｃが設けられている。このドアストッパ５４１ａ，５４１ｂ，５４１ｃは、リール表示窓５０４を裏側から閉じた状態のミドルドア５４１の開動作を固定（禁止）する。すなわち、ミドルドア５４１を開くには、ドアストッパ５４１ａ，５４１ｂ，５４１ｃを回転させてミドルドア５４１の固定を解除する必要がある。
【０３１１】
ミドルドア５４１には、主制御基板３７１（図３８参照）を収納した主制御基板ケース６０１と、３つのリール５０３Ｌ，５０３Ｃ，５０３Ｒが取り付けられている。３つのリール５０３Ｌ，５０３Ｃ，５０３Ｒには、所定の減速比をもったギアを介してステッピングモータが接続されている。
【０３１２】
図３５に示すように、ミドルドア５４１を開くと、窓カバー５１６の裏面とシート載置部５１７が露出される。上述したように、窓カバー５１６の裏面とシート載置部５１７との間には、遊技に関する情報が記載された情報シートが配置されている。この情報シートは、ミドルドア５４１を開いて窓カバー５１６の裏面とシート載置部５１７を露出させた状態で、窓カバー５１６の裏面とシート載置部５１７との間に形成された間隙に挿入される。また、情報シートを交換する場合も、ミドルドア５４１を開いてから情報シートの交換作業が行われる。
【０３１３】
主制御基板ケース６０１には、設定用鍵型スイッチ３５７が設けられている。この設定用鍵型スイッチ３５７は、パチスロ５０１の設定を変更もしくはパチスロ５０１の設定の確認を行うときに使用する。
本実施の形態では、主制御基板ケース６０１と、この主制御基板ケース６０１に収納された主制御基板３７１により、主制御基板ユニットが構成されている。
【０３１４】
主制御基板ケース６０１に収納された主制御基板３７１は、主制御回路４１を構成する。主制御回路４１は、内部当籤役の決定、リール５０３Ｌ，５０３Ｃ，５０３Ｒの回転及び停止、入賞の有無の判定といった、パチスロ５０１における遊技の主な流れを制御する回路である。主制御回路４１の具体的な構成は、第１の実施形態の主制御回路４１と同じである。
【０３１５】
ミドルドア５４１の上方には、副制御基板３７２を収容する副制御基板ケース５５７が配設されている。副制御基板ケース５５７に収納された副制御基板３７２は、副制御回路３９１を構成する。この副制御回路３９１は、映像の表示等による演出の実行を制御する回路であり、具体的な構成は第２の実施形態と同じである。
【０３１６】
副制御基板ケース５５７の上方には、ファン５５９が配設されている。つまり、ファン５５９は、フロントドア５０２ｂの裏面側における上部に配設されている。このファン５５９は、下向きに空気を送風し、パチスロ５０１の内部を空冷する。
【０３１７】
フロントドア５０２ｂを裏面側から見て、副制御基板ケース５５７の右側方には、副中継基板６１が配設されている。この副中継基板３６１は、副制御基板３７２と主制御基板３７１とを接続する配線を中継する。また、副制御基板３７２と副制御基板３７２の周辺に配設された基板とを接続する配線を中継する基板である。なお、副制御基板３７２の周辺に配設される基板としては、後述するＬＥＤ基板３６２（図３８参照）が挙げられる。
【０３１８】
ＬＥＤ基板３６２は、副制御回路３９１の制御により実行される演出に応じて、光源の一具体例を示すＬＥＤ（Light Emitting Diode）３８５（図３８参照）を発光させて、点滅パターンを表示する。なお、本実施の形態のパチスロ５０１には、ＬＥＤ基板３６２以外に複数のＬＥＤ基板を備えている。
【０３１９】
副中継基板３６１の下方には、２４ｈドア開閉監視ユニット３６３が配設されている。この２４ｈドア開閉監視ユニット３６３は、ミドルドア５４１の開閉の履歴を保存する。また、ミドルドア５４１を開放したときに、液晶表示装置５１１にエラー表示を行うための信号を副制御基板３７２（副制御回路３９１）に出力する。
【０３２０】
ミドルドア５４１の下方には、下部スピーカ３６５Ｌ，３６５Ｒが配設されている。下部スピーカ３６５Ｌ，３６５Ｒは、それぞれスピーカ用孔３３Ｌ，３３Ｒ（図３３参照）に対向している。
【０３２１】
下部スピーカ３６５Ｌの上方には、セレクタ３６６と、ドア開閉監視スイッチ３６７が配設されている。セレクタ３６６は、メダルの材質や形状等が適正であるか否かを選別する装置であり、メダル投入口５２１に投入された適正なメダルをホッパー装置３５１へ案内する。セレクタ３６６内においてメダルが通過する経路上には、適正なメダルが通過したことを検出するメダルセンサ（不図示）が設けられている。
【０３２２】
ドア開閉監視スイッチ３６７は、フロントドア５０２ｂを裏面側から見て、セレクタ３６６の左側方に配置されている。このドア開閉監視スイッチ３６７は、パチスロ５０１の外部へ、フロントドア５０２ｂの開閉を報知するためのセキュリティー信号を出力する。
【０３２３】
また、リール表示窓５０４の下方であってミドルドア５４１により開閉される領域には、ドア中継端子板３６８が配設されている（図３５参照）。このドア中継端子板３６８は、主制御基板ケース６０１内の主制御基板３７１（図３８参照）と、各種のボタンやスイッチ、副制御基板３７２（図３８参照）、セレクタ３６６及び遊技動作表示基板３８１（図３８参照）との配線を中継する基板である。なお、各種のボタン及びスイッチとしては、例えば、ＢＥＴボタン５２２、精算ボタン５２７、ドア開閉監視スイッチ３６７、ＢＥＴスイッチ３７７、スタートスイッチ３７９等を挙げることができる。
【０３２４】
＜パチスロが備える制御系＞
次に、パチスロ５０１が備える制御系について、図３８を参照して説明する。
図３８は、パチスロ５０１の制御系を示すブロック図である。
【０３２５】
パチスロ５０１の制御系は、第２の実施形態に係るパチスロ３０１の制御系と同様であり、異なる点は、ロムカートリッジ基板５８６と、液晶中継基板５８７である。そのため、ここでは、ロムカートリッジ基板５８６と、液晶中継基板５８７について説明し、第２の実施形態と共通する部分には、同一の符号を付して重複した説明を省略する。
【０３２６】
また、副制御基板３７２には、ロムカートリッジ基板５８６と、液晶中継基板５８７が接続されている。これらロムカートリッジ基板５８６及び液晶中継基板５８７は、副制御基板３７２と共に副制御基板ケース５５７に収納されている。
ロムカートリッジ基板５８６は、演出用の画像（映像）、音声、ＬＥＤ基板３６２及びその他のＬＥＤ基板（不図示）、通信のデータを管理するための基板である。液晶中継基板５８７は、副制御基板３７２と液晶表示装置５１１とを接続する配線を中継する基板である。
【０３２７】
＜主制御回路＞
主制御回路４１の具体的な構成は、第１の実施形態（図５参照）と同じである。そのため、主制御回路４１についての説明は省略する。
【０３２８】
＜副制御回路＞
副制御回路３９１の構成は、第２の実施形態（図２４参照）と同じである。そのため、副制御回路３９１についての説明は省略する。
【０３２９】
＜主制御基板ケース＞
次に、パチスロ５０１が備える主制御基板ケース６０１の構成について、図３９〜図４３を参照して説明する。
図３９は、主制御基板ケース６０１の上面図である。図４０は、主制御基板ケース６０１を上方から見た斜視図である。図４１は、主制御基板ケース６０１を下方から見た斜視図である。図４２は、主制御基板ケースの分解斜視図である。図４３は、主制御基板ケース６０１の第１部材をケースの内側から見た斜視図である。
【０３３０】
図３９〜図４３に示すように、主制御基板ケース６０１は、上下方向で互いに重ね合されて略長方形の筐体状に形成される第１部材６０２及び第２部材６０３から構成されている。この主制御基板ケース６０１には、主制御基板３７１が収容されている。
【０３３１】
第１部材６０２は、略長方形の板状に形成された上面部６０２ａと、上面部６０２ａの４つの辺にそれぞれ連続する前壁部６０２ｂ、後壁部６０２ｃ、左壁部６０２ｄ、右壁部６０２ｅを有している。これら上面部６０２ａ、前壁部６０２ｂ、後壁部６０２ｃ、左壁部６０２ｄ、右壁部６０２ｅは、本発明に係る第１部材本体の第３具体例を示す。
【０３３２】
前壁部６０２ｂと後壁部６０２ｃは、ミドルドア５４１が閉じた状態において、外装体（遊技機本体）５０２の前後方向で対向している。後壁部６０２ｃには、第１封印部６１２，６１３が設けられている。第１封印部６１２は、第２部材６０３の後述する第２封印部６２６と接続され、第１部材６０２と第２部材６０３の結合状態を封印する。また、第１封印部６１３は、ミドルドア５４１に固定された第２封印部６５１と接続され、第１部材６０２（主制御基板ケース４０１）とミドルドア５４１の結合状態を封印する。
【０３３３】
また、左壁部６０２ｄと右壁部６０２ｅは、ミドルドア５４１が閉じた状態において、外装体（遊技機本体）５０２の左右方向で対向している。左壁部４０２ｄには、第１シール貼付け部６１４（図４２及び図４３参照）が設けられている。第１シール貼付け部６１４は、第２部材４０３の後述する第２シール貼付け部６２８と接合され、後述のシール貼付け面６３０（図４４参照）を形成する。
【０３３４】
右壁部６０２ｅには、複数のコネクタ用開口部（不図示）が形成されている。複数のコネクタ用開口部は、主制御基板３７１に実装された電源コネクタや通信用コネクタ等のコネクタを露出させる。また、右壁部６０２ｅには、複数のコネクタ用開口部を開閉可能に覆うコネクタ用カバー６１５が回動可能に取り付けられている。
【０３３５】
上面部６０２ａは、上下方向に直交する平面を有している。上面部６０２ａにおける下方を向く面は、主制御基板ケース６０１の内面となり、第２部材４０３に取り付けられた主制御基板３７１の実装面に対向する。
【０３３６】
図４３に示すように、上面部６０２ａの下方を向く面（内面）には、スイッチ用ブラケット６２１（図４２参照）が固定される２つのボス部６１６（図４３では１つを示す）が設けられている。上面部６０２ａには、スイッチ用ブラケット６２１を介して設定用鍵型スイッチ３５７が取り付けられる。したがって、第１部材６０２と第２部材６０３を重ね合わせて主制御基板ケース６０１を組み立てると、設定用鍵型スイッチ３５７が主制御基板ケース６０１内に配置される。
【０３３７】
また、上面部６０２ａの下方を向く面（内面）において、主制御基板３７１に実装されたメインＲＯＭ５２と対向する位置には、ＲＯＭ用壁６１７が設けられている。このＲＯＭ用壁６１７は、上面部６０２ａの下方を向く面（内面）に連続して略垂直に突出しており、メインＲＯＭ５２を囲う大きさの枠状に形成されている。ＲＯＭ用壁６１７は、第１部材６０２と第２部材６０３が重ね合わせて主制御基板ケース６０１を組み立てると、メインＲＯＭ５２を囲う。これにより、メインＲＯＭ５２に対して不正に接触することが困難になり、メインＲＯＭ５２に対する不正行為を防止或いは抑制することができる。
【０３３８】
上面部６０２ａの上方を向く面（外面）には、一対の軸受け部６１８，６１９が設けられている。一対の軸受け部６１８，６１９は、上面部６０２ａに連続して一体に形成されており、上面部６０２ａの上方を向く面（外面）から突出している。そして、上面部６０２ａにおける一対の軸受け部６１８，６１９間には、設定用鍵型スイッチ３５７の鍵穴を露出すためのスイッチ用貫通孔６０８が設けられている。
【０３３９】
また、上面部６０２ａには、スイッチ用貫通孔６０８を開閉するスイッチカバー６２２が回動可能に取り付けられている。スイッチカバー６２２の回動軸は、一対の軸受け部６１８，６１９に回転可能に支持されている。なお、一対の軸受け部６１８，６１９は、スイッチカバー６２２の回動軸に直交する側面と、回動軸と平行であって回動軸から遠い方の側面の一部に対向する略Ｌ字状に形成されている。
【０３４０】
第２部材６０３は、略長方形の板状に形成された底面部６０３ａと、底面部６０３ａの４つの辺にそれぞれ連続する前壁部６０３ｂ、後壁部６０３ｃ、左壁部６０３ｄ、右壁部６０３ｅを有している。これら底面部６０３ａ、前壁部６０３ｂ、後壁部６０３ｃ、左壁部６０３ｄ、右壁部６０３ｅは、本発明に係る第２部材本体の第３具体例を示す。
【０３４１】
前壁部６０３ｂと後壁部６０３ｃは、ミドルドア５４１が閉じた状態において、外装体（遊技機本体）５０２の前後方向で対向している。後壁部６０３ｃには、第２封印部６２６が設けられている。なお、第２封印部６２６の側方には、ミドルドア５４１（図３７参照）に固定された第２封印部６５１が配置される。
【０３４２】
左壁部６０３ｄと右壁部６０３ｅは、ミドルドア５４１が閉じた状態において、外装体（遊技機本体）５０２の左右方向で対向している。左壁部６０３ｄには、第２シール貼付け部６２８が設けられている。第２シール貼付け部６２８と第１部材６０２の第１シール貼付け部６１４を接合することで形成されるシール貼付け面６３０には、封印シール６４０が貼り付けられる。
【０３４３】
また、第１シール貼付け部６１４と第２シール貼付け部６２８には、シールカバー６４１が係合される。シールカバー６４１は、シール貼付け面６３０に貼り付けられた封印シール６４０を覆う。
【０３４４】
底面部６０３ａの上方を向く面（内面）は、第１部材６０２の上面部６０２ａに対向する。この底面部６０３ａの上方を向く面（内面）には、主制御基板３７１が固定ねじを用いて取り付けられている。この主制御基板３７１には、メインＲＯＭ５２や、電源コネクタや通信用コネクタ等が実装されている。
【０３４５】
図４１に示すように、底面部６０３ａの上方を向く面（内面）には、ケース取付用ブラケット６３１Ａ，６３１Ｂと、２つの凸部６３２，６３３が設けられている。ケース取付用ブラケット６３１Ａ，６３１Ｂは、底面部６０３ａにおける後壁部６０３ｃ側に配置されており、左壁部６０３ｄと右壁部６０３ｅが対向する方向に適当な距離を空けて並んでいる。ケース取付用ブラケット６３１Ａ，６３１Ｂは、固定ねじを用いてミドルドア５４１に固定される。これにより、主制御基板ケース６０１がミドルドア５４１に取り付けられる。
【０３４６】
２つの凸部６３２，６３３は、底面部６０３ａにおける前壁部６０３ｂ側に配置されており、左壁部６０３ｄと右壁部６０３ｅが対向する方向に適当な距離を空けて並んでいる。凸部６３２は、中空の直方体状に形成されており、内部空間が主制御基板ケース６０１の内部空間に連通している（図５１参照）。また、凸部６３３は、角筒状に形成されている。
【０３４７】
２つの凸部６３２，６３３の底面部６０３ａから突出する長さ（高さ）は、ケース取付用ブラケット６３１Ａ，６３１Ｂにおける底面部６０３ａから突出する長さ（高さ）と同等に設定されている。これにより、主制御基板ケース６０１をミドルドア５４１に取り付ける前や、主制御基板ケース６０１をミドルドア５４１から取り外した場合に、主制御基板ケース６０１を安定した姿勢で載置することができ、検査等の主制御基板ケース６０１を取り扱う際の作業性を担保することができる。
【０３４８】
凸部６３２の中空には、主制御基板ケース６０１内に設けた部品の少なくとも一部を配置してもよい。主制御基板ケース６０１内に設ける部品としては、例えば、設定用鍵型スイッチや、設定用鍵型スイッチを取り付けるためのブラケット、基板に実装した電子部品等を挙げることができる。これにより、主制御基板ケース６０１内のスペースを有効に活用することができる。
【０３４９】
なお、本発明に係るケース体の下面に設ける凸部の数は、２つに限定されるものでは無く、を安定した姿勢で載置することができれば、１つであってもよく、また、３つ以上であってもよい。
【０３５０】
［シール貼付け面］
次に、シール貼付け面６３０を構成する第１シール貼付け部６１４と第２シール貼付け部６２８について、図４４及び図４５を参照して説明する。
図４４は、シール貼付け面６３０を拡大して示す説明図である。図４５は、図３９に示すＤ−Ｄ線断面図である。
【０３５１】
図４４に示すように、シール貼付け面６３０は、第１シール貼付け部６１４と第２シール貼付け部６２８によって形成されている。第１シール貼付け部６１４は、第１部材６０２の左壁部６０２ｄから略垂直に突出する直方体状に形成されており、上面が第１斜面６８１となっている。
【０３５２】
第１斜面６８１は、下方に向かうにつれて第１部材６０２（主制御基板ケース６０１）の外形を大きくするように傾斜している。第１斜面６８１には、下方（上面部６０２ａに垂直な方向）に延びる２つのねじ挿入凹部６８２が開口されている。２つのねじ挿入凹部６８２も開口は、上方から見た形状が円形に形成されており、その円の径は、固定ねじ６８０（図４５参照）の頭部よりも大きい径に設定されている。そして、２つのねじ挿入凹部６８２の底面には、固定ねじ６８０の胴部が貫通する貫通孔が設けられている。
【０３５３】
また、第１シール貼付け部６１４の上部には、２つの爪挿入孔６８３が形成されている。２つの爪挿入孔６８３を形成する孔壁面には、それぞれ第１爪係合部６８４が形成されている。第１爪係合部６８４に水平方向に延びる凹部を設けることで形成されている。２つの爪挿入孔６８３には、シールカバー６４１の後述する第１係止爪６４５が挿入され、挿入された第１係止爪６４５は、第１爪係合部６８４と係合する。
【０３５４】
また、第１部材６０２の左壁部６０２ｄには、ガイド部６８６Ａ，６８６Ｂが設けられている。ガイド部６８６Ａ，６８６Ｂは、第１シール貼付け部６１４の両側に配置されており、上下方向に延びている。シールカバー６４１は、ガイド部６８６Ａ，６８６Ｂに案内されて移動し、主制御基板ケース６０１に対する取り付け位置に配置される。
【０３５５】
第２シール貼付け部６２８は、第２部材６０３の左壁部６０３ｄから略垂直に突出する直方体状に形成されており、上面が開口されている（図４２参照）。第２シール貼付け部６２８の左壁部６０３ｄから最も離れた面（突出方向の先端側の面）には、第２斜面６９１が形成されている。第２斜面６９１は、下方に向かうにつれて第２部材６０３（主制御基板ケース６０１）の外形を大きくするように傾斜している。
【０３５６】
第２シール貼付け部６２８における左壁部６０３ｄに直交する２つの側面には、爪規制部６９２が設けられている（図４４では一方の側面の爪規制部６９２を示す）。爪規制部６９２は、２つの突起から形成されており、シールカバー６４１の後述する第２係止爪６４８の側面に当接する。この爪規制部６９２は、第２係止爪６４８における左壁部６０３ｄに直交する方向の移動を規制する。
【０３５７】
第２シール貼付け部６２８における左壁部６０３ｄに直交する２つの側面と、第１シール貼付け部６１４における左壁部６０２ｄに直交する２つの側面は、それぞれ同一平面を形成する。第２シール貼付け部６２８の側面と第１シール貼付け部６１４の側面との境界線は、ガイド部６８６Ａ，６８６Ｂと同様に上下方向に延びている。
【０３５８】
また、第２シール貼付け部６２８の内部には、第１シール貼付け部６１４の下部が当接する２つの固定用ボス部６９３が設けられている（図４５参照）。２つの固定用ボス部６９３には、固定ねじ６８０が螺合するねじ孔が形成されている。
【０３５９】
第１部材６０２と第２部材６０３を重ね合わせて主制御基板ケース６０１を組み立てると、第１シール貼付け部６１４の下部が第２シール貼付け部６２８内に挿入され、第１シール貼付け部６１４の下部が２つの固定用ボス部６９３に当接する。このとき、第１シール貼付け部６１４における左壁部６０２ｄに直交する２つの側面と、第２シール貼付け部６２８における左壁部６０３ｄに直交する２つの側面は、それぞれ同一平面を形成する。
【０３６０】
そして、第１シール貼付け部６１４の第１斜面６８１と第２シール貼付け部６２８の第２斜面６９１が同一平面となり、シール貼付け面６３０を形成する。詳しくは、第１斜面６８１がシール貼付け面６３０の上部を形成し、第２斜面６９１がシール貼付け面６３０の下部を形成する。
【０３６１】
シール貼付け面６３０には、封印シール６４０（図４２参照）が貼り付けられる。封印シール６４０は、シール貼付け面６３０に対応する大きさの長方形に形成されており、第１斜面６８１に設けた２つのねじ挿入凹部６８２の開口を塞ぐ。また、封印シール６４０には、複数の切込みが設けられており、切断の痕跡が残り易いようになっている。
【０３６２】
本実施形態では、シール貼付け面６３０が、下方に向かうにつれて主制御基板ケース６０１の外形を大きくするように傾斜し、斜め上方を向いている。すなわち、シール貼付け面６３０は、上方に向いて傾斜しており、シール貼付け面６３０に貼り付けられた封印シール６４０（図４２参照）が上方に向いて傾斜し、下方に向かうにつれて主制御基板ケース６０１の左壁部６０２ｄ，６０３ｄから離れている。これにより、主制御基板ケース６０１の上方及び側方から封印シール６４０を容易に確認することができ、主制御基板ケース６０１が開放される等の不正行為を迅速に見つけることができる。
【０３６３】
また、本実施形態では、第１シール貼付け部６１４の第１斜面６８１に開口する２つのねじ挿入凹部６８２を設けた。これにより、２つのねじ挿入凹部６８２の深さを所定の深さにすることができ、その他のねじを挿入する部分の深さよりも深くすることができる。その結果、ねじ挿入凹部６８２に挿入されて固定用ボス部６９３に螺合された固定ねじ６８０の取り外しが煩雑になる。その結果、封印シールの一部を熱によって痕跡が残らないように剥がして、主制御基板ケース６０１を開放する等の不正行為を防止することができる。
【０３６４】
また、本実施形態では、第１部材６０２に設けた第１斜面６８１がシール貼付け面６３０の上部を形成し、第２部材６０３に設けた第２斜面６９１がシール貼付け面６３０の下部を形成した。しかし、本発明に係るシール貼付け面としては、第１部材に設けた第１斜面がシール貼付け面の正面視左側を形成し、第２部材に設けた第２斜面がシール貼付け面の正面視右側を形成してもよい。
【０３６５】
例えば、第１部材の第１傾斜面がシール貼付け面の正面視左側を形成し、第２部材の第２斜面がシール貼付け面の正面視右側を形成する場合は、第２部材の第２シール貼付け部に第１シール貼付け部が載置される載置部を設ける。また、第２シール貼付け部の載置部には、第１シール貼付け部の下部が当接する固定用ボス部を設ける。この固定用ボス部は、上述した固定用ボス部６９３と同様のものでよい。また、第１部材の第１傾斜面には、ねじ挿入凹部を設ける。このねじ挿入凹部は、上述したねじ挿入凹部６８２と同様のものでよい。なお、第１部材の第１シール貼付け部に載置部及び固定用ボス部を設け、第２部材の第２斜面にねじ挿入凹部を設けてもよい。
【０３６６】
本実施形態では、上下方向で重ね合される第１部材６０２と第２部材６０３によって主制御基板ケース６０１を構成した。しかし、本発明に係るシール貼付け面を有する基板ケースとしては、遊技機本体の前後方向で重ね合される第１部材と第２部材によって構成してもよい。この場合は、基板ケースの側面にシール貼付け部を設け、シール貼付け面の正面視左側を第１斜面（又は第２斜面）によって形成し、シール貼付け面の正面視右側を第２斜面（又は第１斜面）によって形成する。
【０３６７】
［シールカバー］
次に、シールカバー６４１について、図４６を参照して説明する。
図４６は、シールカバー６４１の斜視図である。
【０３６８】
図４６に示すように、シールカバー６４１は、透明の樹脂材料により形成されており、横長の長方形に形成されたカバー板６４２と、カバー板６４２に連続する側板６４３，６４４を有している。カバー板６４２は、シール貼付け面６３０に対向し、シール貼付け面６３０に貼り付けられた封印シール６４０を覆う。側板６４３，６４４は、第１シール貼付け部６１４及び第２シール貼付け部６２８の側面に対向する。
【０３６９】
カバー板６４２の上辺には、２つの第１係止爪６４５と、２つの係合ピン６４６と、舌片６４７が設けられている。第１係止爪６４５は、カバー板６４２の上辺に連続し、下方に延びる腕部と、腕部の先端に設けられた爪部からなる。２つの第１係止爪６４５の腕部は、板状に形成されており、側板６４３，６４４が対向する方向に弾性変形（撓み変形）可能になっている。２つの第１係止爪６４５の爪部は、側板６４３，６４４が対向する方向において、互いに反対の方向を向いている。
【０３７０】
２つの係合ピン６４６は、カバー板６４２の上辺における両端部に設けられており、下方に延びる円柱状に形成されている。２つの係合ピン６４６は、第１シール貼付け部６１４に設けられたピン係合孔（不図示）に挿入される。また、２つの係合ピン６４６の根元部分は、第１部材６０２の左壁部６０２ｄと第１シール貼付け部６１４との間に嵌まり込む。
【０３７１】
舌片６４７は、２つの第１係止爪６４５間に形成されている。舌片６４７は、カバー板６４２の上辺に連続し、下方に延びる板状に形成されている。この舌片６４７は、第１部材６０２の左壁部６０２ｄと第１シール貼付け部６１４との間に嵌まり込む（図４５参照）。これにより、シールカバー６４１のガタツキを抑制或いは防止することができる。
【０３７２】
側板６４３，６４４には、それぞれ第２係止爪６４８が設けられている。第２係止爪６４８は、側板６４３，６４４に切込みを設けることにより形成された腕部と、腕部の先端に設けられた爪部からなる。第２係止爪６４８の腕部は、板状に形成されており、側板６４３，６４４が対向する方向に弾性変形（撓み変形）可能になっている。２つの第２係止爪６４８の爪部は、側板６４３，６４４が対向する方向において、互いに対向している。
【０３７３】
シールカバー６４１を主制御基板ケース６０１に取り付ける場合は、第１シール貼付け部６１４及び第２シール貼付け部６２８の上方からシールカバー６４１を下降させる。このとき、シールカバー６４１の側板６４３，６４４が、第１部材６０２のガイド部６８６Ａ，６８６Ｂ（図４４参照）に案内される。
【０３７４】
その後、シールカバー６４１の下降を続けると、シールカバー６４１の２つの第１係止爪６４５が、第１シール貼付け部６１４の２つの爪挿入孔６８３に挿入され、続いて、シールカバー６４１の２つの係合ピン６４６が第１シール貼付け部６１４のピン係合孔（不図示）に挿入される。
【０３７５】
２つの爪挿入孔６８３に挿入された２つの第１係止爪６４５は、２つの爪挿入孔６８３を形成するそれぞれの孔壁面上を、弾性変形（撓み変形）した状態で摺動する。すなわち、２つの爪挿入孔６８３を形成する孔壁面は、本発明に係る第１係止爪を弾性変形させる爪摺動部の一具体例を示す。
【０３７６】
一方、シールカバー６４１の２つの第２係止爪６４８は、第１シール貼付け部６１４及び第２シール貼付け部６２８の側面上を、弾性変形（撓み変形）した状態で摺動する。すなわち、第１シール貼付け部６１４及び第２シール貼付け部６２８の側面は、本発明に係る第２係止爪を弾性変形させる爪摺動部の一具体例を示す。
【０３７７】
なお、本発明に係る第２係止爪を弾性変形させる爪摺動部としては、第１シール貼付け部６１４と第２シール貼付け部６２８の側面の一方であってもよい。本実施形態では、第１斜面６８１と第２斜面６９１を略同じ大きさにしたため、第２係止爪６４８は、第１シール貼付け部６１４と第２シール貼付け部６２８の側面における境界線（接合部）上を摺動している。しかし、第１斜面６８１と第２斜面６９１の大きさを均等にしなければ、第２係止爪６４８は、第１シール貼付け部６１４又は第２シール貼付け部６２８の側面上を摺動する。
【０３７８】
さらに、シールカバー６４１の下降を続けると、シールカバー６４１の２つの第１係止爪６４５は、弾性変形（撓み変形）が解かれて、第１シール貼付け部６１４の２つの第１爪係合部６８４に係合する。また、シールカバー６４１の２つの第２係止爪６４８は、弾性変形（撓み変形）が解かれて、第２シール貼付け部６２８の底面に係合する。また、２つの第２係止爪６４８の腕部は、第２シール貼付け部６２８の爪規制部６９２に係合する。これにより、主制御基板ケース６０１へのシールカバー６４１の取り付けが完了する。
【０３７９】
上述したように、本実施形態では、シールカバー６４１を下降させるだけで簡単に第１シール貼付け部６１４及び第２シール貼付け部６２８に係合させることができる。また、シールカバー６４１を取り外すには、第１係止爪６４５と第２係止爪６４８の両方の係合を解除しながらシールカバー６４１を引き上げる必要がある。したがって、シールカバー６４１の取り外しを煩雑にすることができ、封印シール６４０を露出させて痕跡が残らないように、封印シール６４０を剥がすことを抑制することができる。
【０３８０】
なお、不正行為目的ではなく、検査等で主制御基板ケース６０１を開放する場合は、封印シール６４０に痕跡が残ってもよい。そのため、シールカバー６４１をシール貼付け部６１４（第１部材６０２）と第２シール貼付け部６２８（第２部材６０３）の両方から外す必要はない。したがって、一方の係止爪（第１係止爪６４５又は第２係止爪６４８）の係合を解除しながら第１部材６０２と第２部材６０３を分離させればよく、作業が煩雑にならないようにすることができる。
【０３８１】
また、シールカバー６４１の第２係止爪６４８は、第２シール貼付け部６２８の側面と第１シール貼付け部６１４の側面との境界線を覆う。これにより、第２シール貼付け部６２８の側面と第１シール貼付け部６１４の側面との境界線から主制御基板ケース６０１内へ針金や器具等を侵入させることを防止することができる。
【０３８２】
なお、本実施形態では、第２係止爪６４８が第２シール貼付け部６２８の側面と第１シール貼付け部６１４の側面との境界線を覆っている。しかし、本発明に係るシールカバーとしては、第２シール貼付け部６２８の側面と第１シール貼付け部６１４の側面との境界線を側板で覆うようにしてもよい。
【０３８３】
［シール貼付け面の位置］
次に、シール貼付け面６３０の位置について、図４７を参照して説明する。
図４７は、フロントドア２ｂを裏面側から見た説明図である。
【０３８４】
図４７に示すように、主制御基板ケース６０１は、フロントドア２ｂの内側に設けられたミドルドア５４１に取り付けられている。フロントドア２ｂは、ヒンジ（不図示）を用いてキャビネット２ａに開閉可能に取り付けられており、ヒンジは、パチスロ１の前方からフロントドア２ｂを見た場合に、ドア本体９における左側の端部に設けられている。
【０３８５】
封印シール６４０（図４２参照）が貼り付けられたシール貼付け面６３０は、主制御基板ケース６０１におけるフロントドア２ｂのヒンジ側の側面と反対側の側面に設けられている。これにより、フロントドア２ｂを全開にしなくてもシール貼付け面６３０（シールカバー６４１）を確認することができる。
【０３８６】
本実施形態では、封印シール６４０を覆うシールカバー６４１を設け、封印シール６４０を保護し、容易に接触できないようにした。本発明に係るシールカバーとしては、シール貼付け面６３０に貼り付けられた封印シール６４０の一部を露出するシール用窓を設けてもよい。これにより、封印シール６４０が剥がされたり、切られたりした後に、シールカバー６４１が取り付けられても、シール用窓から封印シール６４０に指で直接触れて異常があるか否かを確認することができる。その結果、封印シール６４０の切断を発見し易くすることができる。
【０３８７】
また、シール用窓は、第１斜面６８１と第２斜面６９１（図４４参照）の接合部を含む領域に設けることが好ましい。これにより、第１部材６０２と第２部材６０３が分離されて、封印シール６４０における第１斜面６８１と第２斜面６９１の接合部に対向する部分が切断されたことを容易に発見することができる。
【０３８８】
［第１封印部］
次に、第１封印部６１２，６１３の構成について、図４８〜図５１を参照して説明する。
図４８は、第１封印部６１２，６１３を分解して上方から見た説明図である。図４９は、図３９に示すＥ−Ｅ線断面図である。図５０は、図３９に示すＦ−Ｆ線断面図である。
【０３８９】
第１封印部６１２と第１封印部６１３は、同様の構成を有している。そのため、ここでは、第１封印部６１２について説明し、第１封印部６１３についての説明を省略する。
【０３９０】
図４８に示すように、第１封印部６１２は、ピン貫通部６６１と、封印蓋６６２と有している。ピン貫通部６６１は、本発明に係る封印子貫通部の第２具体例を示す。このピン貫通部６６１は、左右方向に所定の距離を空けて並ぶピン収容筒６６４Ａ，６６４Ｂと、ピン収容筒６６４Ａ，６６４Ｂと第１部材６０２の後壁部６０２ｃとを連結する連結部６６５と、を有している。
【０３９１】
ピン収容筒６６４Ａ，６６４Ｂは、第１の実施形態に係るピン収容筒２２４Ａ，２２４Ｂと同様の構成を有しており、異なる点は、ピン収容筒２２４Ａが係合溝２２７を有しており、ピン収容筒６６４Ａが係合溝２２７を有していない点である。以下、ピン収容筒６６４Ａ，６６４Ｂにおけるピン収容筒２２４Ａ，２２４Ｂと共通する部分には、同一の符号を付して重複した説明を省略する。
【０３９２】
連結部６６５は、連結片６７１Ａ，６７１Ｂ，６７１Ｃ，６７１Ｄと、筐体片６７２Ａ，６７２Ｂと、接続片６７３と、肉薄部６７４Ａ，６７４Ｂ，６７４Ｃ，６７４Ｄとを有している。連結片６７１Ａ，６７１Ｂ，６７１Ｃ，６７１Ｄ、接続片６７３、及び肉薄部６７４Ａ，６７４Ｂ，６７４Ｃ，６７４Ｄは、工具等により切断可能な材料、例えば、樹脂材料によって形成されている。
【０３９３】
連結片６７１Ａ，６７１Ｂ，６７１Ｃ，６７１Ｄは、第１部材６０２の後壁部６０２ｃから略垂直に突出している。筐体片６７２Ａ，６７２Ｂは、連結片６７１Ａ，６７１Ｂ，６７１Ｃ，６７１Ｄとピン収容筒６６４Ａ，６６４Ｂとを接続する。接続片６７３は、ピン収容筒６６４Ａ，６６４Ｂを接続する。
【０３９４】
筐体片６７２Ａ，６７２Ｂは、下方が開口された中空の直方体状に形成されており、上面部がピン収容筒６６４Ａ，６６４Ｂの周面に連続している。また、筐体片６７２Ａ，６７２Ｂの上面部には、ピン収容筒６６４Ａ，６６４Ｂの開口端を囲む係合突部６７５Ａ，６７５Ｂが設けられている。
【０３９５】
係合突部６７５Ａ，６７５Ｂは、一部が切り欠かれた円環状に形成されており、切り欠かれた部分である端部が筐体片６７２Ａ，６７２Ｂの互いに対向する側面に連続している。この係合突部６７４の切り欠かれた部分には、接続片６７３が配置されている。また、係合突部６７５Ａ，６７５Ｂは、ピン収容筒６６４Ａ，６６４Ｂよりもピン収容筒６６４Ａ，６６４Ｂの軸方向に突出している。この係合突部６７５Ａ，６７５Ｂには、封印蓋６６２が係合する。
【０３９６】
連結片６７１Ａ，６７１Ｂは、筐体片６７２Ａにおける後壁部６０２ｃに対向する側面に連続しており、筐体片６７２Ａの上面と同一平面を形成している。一方、連結片６７１Ｃ，６７１Ｄは、筐体片６７２Ｂにおける後壁部６０２ｃに対向する側面に連続しており、筐体片６７２Ｂの上面と同一平面を形成している。
【０３９７】
肉薄部６７４Ａは、連結片６７１Ａ，６７１Ｂと、筐体片６７２Ａと、後壁部６０２ｃとに囲まれた略長方形に形成されている。この肉薄部６７４Ａは、連結片６７１Ａ，６７１Ｂ、筐体片６７２Ａ、及び後壁部６０２ｃに連続する板体からなる。
【０３９８】
肉薄部６７４Ｂは、連結片６７１Ｂ，６７１Ｃと、筐体片６７２Ａ，６７２Ｂと、接続片６７３と、後壁部６０２ｃとに囲まれた略Ｔ字状に形成されている。肉薄部６７４Ｂは、連結片６７１Ｂ，６７１Ｃ、接続片６７３、筐体片６７２Ａ，６７２Ｂ、及び後壁部６０２ｃに連続する板体からなる。
【０３９９】
肉薄部６７４Ｃは、連結片６７１Ｃ，６７１Ｄと、筐体片６７２Ｂと、後壁部６０２ｃとに囲まれた略長方形に形成されている。この肉薄部６７４Ｃは、連結片６７１Ｃ，６７１Ｄ、筐体片６７２Ｂ、及び後壁部６０２ｃに連続する板体からなる。
【０４００】
肉薄部６７４Ｄは、接続片６７３と、筐体片６７２Ａ，６７２Ｂとに囲まれた略長方形に形成されている。この肉薄部６７４Ｄは、３辺が接続片６７３、及び筐体片６７２Ａ，６７２Ｂに連続する板体からなる。
【０４０１】
図４９及び図５０に示すように、肉薄部６７４Ａ，６７４Ｂ，６７４Ｃ，６７４Ｄは、連結片６７１Ａ，６７１Ｂ，６７１Ｃ，６７１Ｄや接続片６７３よりも厚みが薄く形成されている。そして、肉薄部６７４Ａ，６７４Ｂ，６７４Ｃ，６７４Ｄは、連結片６７１Ａ，６７１Ｂ，６７１Ｃ，６７１Ｄ又は接続片６７３に連続して形成されている。
【０４０２】
これにより、連結片を切断する際に、その連結片に連続する肉薄部も突き破る必要があり、厚みが薄い肉薄部は、破壊痕が汚くなり易く、痕跡が目立つようになる。その結果、連結片の切断が見逃されて不正行為の発覚が遅れることを防止することができる。また、不正行為が発覚し易いことから、不正行為を防止或いは抑制することができる。
【０４０３】
例えば、ピン収容筒６６４Ａを後壁部６０２ｃ（第１部材６０２）から切り離すには、連結片６７１Ａ，６７１Ｂを切断する必要がある。そして、連結片６７１Ａ，６７１Ｂ間には、肉薄部６７４Ａが設けられている。そのため、連結片６７１Ａ又は連結片６７１Ｂを挟み込んで切断する工具を用いる場合は、その工具で肉薄部６７４Ａを突き破らなければならない。したがって、肉薄部６７４Ａに痕跡が残り、不正行為が発覚し易い。
【０４０４】
また、連結片６７１Ａ又は連結片６７１Ｂを挟み込んで切断する工具を用いずに連結片６７１Ａ，６７１Ｂを切断する場合であっても、連結片６７１Ａを切断する際と、連結片６７１Ｂを切断する際に、肉薄部６７４Ａに付加がかかるため、肉薄部６７４Ａが破壊される確率が増すため、痕跡が残り易くなる。
【０４０５】
また、連結片６７１Ｂは、肉薄部６７４Ａと肉薄部６７４Ｂに囲まれている。そのため、連結片６７１Ｂを切断する場合は、まず、肉薄部６７４Ａ又は肉薄部６７４Ｂを破壊（切断）する必要がある。そのため、肉薄部６７４Ａ又は肉薄部６７４Ｂに破壊痕が残ることになり、不正行為が発覚し易い。
【０４０６】
本発明に係る連結片としては、肉薄部に連続する辺の少なくとも一部が湾曲していてもよい。肉薄部の破壊痕が分かり難くなるように、連結片に沿って肉薄部を切断しようとしても、連結片の湾曲部分に沿って破壊痕が分かり難くなるように肉薄部を切ることが難しいため、痕跡が残り易くなる。
【０４０７】
なお、湾曲部分は、筐体片６７２Ａ（第１封印部６１２）や後壁部６０２ｃ（第１部材６０２）に形成してもよい。また、湾曲部分は、波線のように複数の湾曲を連続させたものにした方が、湾曲部分に沿って肉薄部を切ることがより難しくなり、より痕跡が残り易くなる。また、連結片（第１封印部や第１部材本体）の一部を湾曲させずに、連結片（第１封印部や第１部材本体）の一部に凹凸を設けてもよい。この場合においても、破壊痕が分かり難くなるように肉薄部を切ることが難しいため、痕跡が残り易くなる。
【０４０８】
また、本発明に係る肉薄部としては、スリットが形成されているものであってもよい。これにより、破壊痕が残り易いように肉薄部の破壊を案内することができ、痕跡が残り易くなる。スリットの形状としては、例えば、折れ線状を挙げることができる。この場合は、肉薄部の破壊が折れ線状になっていることにより、痕跡を発見し易くすることができる。
【０４０９】
なお、スリットの形状は、折れ線状に限定されるものではなく、例えば、破線や一点鎖線など任意に設定することができる。また、スリットの延伸方向を、連結片の切断方向と交差する方向にすることで、より痕跡が残り易くなる。
【０４１０】
本実施形態では、肉薄部６７４Ａが、連結片６７１Ａ，６７１Ｂと、筐体片６７２Ａ（第１封印部６１２）と、後壁部６０２ｃ（第１部材６０２）に連続して形成されている。これにより、第１部材６０２から第１封印部６１２を切り離す場合に、必ず肉薄部６７４Ａを破壊（切断）することになるため、肉薄部に破壊痕を確実に残すことができる。
【０４１１】
しかしながら、本発明に係る肉薄部としては、少なくとも連結片に連続していればよく、また、連結片の他に、第１封印部又は第１部材本体に連続するようにしてもよい。このようにする場合は、連結片を切断する場合に必ず邪魔になる位置に肉薄部を連続させる。これにより、肉薄部に破壊痕が残ることになり、不正行為を発見し易くなる。
【０４１２】
封印蓋６６２は、外形が係合突部６７５Ａ，６７５Ｂに見合った形状に形成されており、２つの円盤部６７７Ａ，６７７Ｂと、２つの円盤部６７７Ａ，６７７Ｂを接続する接続部６７８とを有している。この封印蓋６６２は、係合突部６７５Ａ，６７５Ｂに係合され、ピン収容筒６６４Ａ，６６４Ｂの開口側の端面に溶着によって固定されている。
【０４１３】
封印蓋６６２の２つの円盤部６７７Ａ，６７７Ｂは、ピン収容筒６６４Ａ，６６４Ｂの開口側の端面に対向し、接続部６７８は、接続片６７３に対向する。２つの円盤部６７７Ａ，６７７Ｂは、ピン収容筒６６４Ａ，６６４Ｂの径と同等に設定されている。
【０４１４】
２つの円盤部６７７Ａ，６７７Ｂには、それぞれ貫通孔６７９が設けられている。貫通孔６７９の径は、封印ピン２３０の頭部２３０ｂの径よりも小さい。したがって、封印蓋６６２は、封印ピン２３０のピン収容筒６６４Ａ，６６４Ｂからの抜け出しを係止する。封印ピン２３０の頭部２３０ｂ押圧する場合は、円盤部６７７Ａ，６７７Ｂの貫通孔６７９に工具等を通す。
【０４１５】
また、２つの円盤部６７７Ａ，６７７Ｂのピン収容筒６６４Ａ，６６４Ｂに対向する面には、ピン規制突部６６７と、溶着用突部６６８が形成されている（図５２）。ピン規制突部６６７は、貫通孔６７９を囲う円筒状に形成されており、ピン収容筒６６４Ａ，６６４Ｂに収容された封印ピン２３０の開口側へ移動を規制する。溶着用突部６６８は、ピン規制突部６６７よりも大きい径の円筒状に形成されている。この溶着用突部６６８は、ピン収容筒６６４Ａ，６６４Ｂの開口側の端面に溶着される。
【０４１６】
［第２封印部］
次に、第２封印部６２６，６５１の構成について、図５１を参照して説明する。
図５１は、第２封印部６２６，６５１の分解斜視図である。
【０４１７】
図５１に示すように、第２封印部６２６は、封印ベース７１１と、封印カバー４７２と、封印ベース７１１と封印カバー４７２に挟まれて固定される封印用係合部材４７３とを有する。封印ベース７１１と封印カバー４７２は、本発明に係る第２封印部本体の第３の具体例を示す。
【０４１８】
封印カバー４７２及び封印用係合部材４７３は、第２の実施形態に係る封印カバー４７２及び封印用係合部材４７３と同じであるため、説明を省略する。封印ベース７１１は、長方形の直方体状に形成されている。この封印ベース７１１が、第２の実施形態に係る封印ベース４７１と異なる点は、防護壁７１２のみである。以下、封印ベース７１１における第２の実施形態に係る封印ベース４７１と共通する部分には、同一の符号を付して重複した説明を省略する。
【０４１９】
封印ベース７１１は、第１封印部６１２（図４２参照）に対向する略長方形の第１の面４７１ａを有している。封印ベース７１１の第１の面４７１ａには、防護壁７１２が設けられている。防護壁７１２は、第１の面４７１ａの４辺に連続しており、第１の面４７１ａから略垂直に突出している。
【０４２０】
第２封印部６２６は、封印ベース７２１と、封印カバー４７２と、封印ベース７２１と封印カバー４７２に挟まれて固定される封印用係合部材４７３とを有する。封印カバー４７２及び封印用係合部材４７３は、第２の実施形態に係る封印カバー４７２及び封印用係合部材４７３と同じであるため、説明を省略する。
【０４２１】
封印ベース７２１は、長方形の直方体状に形成されている。この封印ベース７２１が、第２の実施形態に係る封印ベース４７１と異なる点は、防護壁７２２のみである。以下、封印ベース７２１における第２の実施形態に係る封印ベース４７１と共通する部分には、同一の符号を付して重複した説明を省略する。
【０４２２】
封印ベース７２１は、第１封印部６１３（図４２参照）に対向する略長方形の第１の面４７１ａを有している。封印ベース７２１の第１の面４７１ａには、防護壁７２２が設けられている。防護壁７２２は、第１の面４７１ａの１つの長辺と２つの短辺に連続しており、第１の面４７１ａから略垂直に突出している。
【０４２３】
［第１封印部と第２封印部の接続］
次に、第１封印部６１２と第２封印部６２６の接続について、図５２を参照して説明する。
図５２は、図３９に示すＧ−Ｇ線断面図である。
【０４２４】
図５２に示すように、第１封印部６１２と第２封印部６２６とを接続する前において、封印ピン２３０は、ピン収容筒６６４Ａ，６６４Ｂ内である待機位置に配置されている。待機位置において、封印ピン２３０における胴部２３０ａの先端部は、ピン収容筒６６４Ａ，６６４Ｂに設けた複数のピン保持部２２９に保持されており、封印ピン２３０の頭部２３０ｂは、封印蓋６６２と係合している。そして、封印ピン２３０の軸は、上下方向に略平行になっている。
【０４２５】
封印ピン２３０によって第１封印部６１２と第２封印部６２６を接続する場合は、待機位置に配置された封印ピン２３０の頭部２３０ｂを工具等で押圧する。工具等は、封印蓋６６２に設けた貫通孔６７９を貫通して封印ピン２３０の頭部２３０ｂに接触させることができる。
【０４２６】
頭部２３０ｂを押圧された封印ピン２３０は、複数のピン保持部２２９に抗して、上下方向に平行な軸方向に移動する。そして、封印ピン２３０は、第２封印部６２６（封印カバー４７２）のピン挿通孔４８５及び封印用係合部材４７３のピン貫通孔４９７ｂを貫通する。このとき、封印用係合部材４７３の複数の係合片４９９が、封印ピン２３０のピン係合溝２３０ｃに係合し、封印ピン２３０の挿通方向に押圧されて弾性変形する。これにより、封印ピン２３０の挿入方向と反対の方向への移動が係止される。
【０４２７】
そして、封印ピン２３０の頭部２３０ｂがピン収容筒６６４Ａ，６６４Ｂの底部に当接すると、第１封印部６１２と第２封印部６２６との接続が完了し、第１部材６０２と第２部材６０３の結合状態が封印される。
【０４２８】
なお、本実施形態では、１つの封印部（第１封印部６１２と第２封印部６２６）に２つの封印ピンを用いているが、２つの封印ピン２３０のうちの１つは、予備である。そのため、第１封印部６１２と第２封印部６２６との接続は、１つの封印ピン２３０によって行われる。
【０４２９】
［スイッチ用ブラケット］
次に、スイッチ用ブラケット６２１の構成について、図５３及び図５４を参照して説明する。
図５３は、スイッチ用ブラケット６２１の分解斜視図である。図５４は、図３９に示すＨ−Ｈ線断面図である。
【０４３０】
図５３に示すように、スイッチ用ブラケット６２１は、設定用鍵型スイッチ３５７を支持するスイッチ支持部７３１と、スイッチ支持部７３１に連続する固定部７３２，７３３と、スイッチ支持部７３１に連続する２つの腕部７３４，７３５とを有する。
【０４３１】
スイッチ支持部７３１は、上下方向に開口する四角形の枠状に形成されており、設定用鍵型スイッチ３５７を上方から挿通させて支持する。このスイッチ支持部７３１は、互いに対向する第１枠壁７３１ａと、第２枠壁７３１ｂを有している。第１枠壁７３１ａは、主制御基板ケース６０１における第１部材６０２の左壁部６０２ｄに適当な距離を空けて対向する。
【０４３２】
固定部７３２は、第１枠壁７３１ａに連続しており、第１枠壁７３１ａから略垂直に突出している。この固定部７３２の上面には、係合凹部７３２ａが設けられており、係合凹部７３２ａの底面には、上下方向に貫通するねじ挿通孔７３２ｂが形成されている。係合凹部７３２ａには、第１部材６０２の２つのボス部６１６の一方が係合する。ねじ挿通孔７３２ｂには、ボス部６１６に螺合される固定ねじが挿通される。
【０４３３】
固定部７３３は、第２枠壁７３１ｂに連続しており、第２枠壁７３１ｂから略垂直に突出している。この固定部７３３の上面には、係合凹部７３３ａが設けられており、係合凹部７３３ａの底面には、上下方向に貫通するねじ挿通孔７３３ｂが形成されている。係合凹部７３３ａには、第１部材６０２の２つのボス部６１６の他方が係合する。ねじ挿通孔７３３ｂには、ボス部６１６に螺合される固定ねじ７３０が挿通される（図５４参照）。
【０４３４】
２つの腕部７３４，７３５は、第２枠壁７３１ｂに連続しており、第２枠壁７３１ｂから斜め上方に突出している。２つの腕部７３４，７３５は、固定部７３３を挟んで配置されている。２つの腕部７３４，７３５の先端面７３４ａ，７３５ａは、スイッチ支持部７３１の上面（軸方向の上端）よりも高い位置にあり、上下方向に略垂直な平面に形成されている。２つの腕部７３４，７３５の先端面７３４ａ，７３５ａは、第１部材６０２における上面部６０２ａの内側の面に当接する。
【０４３５】
２つの腕部７３４，７３５の先端面７３４ａ，７３５ａには、嵌合凸部７４１，７４２が設けられている。嵌合凸部７４１，７４２は、先端面７３４ａ，７３５ａから略垂直に突出する角柱状に形成されている。図５４に示すように、２つの腕部７３４，７３５の先端面７３４ａ，７３５ａは、第１部材６０２における上面部６０２ａの軸受け部６１８，６１９（軸受け孔）に対応する部分に配置されている。すなわち、２つの腕部７３４，７３５は、軸受け部６１８，６１９（軸受け孔）に向かって延びている。
【０４３６】
ところで、軸受け部６１８，６１９（図４２参照）は、上面部６０２ａと一体に形成されている。そのため、軸受け部６１８，６１９に軸受け孔を形成するには、軸受け部６１８，６１９を外面側と内面側から切り欠くような型が必要になる。そのため、軸受け部６１８，６１９には、主制御基板ケース６０１の内部に連通する２つの連通孔６１８ａ，６１９ａが形成されている。
【０４３７】
上面部６０２ａの連通孔６１８ａ，６１９ａには、２つの腕部７３４，７３５の先端面７３４ａ，７３５ａに設けた嵌合凸部７４１，７４２が嵌合される。これにより、連通孔６１８ａ，６１９ａを利用して主制御基板ケース６０１の内部に針金や器具等を侵入させることを防止することができる。その結果、主制御基板３７１や主制御基板ケース６０１の内部に配置された電子部品等に対する不正行為を防止することができる。
【０４３８】
なお、軸受け部６１８，６１９に軸受け孔を設けずに、軸を受ける凹部を設ける場合であっても、軸受け部６１８，６１９に周りよりも厚みが薄い部分が形成されてしまう。周りよりも厚みが薄い部分は、容易に孔を空けることできるため、不正行為を行い易くなってしまう。そのため、主制御基板ケースの内面における軸受け部に対応する部分にブラケットを配置して、主制御基板ケースに連通する孔を空け難くすることは有用である。この場合は、ブラケットを主制御基板ケースの内面における軸受け部に対応する部分に当接させるとよい。
【０４３９】
本実施形態では、第１部材６０２に軸受け部６１８，６１９を設け、スイッチ用ブラケット６２１を第１部材６０２に取り付けた。これにより、第１部材６０２を組み立てた状態（第２部材６０３と重ね合わせる前の状態）において、連通孔６１８ａ，６１９ａがスイッチ用ブラケット６２１の嵌合凸部７４１，７４２によって塞がれていることを確認することができる。その結果、主制御基板ケース６０１の組み立て作業の作業性を向上させることができる。
【０４４０】
例えば、軸受け部６１８，６１９が第１部材６０２に設けて、スイッチ用ブラケット６２１を第２部材６０３に取り付けた場合は、第１部材６０２と第２部材６０３の組み立てと、スイッチ用ブラケット６２１の嵌合凸部７４１，７４２の連通孔６１８ａ，６１９ａへの嵌合を同時に行う必要があり、組み立て作業が煩雑になる。
【０４４１】
また、本実施形態では、嵌合凸部７４１，７４２が突出する２つの腕部７３４，７３５の先端面７３４ａ，７３５ａを、主制御基板ケース６０１の内面に当接させた。これにより、連通孔６１８ａ，６１９ａと嵌合凸部７４１，７４２との間から主制御基板ケース６０１内へ針金等が差し込まれることを抑制することができる。
【０４４２】
＜各種変形例＞
以上、本発明に係る遊技機の構成について、その作用効果も含めて説明した。しかしながら、本発明は、上述した実施形態に限定されるものではなく、特許請求の範囲に記載した本発明の要旨を逸脱しない限り、その他の種々の実施形態及び変形例が含まれる。
【０４４３】
上記第１〜第３の実施形態では、封印用係合部材を板金材により形成したが、本発明に係る封印用係合部材の材料としては、剛性に優れた金属（板金材）が好ましいが、板金材に限定されるものではない。本発明に係る封印用係合部材としては、複数の係合片が封印ピンと係合して撓み変形可能であれば任意の材料を適用することができ、例えば、樹脂材によって形成してもよく、また、２種類以上の材料を一体成形して設けてもよい。
【０４４４】
また、本発明に係る封印用係合部材は、封印ベースや封印カバー（周囲の部材）よりも破壊し難い材料（剛性に優れた材料）であることが好ましい。なお、主制御基板ケースは、内部の基板や基板に実装される電子部品等が視認可能となるように、透明な樹脂材料（光透過性樹脂）によって形成されている。これに対し、封印用係合部材は、第１封印部及び第２封印部を介して封印状況（封印されていること或いは封印が解除されていること）が視認可能なように、有色の材料を用いることが好ましい。
【０４４５】
上記第１〜第３の実施形態では、封印用係合部材に係合する封印子として係合溝付きピンを採用した。しかし、本発明に係る封印用係合部材に係合する封印子としては、ピンに限定されるものでは無く、例えば、ねじやリベットを採用することもできる。
【０４４６】
上記第１〜第３の実施形態では、互いに重ね合されて略長方形の筐体状に形成される第１部材及び第２部材によって主制御基板ケースを構成し、第１封印部と第２封印部の接続によって、第１部材と第２部材の結合状態を封印した。また、別の第１封印部と別の第２封印部の接続によって、第１部材と遊技機本体の結合状態を封印した。すなわち、遊技機本体は、本発明に係る第２部材の一具体例である。
【０４４７】
上記第１〜第３の実施形態では、封印カバーに２つの仕切り突部を設けた。しかし、本発明に係る仕切り突部としては、封印ベースと封印カバーの溶着部分と、封印用係合部材との間に配置されていればよく、封印ベースに設けてもよい。
【０４４８】
上記第１〜第３の実施形態では、第２封印部の封印ベース（第１被溶着部材）に凸部を設け、封印カバー（第２被溶着部材）に嵌合凹部を設けた。しかし、本発明に係る第２封印部としては、第１被溶着部材に嵌合凹部を設け、第２被溶着部材に凸部を設けてもよい。
【０４４９】
＜付記（本発明のまとめ）＞
［第１〜第６の遊技機］
従来、基板ケースの封印部など、ケース体の係合部分を溶着により固定するようにした遊技機が知られている（例えば、特許文献１参照）。この特許文献１に記載された遊技機によれば、単なる係合や螺合と比較して、ケース体の開放が困難になり、不正行為を防止することが期待される。
【０４５０】
しかしながら、特開２０１６−１０５７９９号公報に記載された遊技機では、溶着される２つの部材がそれぞれ外部に面しているため、溶着される２つの部材を強引に引きはがすことが可能であった。その結果、不正行為の防止が万全であるとは言い難い実情であった。
【０４５１】
本発明は、上記第１の課題を解決するためになされたものであり、本発明の第１の目的は、溶着を用いて結合した部材を引き剥がして行う不正行為を防止することが可能な遊技機を提供することである。
【０４５２】
上記第１の課題を解決するために、本発明では、以下のような構成の第１の遊技機を提供する。
【０４５３】
遊技機本体（例えば、外装体２）と、
前記遊技機本体に配置され、互いに溶着される第１被溶着部材（例えば、封印ベース２７１）及び第２被溶着部材（例えば、封印カバー２７２）と、を備え、
前記第１被溶着部材は、有底の筒状に形成されており、
前記第２被溶着部材は、前記第１被溶着部材に挿入され、前記第１被溶着部材の筒孔を塞いでおり、
前記第１被溶着部材及び前記第２被溶着部材の溶着部は、前記第１被溶着部材の内側に形成されている
ことを特徴とする遊技機。
【０４５４】
また、上記構成の第１の遊技機は、
前記第１被溶着部材の内側において当該第１被溶着部材と前記第２被溶着部材に挟まれて固定され、係合部を有する封印用係合部材（例えば、封印用係合部材２７３）と、
前記封印用係合部材の前記係合部に係合する封印子（例えば、封印ピン２３０）と、
前記封印子が貫通する貫通孔を有し、前記封印子が前記封印用係合部材に係合することにより、前記第１被溶着部材及び前記第２被溶着部材と接続される封印部（例えば、第１封印部２１２）と、を備え
前記第１被溶着部材は、前記封印用係合部材の前記係合部に対向する封印子用孔（例えば、ピン挿通孔２８１）を有するようにしてもよい。
【０４５５】
また、上記構成の第１の遊技機は、
前記封印子は、円柱状に形成され、周方向に延びる係合溝を有する係合溝付きピンであり、
前記封印用係合部材は、前記封印子が貫通する貫通孔（例えば、ピン貫通孔２９７ｂ）と、前記貫通孔の周縁部から当該貫通孔の中心に向かって突出し、弾性変形して前記封印子の前記係合溝に係合する複数の係合片（例えば、複数の係合片２９９）とを有するようにしてもよい。
【０４５６】
なお、第１の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４５７】
また、上記第１の課題を解決するために、本発明では、以下のような構成の第２の遊技機を提供する。
【０４５８】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第２封印部は、
有底の筒状に形成され、底部に前記封印子が挿通する封印子用孔（例えば、ピン挿通孔２８１）を有する第１被溶着部材（例えば、封印ベース２７１）と、
前記第１被溶着部材に挿入され、前記第１被溶着部材の筒孔を塞いでおり、前記第１被溶着部材の内側において当該第１被溶着部材と溶着される第２被溶着部材（例えば、封印カバー２７２）と、
前記第１被溶着部材の内側において当該第１被溶着部材と前記第２被溶着部材に挟まれて固定された封印用係合部材（例えば、封印用係合部材２７３）と、を有し、
前記封印用係合部材は、前記第１被溶着部材の前記封印子用孔に対向し、前記封印子が係合する係合部（例えば、複数の係合片２９９）と、位置決め用貫通孔（例えば、位置決め用貫通孔２９７ａ）とを有し、
前記第１被溶着部材又は前記第２被溶着部材は、前記位置決め用貫通孔を貫通する凸部（例えば、凸部２８５）を有し、
前記第２被溶着部材又は前記第１封印部は、前記凸部が嵌合する嵌合凹部（例えば、嵌合凹部２９１）を有する
ことを特徴とする遊技機。
【０４５９】
なお、第２の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４６０】
また、上記第１の課題を解決するために、本発明では、以下のような構成の第３の遊技機を提供する。
【０４６１】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第２封印部は、
有底の筒状に形成され、底部に前記封印子が挿通する封印子用孔（例えば、ピン挿通孔２８１）を有する第１被溶着部材（例えば、封印ベース２７１）と、
前記第１被溶着部材に挿入され、前記第１被溶着部材の筒孔を塞いでおり、前記第１被溶着部材の内側において当該第１被溶着部材と溶着される第２被溶着部材（例えば、封印カバー２７２）と、
前記第１被溶着部材の内側において当該第１被溶着部材と前記第２被溶着部材に挟まれて固定された封印用係合部材（例えば、封印用係合部材２７３）と、を有し、
前記封印子は、円柱状に形成され、周方向に延びる係合溝を有する係合溝付きピンであり、
前記封印用係合部材は、前記封印子が貫通する貫通孔（例えば、ピン貫通孔２９７ｂ）と、前記貫通孔の周縁部から当該貫通孔の中心に向かって突出し、弾性変形して前記封印子の前記係合溝に係合する複数の係合片（例えば、複数の係合片２９９）とを有し、
前記第１被溶着部材は、前記複数の係合片に接触し、前記複数の係合片が前記封印子の挿通方向と反対の方向へ弾性変形すること抑制する変形抑制部（例えば、変形抑制部２８６）を有する
ことを特徴とする遊技機。
【０４６２】
また、上記第１の課題を解決するために、本発明では、以下のような構成の第４の遊技機を提供する。
【０４６３】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第２封印部は、
有底の筒状に形成され、底部に前記封印子が挿通する封印子用孔（例えば、ピン挿通孔２８１）を有する第１被溶着部材（例えば、封印ベース２７１）と、
前記第１被溶着部材に挿入され、前記第１被溶着部材の筒孔を塞いでおり、前記第１被溶着部材の内側において当該第１被溶着部材と溶着される第２被溶着部材（例えば、封印カバー２７２）と、
前記第１被溶着部材の内側において当該第１被溶着部材と前記第２被溶着部材に挟まれて固定され、前記封印子が係合する封印用係合部材（例えば、封印用係合部材２７３）と、を有し、
前記第１被溶着部材又は前記第２被溶着部材は、前記第１被溶着部材と前記第２被溶着部材との溶着部分と、前記封印用係合部材との間に配置される仕切り突部（例えば、仕切り突部２９４）を有する
ことを特徴とする遊技機。
【０４６４】
なお、第４の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４６５】
また、上記第１の課題を解決するために、本発明では、以下のような構成の第５の遊技機を提供する。
【０４６６】
遊技機本体（例えば、外装体２）と、
前記遊技機本体に配置され、互いに溶着される第１被溶着部材（例えば、封印ベース２７１）及び第２被溶着部材（例えば、封印カバー２７２）と、を備え、
前記第１被溶着部材は、有底の筒状に形成されており、
前記第２被溶着部材は、前記第１被溶着部材に挿入され、前記第１被溶着部材の筒孔を塞いでおり、
前記第１被溶着部材及び前記第２被溶着部材の溶着部は、前記第１被溶着部材の内側に形成されており、
前記第２被溶着部材は、前記第１被溶着部材の筒孔から露出する端面と反対側の端面（例えば、封印カバー２７２の第１の面）に溶着部（例えば、溶着用突部２９３）が形成されている
ことを特徴とする遊技機。
【０４６７】
また、上記構成の第５の遊技機は、
前記第１被溶着部材の内側において当該第１被溶着部材と前記第２被溶着部材に挟まれて固定され、係合部を有する封印用係合部材（例えば、封印用係合部材２７３）と、
前記封印用係合部材の前記係合部に係合する封印子（例えば、封印ピン２３０）と、
前記封印子が貫通する貫通孔を有し、前記封印子が前記封印用係合部材に係合することにより、前記第１被溶着部材及び前記第２被溶着部材と接続される封印部（例えば、第１封印部２１２）と、を備え、
前記第１被溶着部材は、前記封印用係合部材の前記係合部に対向する封印子用孔（例えば、ピン挿通孔２８１）を有するようにしてもよい。
【０４６８】
また、上記構成の第５の遊技機は、
前記封印子は、円柱状に形成され、周方向に延びる係合溝を有する係合溝付きピンであり、
前記封印用係合部材は、前記封印子が貫通する貫通孔（例えば、ピン貫通孔２９７ｂ）と、前記貫通孔の周縁部から当該貫通孔の中心に向かって突出し、弾性変形して前記封印子の前記係合溝に係合する複数の係合片（例えば、複数の係合片２９９）とを有するようにしてもよい。
【０４６９】
なお、第５の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４７０】
また、上記第１の課題を解決するために、本発明では、以下のような構成の第６の遊技機を提供する。
【０４７１】
遊技機本体（例えば、外装体２）と、
前記遊技機本体に配置された第１部材（例えば、第１部材２０２）及び第２部材（例えば、第２部材２０３）と、を備え、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第２封印部は、
有底の筒状に形成され、底部に前記封印子が挿通する封印子用孔（例えば、ピン挿通孔２８１）を有する第１被溶着部材（例えば、封印ベース２７１）と、
前記第１被溶着部材に挿入され、前記第１被溶着部材の筒孔を塞いでおり、前記第１被溶着部材の内側において当該第１被溶着部材と溶着される第２被溶着部材（例えば、封印カバー２７２）と、
前記第１被溶着部材の内側において当該第１被溶着部材と前記第２被溶着部材に挟まれて固定された封印用係合部材（例えば、封印用係合部材２７３）と、を有し、
前記遊技機本体は、前記第２被溶着部材における前記第１被溶着部材の筒孔から露出する端面に対向する内壁面又はその他の部品（例えば、内壁面２Ａ）を有し、
前記第２被溶着部材の前記第１被溶着部材に対する挿入方向に沿った長さ（例えば、Ｌ１）は、前記第２被溶着部材における前記第１被溶着部材の筒孔から露出する端面から前記内壁面又はその他の部品までの距離（例えば、Ｌ２）よりも長い
ことを特徴とする遊技機。
【０４７２】
なお、第６の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４７３】
上記構成の第１〜第６の遊技機によれば、溶着を用いて結合した部材を引き剥がして行う不正行為を防止することができる。
【０４７４】
［第７〜第９の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。
【０４７５】
しかしながら、特開２０１０−２０１０２９号公報に記載されたような基板ケースの封印構造を有する遊技機では、封印作業が不完全である場合に、不正行為を防止できなくなることになる。そのため、封印作業の確実性が求められていた。
【０４７６】
本発明は、上記第２の課題を解決するためになされたものであり、本発明の第２の目的は、封印作業の確実性を向上させることが可能な遊技機を提供することである。
【０４７７】
上記第２の課題を解決するために、本発明では、以下のような構成の第７の遊技機を提供する。
【０４７８】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、前記封印子が貫通する貫通孔（例えば、貫通孔２２８）を有する封印子貫通部（例えば、ピン貫通部２２１）と、前記封印子貫通部に設けられた係合部（例えば、係合溝２２７）と、を有し、
前記第２封印部は、前記第１封印部の前記封印子貫通部が当接すると共に前記封印子が挿通する封印子用孔（例えば、ピン挿通孔２８１）を有する封印ベース（例えば、封印ベース２７１）と、前記封印子用孔に挿通された前記封印子の挿通方向と反対の方向への移動を係止する封印用係合部（例えば、封印用係合部材２７３）材と、前記封印ベースから突出した壁部（例えば、係合壁２８２）と、前記壁部に形成され、前記第１封印部の前記係合部に係合して前記第１封印部における前記封印子の挿通方向に交差する方向の移動を規制する移動規制部（例えば、移動規制部２８３）と、を有する
ことを特徴とする遊技機。
【０４７９】
また、上記構成の第７の遊技機は、
前記第１部材は、第１部材本体と、前記第１封印部とを有し、
前記第１封印部は、連結片（例えば、連結片２４１Ａ，２４１Ｂ）によって前記第１部材本体に連結されているようにしてもよい。
【０４８０】
なお、第７の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４８１】
また、上記第２の課題を解決するために、本発明では、以下のような構成の第８の遊技機を提供する。
【０４８２】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、有底の筒状に形成され、底部に前記封印子が貫通する貫通孔（例えば、貫通孔２２８）を有する封印子貫通部（例えば、ピン貫通部２２１）と、前記封印子貫通部に前記封印子を収容した状態で前記封印子貫通部の開口の一部を塞いで前記封印子の抜け出しを係止する封印蓋（例えば、封印蓋２２２）と、を有し、
前記封印蓋は、前記封印子貫通部よりも前記封印子の貫通方向に交差する方向に突出する係合部を有し、
前記第２封印部は、前記第１封印部の前記封印子貫通部が当接すると共に前記封印子が挿通する封印子用孔（例えば、ピン挿通孔２８１）を有する封印ベース（例えば、封印ベース２７１）と、前記封印子用孔に挿通された前記封印子の挿通方向と反対の方向への移動を係止する封印用係合部材（例えば、封印用係合部材２７３）と、前記封印ベースから突出した壁部（例えば、係合壁２８２）と、前記壁部に形成され、前記封印蓋の前記係合部に係合して前記第１封印部における前記封印子の挿通方向に交差する方向の移動を規制する移動規制部（例えば、移動規制部２８３）と、を有する
ことを特徴とする遊技機。
【０４８３】
また、上記構成の第８の遊技機は、
前記係合部は、前記封印子の挿通方向に交差する方向で前記封印子貫通部に対向し、
前記封印子貫通部は、前記係合部が接続される接続部を有するようにしてもよい。
【０４８４】
なお、第８の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４８５】
また、上記第２の課題を解決するために、本発明では、以下のような構成の第９の遊技機を提供する。
【０４８６】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、前記封印子が貫通する貫通孔（例えば、貫通孔２２８）を有する封印子貫通部（例えば、ピン貫通部２２１）と、前記封印子貫通部に設けられた係合部（例えば、係合溝２２７）と、を有し、
前記第２封印部は、前記第１封印部の前記封印子貫通部が当接すると共に前記封印子が挿通する封印子用孔（例えば、ピン挿通孔２８１）を有する封印ベース（例えば、封印ベース２７１）と、前記封印子用孔に挿通された前記封印子の挿通方向と反対の方向への移動を係止する封印用係合部（例えば、封印用係合部材２７３）材と、前記封印ベースから突出した壁部（例えば、係合壁２８２）と、前記壁部に形成され、前記第１封印部の前記係合部に係合して前記第１封印部における前記封印子の挿通方向に交差する方向の移動を規制する移動規制部（例えば、移動規制部２８３）と、を有し、
前記移動規制部又は前記係合部は、前記封印子の挿通方向に沿って延びるリブであり、
前記係合部又は前記移動規制部は、前記封印子の挿通方向に沿って延びる係合溝であり、
前記リブは、前記封印子の挿通方向に沿って前記係合溝に挿入され、
前記係合溝は、前記リブが挿入される方向に至るにつれて溝幅が狭くなる
ことを特徴とする遊技機。
【０４８７】
なお、第９の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４８８】
上記構成の第７〜第９の遊技機によれば、封印作業の確実性を向上させることができる。
【０４８９】
［第１０〜第１２の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。
【０４９０】
しかしながら、特開２０１０−２０１０２９号公報に記載されたような基板ケースの封印構造を有する遊技機では、封印作業が不完全である場合に、不正行為を防止できなくなることになる。そのため、封印作業の確実性が求められていた。
【０４９１】
本発明は、上記第３の課題を解決するためになされたものであり、本発明の第３の目的は、封印作業の確実性を向上させることが可能な遊技機を提供することである。
【０４９２】
上記第３の課題を解決するために、本発明では、以下のような構成の第１０の遊技機を提供する。
【０４９３】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、前記封印子が貫通する貫通孔（例えば、貫通孔２２８）を有する封印子貫通部（例えば、ピン貫通部２２１）を有し、
前記第２封印部は、前記封印子が挿通する封印子用孔（例えば、ピン挿通孔２８１）を有する封印ベースと、前記封印子用孔に挿通された前記封印子の挿通方向と反対の方向への移動を係止する封印用係合部材（例えば、封印用係合部材２７３）と、を有し、
前記封印子貫通部は、前記貫通孔の周壁面から突出し、前記封印子の挿通方向への移動を規制し、前記封印子が前記封印用係合部材に係合する封印位置に配置されないように前記封印子を前記封印子貫通部内の待機位置に保持する複数の封印子保持部（例えば、ピン保持部２２９）を有し、
前記第１封印部及び前記第２封印部は、前記封印子の挿通方向が水平方向となるような姿勢で配置されており、
前記複数の封印子保持部は、前記封印子における鉛直方向の下側を避けて配置されており、少なくとも２つの封印子保持部で前記封印子を保持する
ことを特徴とする遊技機。
【０４９４】
また、上記構成の第１０の遊技機は、
前記第１封印部は、前記封印子貫通部に前記封印子を収容した状態で前記封印子貫通部の開口の一部を塞いで前記封印子の抜け出しを係止する封印蓋（例えば、封印蓋２２２）を有するようにしてもよい。
【０４９５】
なお、第１０の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０４９６】
また、上記第３の課題を解決するために、本発明では、以下のような構成の第１１の遊技機を提供する。
【０４９７】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、前記封印子が貫通する貫通孔（例えば、貫通孔２２８）を有する封印子貫通部（例えば、ピン貫通部２２１）を有し、
前記第２封印部は、前記封印子が挿通する封印子用孔（例えば、ピン挿通孔２８１）を有する封印ベースと、前記封印子用孔に挿通された前記封印子の挿通方向と反対の方向への移動を係止する封印用係合部材（例えば、封印用係合部材２７３）と、を有し、
前記封印子貫通部は、前記貫通孔の周壁面から突出し、前記封印子の挿通方向への移動を規制し、前記封印子が前記封印用係合部材に係合する封印位置に配置されないように前記封印子を前記封印子貫通部内の待機位置に保持する複数の封印子保持部（例えば、ピン保持部２２９）を有し、
前記第１封印部及び前記第２封印部は、前記封印子の挿通方向が水平方向となるような姿勢で配置されており、
前記複数の封印子保持部は、前記封印子における鉛直方向の下側を避けて配置されており、少なくとも２つの封印子保持部で前記封印子を保持し、
前記封印子は、先端部がテーパー状の円柱に形成されており、
前記複数の封印子保持部における前記封印子との接触点を通る円の径は、前記封印子の先端の径よりは大きく、前記封印子の中間部の径よりは小さく設定されており、
前記封印子貫通部は、前記待機位置において前記封印子の先端部が配置される封印子用凹部（例えば、ピン用凹部２２６）を有する
ことを特徴とする遊技機。
【０４９８】
また、上記構成の第１１の遊技機は、
前記第１封印部は、前記封印子貫通部に前記封印子を収容した状態で前記封印子貫通部の開口の一部を塞いで前記封印子の抜け出しを係止する封印蓋（例えば、封印蓋２２２）を有するようにしてもよい。
【０４９９】
なお、第１１の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０５００】
また、上記第３の課題を解決するために、本発明では、以下のような構成の第１２の遊技機を提供する。
【０５０１】
第１部材（例えば、第１部材２０２）と第２部材（例えば、第２部材２０３）とを備える遊技機であって、
前記第１部材は、第１封印部（例えば、第１封印部２１２）を有し、
前記第２部材は、封印子（例えば、封印ピン２３０）によって前記第１封印部と接続され、前記第１部材と前記第２部材の結合状態を封印する第２封印部（例えば、第２封印部２１６）を有し、
前記第１封印部は、前記封印子が貫通する貫通孔（例えば、貫通孔２２８）を有する封印子貫通部（例えば、ピン貫通部２２１）を有し、
前記第２封印部は、前記封印子が挿通する封印子用孔（例えば、ピン挿通孔２８１）を有する封印ベースと、前記封印子用孔に挿通された前記封印子の挿通方向と反対の方向への移動を係止する封印用係合部材（例えば、封印用係合部材２７３）と、を有し、
前記封印子貫通部は、前記貫通孔の周壁面から突出し、前記封印子の挿通方向への移動を規制し、前記封印子が前記封印用係合部材に係合する封印位置に配置されないように前記封印子を前記封印子貫通部内の待機位置に保持する複数の封印子保持部（例えば、ピン保持部２２９）を有し、
前記第１封印部及び前記第２封印部は、前記封印子の挿通方向が水平方向となるような姿勢で配置されており、
前記複数の封印子保持部は、前記封印子を案内する傾斜面（例えば、傾斜面２２９ａ）を前記封印子が挿入される側の端部に有し、前記封印子における鉛直方向の下側を避けて配置されており、少なくとも２つの封印子保持部で前記封印子を保持する
ことを特徴とする遊技機。
【０５０２】
また、上記構成の第１２の遊技機は、
前記第１封印部は、前記封印子貫通部に前記封印子を収容した状態で前記封印子貫通部の開口の一部を塞いで前記封印子の抜け出しを係止する封印蓋（例えば、封印蓋２２２）を有するようにしてもよい。
【０５０３】
なお、第１２の遊技機においては、封印用係合部材が弾性変形する複数の係合片を有するものに限定されない。第１の遊技機に係る封印用係合部材としては、例えば、金属の塑性変形を利用したカシメ用部材やリベット用部材、圧入固定用部材等であってもよい。
【０５０４】
上記構成の第１０〜第１２の遊技機によれば、封印作業の確実性を向上させることができる。
【０５０５】
［第１３〜第１６の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。
【０５０６】
しかしながら、特開２０１０−２０１０２９号公報に記載されたような基板ケースの封印構造を有する遊技機では、より強固な封印構造が求められていた。
【０５０７】
本発明は、上記第４の課題を解決するためになされたものであり、本発明の第４の目的は、強固な封印構造を実現できる遊技機を提供することである。
【０５０８】
上記第４の課題を解決するために、本発明では、以下のような構成の第１３の遊技機を提供する。
【０５０９】
第１部材（例えば、第１部材４０２）と第２部材（例えば、第２部材４０３）とを備える遊技機であって、
前記第１部材は、第１封印部（例えば、第１封印部４１２）を有し、
前記第２部材は、封印子（例えば、封印ピン２３０）によって前記第１封印部と接続され、前記第１部材と前記第２部材の結合状態を封印する第２封印部（例えば、第２封印部４１６）を有し、
前記第１封印部は、前記封印子が貫通する貫通孔（例えば、貫通孔２２８）を有する封印子貫通部（例えば、ピン貫通部２２１）を有し、
前記第２封印部は、前記第１封印部の前記封印子貫通部が当接すると共に前記封印子が挿通する封印子用孔（例えば、ピン挿通孔４８５）を有する第２封印部本体（例えば、封印ベース４７１及び封印カバー４７２）と、前記封印子用孔に挿通された前記封印子の挿通方向と反対の方向への移動を係止する封印用係合部材（例えば、封印用係合部材４７３）と、を有し、
前記封印子は、円柱状に形成され、周方向に延びる係合溝を有する係合溝付きピンであり、
前記封印用係合部材は、前記封印子が貫通する貫通孔（例えば、ピン貫通孔４９７ｂ）と、前記貫通孔の周縁部から当該貫通孔の中心に向かって突出し、弾性変形して前記封印子の前記係合溝に係合する複数の係合片（例えば、複数の係合片４９９）とを有し、
前記複数の係合片の先端は、前記封印子の前記係合溝が設けられている部分の曲率に対応した円弧状に形成されていると共に、前記貫通孔と同心であって前記封印子の前記係合溝が設けられている部分の径と同じ円よりも前記貫通孔の中心側に変位している
ことを特徴とする遊技機。
【０５１０】
また、上記第４の課題を解決するために、本発明では、以下のような構成の第１４の遊技機を提供する。
【０５１１】
第１部材（例えば、第１部材２０２）と第２部材（例えば、第２部材２０３）とを備える遊技機であって、
前記第１部材は、第１封印部（例えば、第１封印部４１２）を有し、
前記第２部材は、封印子（例えば、封印ピン２３０）によって前記第１封印部と接続され、前記第１部材と前記第２部材の結合状態を封印する第２封印部（例えば、第２封印部４１６）を有し、
前記第１封印部は、前記封印子が貫通する貫通孔（例えば、貫通孔２２８）を有する封印子貫通部（例えば、ピン貫通部２２１）を有し、
前記第２封印部は、前記第１封印部の前記封印子貫通部が当接すると共に前記封印子が挿通する封印子用孔（例えば、ピン挿通孔４８５）を有する第２封印部本体（例えば、封印ベース４７１及び封印カバー４７２）と、前記封印子用孔に挿通された前記封印子の挿通方向と反対の方向への移動を係止する封印用係合部材（例えば、封印用係合部材４７３）と、を有し、
前記封印子は、円柱状に形成され、周方向に延びる係合溝を有する係合溝付きピンであり、
前記封印用係合部材は、板状の係合部材本体（例えば、本体板４９７）と、前記係合部材本体に設けられ、前記封印子が貫通する貫通孔（例えば、ピン貫通孔４９７ｂ）と、前記貫通孔の周縁部から当該貫通孔の中心に向かって突出し、弾性変形して前記封印子の前記係合溝に係合する複数の係合片（例えば、複数の係合片４９９）と、前記係合部材本体の互いに対向する２つの辺に連続する２つの折り曲げ係合部（例えば、２つの折り曲げ係合部４９８）と、を有し、
前記複数の係合片の先端は、前記封印子の前記係合溝が設けられている部分の曲率に対応した円弧状に形成されていると共に、前記貫通孔と同心であって前記封印子の前記係合溝が設けられている部分の径と同じ円よりも前記貫通孔の中心側に変位しており、
前記第２封印部本体は、前記２つの折り曲げ係合部が係合する２つの本体側係合部（例えば、２つのベース側係合部４７９）を有する
ことを特徴とする遊技機。
【０５１２】
また、上記構成の第１４の遊技機は、
前記封印用係合部材は、前記係合部材本体に設けられた位置決め用貫通孔（例えば、位置決め用貫通孔４９７ａ）を有し、
前記第２封印部本体は、前記凸部及び前記本体側係合部が設けられた封印ベース（例えば、封印ベース４７１）と、前記封印子用孔が設けられており、前記封印ベースとの間に前記封印用係合部材を挟んで固定する封印カバー（例えば、封印カバー４７２）と、前記位置決め用貫通孔を貫通する凸部（例えば、凸部４７８）とを有し、
前記封印カバーは、前記封印ベースの前記凸部が嵌合する嵌合凹部（例えば、嵌合凹部４９１）を有するようにしてもよい。
【０５１３】
また、上記第４の課題を解決するために、本発明では、以下のような構成の第１５の遊技機を提供する。
【０５１４】
第１部材（例えば、第１部材２０２）と第２部材（例えば、第２部材２０３）とを備える遊技機であって、
前記第１部材は、第１封印部（例えば、第１封印部４１２）を有し、
前記第２部材は、封印子（例えば、封印ピン２３０）によって前記第１封印部と接続され、前記第１部材と前記第２部材の結合状態を封印する第２封印部（例えば、第２封印部４１６）を有し、
前記第１封印部は、前記封印子が貫通する貫通孔（例えば、貫通孔２２８）を有する封印子貫通部（例えば、ピン貫通部２２１）を有し、
前記第２封印部は、前記第１封印部の前記封印子貫通部が当接すると共に前記封印子が挿通する封印子用孔（例えば、ピン挿通孔４８５）を有する封印カバー（例えば、封印カバー４７２）と、前記封印子用孔に挿通された前記封印子の挿通方向と反対の方向への移動を係止する封印用係合部材（例えば、封印用係合部材４７３）と、前記封印カバーとの間に前記封印用係合部材を挟んで固定する封印ベース（例えば、封印ベース４７１）とを有し、
前記封印子は、円柱状に形成され、周方向に延びる係合溝を有する係合溝付きピンであり、
前記封印用係合部材は、前記封印子が貫通する貫通孔（例えば、ピン貫通孔４９７ｂ）と、前記貫通孔の周縁部から当該貫通孔の中心に向かって突出し、弾性変形して前記封印子の前記係合溝に係合する複数の係合片（例えば、複数の係合片４９９）と、を有し、
前記複数の係合片の先端は、前記封印子の前記係合溝が設けられている部分の曲率に対応した円弧状に形成されていると共に、前記貫通孔と同心であって前記封印子の前記係合溝が設けられている部分の径と同じ円よりも前記貫通孔の中心側に変位しており、
前記封印ベースは、前記封印カバーが配置される第１凹部（例えば、第１凹部４７４）と、前記第１の凹部の底面に形成され、前記封印用係合部材が当接する底面を有する第２凹部（例えば、第２凹部４７５）とを有し、
前記第１凹部の底面は、前記封印カバーと溶着されている
ことを特徴とする遊技機。
【０５１５】
また、上記第４の課題を解決するために、本発明では、以下のような構成の第１６の遊技機を提供する。
【０５１６】
第１部材（例えば、第１部材２０２）と第２部材（例えば、第２部材２０３）とを備える遊技機であって、
前記第１部材は、第１封印部（例えば、第１封印部４１２）を有し、
前記第２部材は、封印子（例えば、封印ピン２３０）によって前記第１封印部と接続され、前記第１部材と前記第２部材の結合状態を封印する第２封印部（例えば、第２封印部４１６）を有し、
前記第１封印部は、前記封印子が貫通する貫通孔（例えば、貫通孔２２８）を有する封印子貫通部（例えば、ピン貫通部２２１）を有し、
前記第２封印部は、前記第１封印部の前記封印子貫通部が当接すると共に前記封印子が挿通する封印子用孔（例えば、ピン挿通孔４８５）を有する封印カバー（例えば、封印カバー４７２）と、前記封印子用孔に挿通された前記封印子の挿通方向と反対の方向への移動を係止する封印用係合部材（例えば、封印用係合部材４７３）と、前記封印カバーとの間に前記封印用係合部材を挟んで固定する封印ベース（例えば、封印ベース４７１）とを有し、
前記封印子は、円柱状に形成され、周方向に延びる係合溝を有する係合溝付きピンであり、
前記封印用係合部材は、前記封印子が貫通する貫通孔（例えば、ピン貫通孔４９７ｂ）と、前記貫通孔の周縁部から当該貫通孔の中心に向かって突出し、弾性変形して前記封印子の前記係合溝に係合する複数の係合片（例えば、複数の係合片４９９）と、を有し、
前記複数の係合片の先端は、前記封印子の前記係合溝が設けられている部分の曲率に対応した円弧状に形成されていると共に、前記貫通孔と同心であって前記封印子の前記係合溝が設けられている部分の径と同じ円よりも前記貫通孔の中心側に変位しており、
前記封印ベースは、前記複数の係合片における少なくとも１つの係合片の先端側と反対の根元側に当接する当接部（例えば、第２凹部４７５の底面）を有する
ことを特徴とする遊技機。
【０５１７】
上記構成の第１３〜第１６の遊技機によれば、強固な封印構造を実現することができる。
【０５１８】
［第１７〜第２１の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。また、検査等で基板ケースを開放する場合がある。そのため、特許文献１に記載された遊技機は、予め定められた部分を破壊することにより、基板ケースの封印を解除することが可能である。
【０５１９】
しかしながら、特開２０１０−２０１０２９号公報に記載された遊技機では、予め定められた部分を特殊な器具などで破壊（切断）することにより、破壊（切断）の痕跡をほとんど残さずに基板ケースの封印が解除される虞があった。なお、痕跡をほとんど残さずに基板ケースの封印が解除されると、不正行為の発覚が遅れ、被害が大きくなってしまう。
【０５２０】
本発明は、上記第５の課題を解決するためになされたものであり、本発明の第５の目的は、封印が解除された場合に痕跡が残るようにすることが可能な遊技機を提供することである。
【０５２１】
上記第５の課題を解決するために、本発明では、以下のような構成の第１７の遊技機を提供する。
【０５２２】
第１部材（例えば、第１部材６０２）と第２部材（例えば、第２部材６０３）とを備える遊技機であって、
前記第１部材は、第１部材本体と、第１封印部（例えば、第１封印部６１２）と、前記第１部材本体と前記第１封印部とを連結する連結部（例えば、連結部６６５）と、を有し、
前記第２部材は、前記第１封印部と接続され、前記第１部材と前記第２部材の結合状態を封印する第２封印部（例えば、第２封印部６２６）を有し、
前記連結部は、前記第１部材本体に連続すると共に切断可能な厚みの連結片（例えば、連結片６７１Ａ，６７１Ｂ，６７１Ｃ，６７１Ｄ）と、前記連結片に連続して設けられており、前記連結片よりも厚みが薄い肉薄部（例えば、肉薄部６７４Ａ，６７４Ｂ，６７４Ｃ，６７４Ｄ）と、を有する
ことを特徴とする遊技機。
【０５２３】
また、上記第５の課題を解決するために、本発明では、以下のような構成の第１８の遊技機を提供する。
【０５２４】
第１部材（例えば、第１部材６０２）と第２部材（例えば、第２部材６０３）とを備える遊技機であって、
前記第１部材は、第１部材本体と、第１封印部（例えば、第１封印部６１２）と、前記第１部材本体と前記第１封印部とを連結する連結部（例えば、連結部６６５）と、を有し、
前記第２部材は、前記第１封印部と接続され、前記第１部材と前記第２部材の結合状態を封印する第２封印部（例えば、第２封印部６２６）を有し、
前記連結部は、前記第１部材本体に連続すると共に切断可能な厚みの連結片（例えば、連結片６７１Ａ，６７１Ｂ，６７１Ｃ，６７１Ｄ）と、前記連結片に連続して設けられており、前記連結片よりも厚みが薄い肉薄部（例えば、肉薄部６７４Ａ，６７４Ｂ，６７４Ｃ，６７４Ｄ）と、を有し、
前記連結片は、２つ以上設けられており、
前記肉薄部は、隣り合う連結片間に設けられている
ことを特徴とする遊技機。
【０５２５】
また、上記第５の課題を解決するために、本発明では、以下のような構成の第１９の遊技機を提供する。
【０５２６】
第１部材（例えば、第１部材６０２）と第２部材（例えば、第２部材６０３）とを備える遊技機であって、
前記第１部材は、第１部材本体と、第１封印部（例えば、第１封印部６１２）と、前記第１部材本体と前記第１封印部とを連結する連結部（例えば、連結部６６５）と、を有し、
前記第２部材は、前記第１封印部と接続され、前記第１部材と前記第２部材の結合状態を封印する第２封印部（例えば、第２封印部６２６）を有し、
前記連結部は、前記第１部材本体に連続すると共に切断可能な厚みの連結片（例えば、連結片６７１Ａ，６７１Ｂ，６７１Ｃ，６７１Ｄ）と、前記連結片に連続して設けられており、前記連結片よりも厚みが薄い肉薄部（例えば、肉薄部６７４Ａ，６７４Ｂ，６７４Ｃ，６７４Ｄ）と、を有し、
前記肉薄部は、前記連結部を囲んでいる
ことを特徴とする遊技機。
【０５２７】
また、上記第５の課題を解決するために、本発明では、以下のような構成の第２０の遊技機を提供する。
【０５２８】
第１部材（例えば、第１部材６０２）と第２部材（例えば、第２部材６０３）とを備える遊技機であって、
前記第１部材は、第１部材本体と、第１封印部（例えば、第１封印部６１２）と、前記第１部材本体と前記第１封印部とを連結する連結部（例えば、連結部６６５）と、を有し、
前記第２部材は、前記第１封印部と接続され、前記第１部材と前記第２部材の結合状態を封印する第２封印部（例えば、第２封印部６２６）を有し、
前記連結部は、前記第１部材本体に連続すると共に切断可能な厚みの連結片（例えば、連結片６７１Ａ，６７１Ｂ，６７１Ｃ，６７１Ｄ）と、前記連結片に連続して設けられており、前記連結片よりも厚みが薄い肉薄部（例えば、肉薄部６７４Ａ，６７４Ｂ，６７４Ｃ，６７４Ｄ）と、を有し、
前記連結片における前記肉薄部に連続する辺の少なくとも一部が湾曲している
ことを特徴とする遊技機。
【０５２９】
また、上記第５の課題を解決するために、本発明では、以下のような構成の第２１の遊技機を提供する。
【０５３０】
第１部材（例えば、第１部材６０２）と第２部材（例えば、第２部材６０３）とを備える遊技機であって、
前記第１部材は、第１部材本体と、第１封印部（例えば、第１封印部６１２）と、前記第１部材本体と前記第１封印部とを連結する連結部（例えば、連結部６６５）と、を有し、
前記第２部材は、前記第１封印部と接続され、前記第１部材と前記第２部材の結合状態を封印する第２封印部（例えば、第２封印部６２６）を有し、
前記連結部は、前記第１部材本体に連続すると共に切断可能な厚みの連結片（例えば、連結片６７１Ａ，６７１Ｂ，６７１Ｃ，６７１Ｄ）と、前記連結片に連続して設けられており、前記連結片よりも厚みが薄い肉薄部（例えば、肉薄部６７４Ａ，６７４Ｂ，６７４Ｃ，６７４Ｄ）と、を有し、
前記肉薄部には、スリットが設けられている
ことを特徴とする遊技機。
【０５３１】
また、上記構成の第２１の遊技機は、
前記スリットは、折れ線状に形成されているようにしてもよい。
【０５３２】
上記構成の第１７〜第２１の遊技機によれば、封印が解除された場合に痕跡が残るようにすることができる。
【０５３３】
［第２２〜第２４の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。
【０５３４】
しかしながら、ケース体の封印を解除せずに、ケース体に形成された小さな孔に針金を通して、ケース体の内部に対して不正行為が行われる虞がある。この不正行為としては、例えば、電気部品を意図的にショート（短絡）させることを挙げることができる。
【０５３５】
本発明は、上記第６の課題を解決するためになされたものであり、本発明の第６の目的は、ケース体の外部から内部への器具等の侵入を防ぐことが可能な遊技機を提供することである。
【０５３６】
上記第６の課題を解決するために、本発明では、以下のような構成の第２２の遊技機を提供する。
【０５３７】
遊技機本体（例えば、外装体５０２）と、
前記遊技機本体に配置され、筐体状に形成された基板ケース（例えば、主制御基板ケース６０１）と、
前記基板ケースの内部に配置された基板（例えば、主制御基板３７１）と、
前記基板ケースの外装部と一体に設けられた軸受け部（例えば、一対の軸受け部６１８，６１９）と、
前記軸受け部に回動可能に支持された回動部材（例えば、スイッチカバー６２２）と、
前記基板ケースの内部に設けられた部品（例えば、設定用鍵型スイッチ３５７）の取付けブラケット（例えば、スイッチ用ブラケット６２１）と、を備え、
前記取付けブラケットは、基板ケースの内面における前記軸受け部に対応する部分に配置されている
ことを特徴とする遊技機。
【０５３８】
また、上記構成の第２２の遊技機は、
前記軸受け部には、前記基板ケースの内部に連通する連通孔（例えば、連通孔６１８ａ，６１９ａ）が形成されており、
前記取付けブラケットは、前記連通孔に向かって延びる腕部（例えば、腕部７３４，７３５）と、前記腕部に設けられ、前記連通孔に嵌合する嵌合部（例えば、嵌合凸部７４１，７４２）とを有するようにしてもよい。
【０５３９】
また、上記第６の課題を解決するために、本発明では、以下のような構成の第２３の遊技機を提供する。
【０５４０】
遊技機本体（例えば、外装体５０２）と、
前記遊技機本体に配置され、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、
前記第１部材の外装部と一体に設けられた軸受け部（例えば、一対の軸受け部６１８，６１９）と、
前記軸受け部に回動可能に支持された回動部材（例えば、スイッチカバー６２２）と、
前記基板ケースの内部に設けられた部品（例えば、設定用鍵型スイッチ３５７）の取付けブラケット（例えば、スイッチ用ブラケット６２１）と、を備え、
前記取付けブラケットは、前記第１部材に固定され、基板ケースの内面における前記軸受け部に対応する部分に配置されている
ことを特徴とする遊技機。
【０５４１】
また、前記本発明の遊技機は、
前記軸受け部には、前記基板ケースの内部に連通する連通孔（例えば、連通孔６１８ａ，６１９ａ）が形成されており、
前記取付けブラケットは、前記連通孔に嵌合する嵌合部（例えば、嵌合凸部７４１，７４２）を有するようにしてもよい。
【０５４２】
また、上記第６の課題を解決するために、本発明では、以下のような構成の第２４の遊技機を提供する。
【０５４３】
遊技機本体（例えば、外装体５０２）と、
前記遊技機本体に配置され、筐体状に形成された基板ケース（例えば、主制御基板ケース６０１）と、
前記基板ケースの内部に配置された基板（例えば、主制御基板３７１）と、
前記基板ケースの外装部と一体に設けられた軸受け部（例えば、一対の軸受け部６１８，６１９）と、
前記軸受け部に回動可能に支持された回動部材（例えば、スイッチカバー６２２）と、
前記基板ケースの内部に設けられた部品（例えば、設定用鍵型スイッチ３５７）の取付けブラケット（例えば、スイッチ用ブラケット６２１）と、を備え、
前記取付けブラケットは、基板ケースの内面における前記軸受け部に対応する部分に配置されており、
前記軸受け部には、前記基板ケースの内部に連通する連通孔（例えば、連通孔６１８ａ，６１９ａ）が形成されており、
前記取付けブラケットは、前記連通孔に嵌合する嵌合部（例えば、嵌合凸部７４１，７４２）と、前記嵌合部が突出すると共に前記基板ケースの内面に当接する当接面（例えば、先端面７３４ａ，７３５ａ）とを有する
ことを特徴とする遊技機。
【０５４４】
上記構成の第２２〜第２４の遊技機によれば、ケース体の外部から内部への器具等の侵入を防ぐことができる。
【０５４５】
［第２５〜第２８の遊技機］
従来、基板ケースを封印するために封印シールを用いる遊技機が知られている（例えば、特開２００７−３１２９１７号公報参照）。特開２００７−３１２９１７号公報に記載された遊技機によれば、基板ケースの封印を解除する際に封印シールに痕跡が残るため、基板ケースの内部に配置された基板に対する不正行為を抑制或いは発見することができる。
【０５４６】
しかしながら、基板ケースの封印を解除して不正行為を行った後に、正規の封印シールに似た偽の封印シールを貼って基板ケースの封印を解除したことを隠すなど、不正行為の方法がより高度になっている。そのため、不正行為のより高度な対策が求められていた。
【０５４７】
本発明は、上記第７の課題を解決するためになされたものであり、本発明の第７の目的は、封印シールを用いて基板ケースを封印する場合に不正行為の対策を向上させることができる遊技機を提供することである。
【０５４８】
上記第７の課題を解決するために、本発明では、以下のような構成の第２５の遊技機を提供する。
【０５４９】
遊技機本体（例えば、外装体５０２）と、
前記遊技機本体に配置され、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、
前記第１部材と前記第２部材に亘って貼り付けられる封印シール（例えば、封印シール６４０）と、を備え、
前記第１部材は、上方に向いて傾斜する第１斜面（例えば、第１斜面６８１）を有し、
前記第２部材は、上方に向いて傾斜する第２斜面（例えば、第２斜面６９１）を有し、
前記第１斜面と前記第２斜面は、前記封印シールを貼り付けるシール貼付け面（例えば、シール貼付け面６３０）を形成し、
前記シール貼付け面は、下方に向かうにつれて基板ケースの外形を大きくするように傾斜しており、上部に前記第１部材と前記第２部材とを締結するねじが挿入されるねじ挿入凹部（例えば、ねじ挿入凹部６８２）を有する
ことを特徴とする遊技機。
【０５５０】
また、上記構成の第２５の遊技機は、
前記第１部材と前記第２部材は、上下方向で互いに重ね合されており、
前記第１斜面は、前記シール貼付け面の上部を形成し、
前記第２斜面は、前記シール貼付け面の下部を形成するようにしてもよい。
【０５５１】
また、上記構成の第２５の遊技機は、
前記第１部材と前記第２部材は、上下方向で互いに重ね合されており、
前記第１斜面は、前記シール貼付け面の左側を形成し、
前記第２斜面は、前記シール貼付け面の右側を形成するようにしてもよい。
【０５５２】
また、上記第７の課題を解決するために、本発明では、以下のような構成の第２６の遊技機を提供する。
【０５５３】
遊技機本体（例えば、外装体５０２）と、
前記遊技機本体に配置され、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、
前記第１部材と前記第２部材に亘って貼り付けられる封印シール（例えば、封印シール６４０）と、
前記封印シールを覆うシールカバー（例えば、シールカバー６４１）と、を備え、
前記第１部材は、上方に向いて傾斜する第１斜面（例えば、第１斜面６８１）を有し、
前記第２部材は、上方に向いて傾斜する第２斜面（例えば、第２斜面６９１）を有し、
前記第１斜面と前記第２斜面は、前記封印シールを貼り付けるシール貼付け面（例えば、シール貼付け面６３０）を形成し、
前記シール貼付け面は、下方に向かうにつれて基板ケースの外形を大きくするように傾斜しており、上部に前記第１部材と前記第２部材とを締結するねじが挿入されるねじ挿入凹部（例えば、ねじ挿入凹部６８２）を有し、
前記シールカバーは、前記封印シールの一部を露出させるシール用窓を有している
ことを特徴とする遊技機。
【０５５４】
また、上記構成の第２６の遊技機は、
前記第１部材と前記第２部材は、上下方向で互いに重ね合されており、
前記第１斜面は、前記シール貼付け面の上部を形成し、
前記第２斜面は、前記シール貼付け面の下部を形成するようにしてもよい。
【０５５５】
また、上記構成の第２６の遊技機は、
前記第１部材と前記第２部材は、上下方向で互いに重ね合されており、
前記第１斜面は、前記シール貼付け面の左側を形成し、
前記第２斜面は、前記シール貼付け面の右側を形成するようにしてもよい。
【０５５６】
また、上記第７の課題を解決するために、本発明では、以下のような構成の第２７の遊技機を提供する。
【０５５７】
遊技機本体（例えば、後述の外装体５０２）と、
前記遊技機本体に配置され、第１部材（例えば、後述の第１部材６０２）と第２部材（例えば、後述の第２部材６０３）が上下方向で互いに重ね合されて筐体状に形成された基板ケース（例えば、後述の主制御基板ケース６０１）と、
前記基板ケースの内部に配置された基板（例えば、後述の主制御基板３７１）と、
前記第１部材と前記第２部材に亘って貼り付けられる封印シール（例えば、後述の封印シール６４０）と、
前記封印シールを覆うシールカバー（例えば、後述のシールカバー６４１）と、を備え、
前記第１部材は、上方に向いて傾斜する第１斜面（例えば、後述の第１斜面６８１）を有し、
前記第２部材は、上方に向いて傾斜する第２斜面（例えば、後述の第２斜面６９１）を有し、
前記第１斜面と前記第２斜面は、前記封印シールを貼り付けるシール貼付け面（例えば、後述のシール貼付け面６３０）を形成し、
前記シール貼付け面は、下方に向かうにつれて基板ケースの外形を大きくするように傾斜しており、上部に前記第１部材と前記第２部材とを締結するねじが挿入されるねじ挿入凹部（例えば、後述のねじ挿入凹部６８２）を有し、
前記シールカバーは、第１係止爪（例えば、後述の第１係止爪６４５）と、第２係止爪（例えば、後述の第２係止爪６４８）を有し、
前記第１部材は、前記シールカバーを案内するガイド部（例えば、後述のガイド部６８６Ａ，６８６Ｂ）と、前記シールカバーが前記ガイド部に案内される際に前記シールカバーの前記第１係止爪を弾性変形させる爪摺動部（例えば、後述の爪挿入孔６８３を形成する孔壁面）と、前記シールカバーの取り付け位置において弾性変形が解かれた第１係止爪が係合する爪係合部（例えば、後述の第１爪係合部６８４）と、を有し、
前記第２部材は、前記シールカバーが前記ガイド部に案内される際に前記シールカバーの前記第２係止爪を弾性変形させる爪摺動部（例えば、後述の第２シール貼付け部６２８の側面）と、前記シールカバーの取り付け位置において弾性変形が解かれた第２係止爪が係合する爪係合部（例えば、後述の第２シール貼付け部６２８の底面）と、を有する
ことを特徴とする遊技機。
【０５５８】
また、上記第７の課題を解決するために、本発明では、以下のような構成の第２７の遊技機を提供する。
【０５５９】
遊技機本体（例えば、外装体５０２）と、
前記遊技機本体に配置され、第１部材（例えば、第１部材６０２）と第２部材（例えば、第２部材６０３）が上下方向で互いに重ね合されて筐体状に形成された基板ケース（例えば、主制御基板ケース６０１）と、
前記基板ケースの内部に配置された基板（例えば、主制御基板３７１）と、
前記第１部材と前記第２部材に亘って貼り付けられる封印シール（例えば、封印シール６４０）と、
前記封印シールを覆うシールカバー（例えば、シールカバー６４１）と、を備え、
前記第１部材は、上方に向いて傾斜する第１斜面（例えば、第１斜面６８１）を有し、
前記第２部材は、上方に向いて傾斜する第２斜面（例えば、第２斜面６９１）を有し、
前記第１斜面と前記第２斜面は、前記封印シールを貼り付けるシール貼付け面（例えば、シール貼付け面６３０）を形成し、
前記シール貼付け面は、下方に向かうにつれて基板ケースの外形を大きくするように傾斜しており、上部に前記第１部材と前記第２部材とを締結するねじが挿入されるねじ挿入凹部（例えば、ねじ挿入凹部６８２）を有し、
前記シールカバーは、第１係止爪（例えば、第１係止爪６４５）と、第２係止爪（例えば、第２係止爪６４８）を有し、
前記第１部材は、前記シールカバーを案内するガイド部（例えば、ガイド部６８６Ａ，６８６Ｂ）と、前記シールカバーが前記ガイド部に案内される際に前記シールカバーの前記第１係止爪を弾性変形させる第１爪摺動部（例えば、爪挿入孔６８３を形成する孔壁面）と、前記シールカバーが前記ガイド部に案内される際に前記シールカバーの前記第２係止爪を弾性変形させる第２爪摺動部（例えば、第１シール貼付け部６１４の側面）と、前記シールカバーの取り付け位置において弾性変形が解かれた第１係止爪が係合する爪係合部（例えば、第１爪係合部６８４）と、を有し、
前記第２部材は、前記シールカバーの取り付け位置において弾性変形が解かれた第２係止爪が係合する爪係合部（例えば、第２シール貼付け部６２８の底面）と、を有する
ことを特徴とする遊技機。
【０５６０】
また、上記第７の課題を解決するために、本発明では、以下のような構成の第２８の遊技機を提供する。
【０５６１】
開口を有する筐体状の本体（例えば、キャビネット５０２ａ）と、前記本体に回動可能に取り付けられ、前記本体の開口を開閉するドア（例えば、フロントドア５０２ｂ）と、を有する遊技機本体（例えば、外装体５０２）と、
前記ドアに取り付けられ、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、
前記第１部材と前記第２部材に亘って貼り付けられる封印シール（例えば、封印シール６４０）と、を備え、
前記第１部材は、上方に向いて傾斜する第１斜面（例えば、第１斜面６８１）を有し、
前記第２部材は、上方に向いて傾斜する第２斜面（例えば、第２斜面６９１）を有し、
前記第１斜面と前記第２斜面は、前記封印シールを貼り付けるシール貼付け面（例えば、シール貼付け面６３０）を形成し、
前記シール貼付け面は、前記基板ケースにおける前記ドアの回動軸側と反対側の側部に設けられており、下方に向かうにつれて基板ケースの外形を大きくするように傾斜しており、上部に前記第１部材と前記第２部材とを締結するねじが挿入されるねじ挿入凹部（例えば、ねじ挿入凹部６８２）を有する
ことを特徴とする遊技機。
【０５６２】
また、上記構成の第２８の遊技機は、
前記第１部材と前記第２部材は、上下方向で互いに重ね合されており、
前記第１斜面は、前記シール貼付け面の上部を形成し、
前記第２斜面は、前記シール貼付け面の下部を形成するようにしてもよい。
【０５６３】
また、上記構成の第２８の遊技機は、
前記第１部材と前記第２部材は、上下方向で互いに重ね合されており、
前記第１斜面は、前記シール貼付け面の左側を形成し、
前記第２斜面は、前記シール貼付け面の右側を形成するようにしてもよい。
【０５６４】
上記構成の第２５〜第２８の遊技機によれば、封印シールを用いて基板ケースを封印する場合に不正行為の対策を向上させることができる。
【０５６５】
［第２９〜第３０の遊技機］
従来、カシメ部材を用いて基板ケースを封印する遊技機が知られている（例えば、特開２０１０−２０１０２９号公報参照）。特開２０１０−２０１０２９号公報に記載された遊技機によれば、基板ケースの開放が困難になり、基板ケース内に配置された基板に対する不正行為を防止すことが期待される。
【０５６６】
ところで、特開２０１０−２０１０２９号公報に記載されたような基板ケースは、封印された状態のまま遊技機本体から取り外すことが可能であり、封印を解除せずに、修理や検査に出すことが可能であった。そこで、基板ケースを単体とした場合の作業性の向上が求められていた。
【０５６７】
本発明は、上記第８の課題を解決するためになされたものであり、本発明の第８の目的は、遊技機本体から取り外した基板ケースに対して作業を行う場合の作業性が担保される遊技機を提供することである。
【０５６８】
上記第８の課題を解決するために、本発明では、以下のような構成の第２９の遊技機を提供する。
【０５６９】
遊技機本体（例えば、外装体５０２）と、
前記遊技機本体に配置され、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、を備え、
前記第２部材は、第２部材本体と、前記第２部材本体の下面から突出するケース取付用ブラケット（例えば、ケース取付用ブラケット６３１Ａ，６３１Ｂ）と、前記第２部材本体の下面から突出する凸部（例えば、凸部６３２，６３３）と、を有し、
前記凸部の高さは、前記ケース取付用ブラケットの前記第２部材本体の下面から突出する長さと同等に設定されている
ことを特徴とする遊技機。
【０５７０】
また、上記第８の課題を解決するために、本発明では、以下のような構成の第３０の遊技機を提供する。
【０５７１】
遊技機本体（例えば、外装体５０２）と、
前記遊技機本体に配置され、第１部材（例えば、第１部材６０２）と第２部材（例えば、第２部材６０３）が互いに重ね合されて筐体状に形成された基板ケース（例えば、主制御基板ケース６０１）と、
前記基板ケースの内部に配置された基板（例えば、主制御基板３７１）と、を備え、
前記第２部材は、第２部材本体と、前記第２部材本体の下面から突出するケース取付用ブラケット（例えば、ケース取付用ブラケット６３１Ａ，６３１Ｂ）と、前記第２部材本体の下面から突出する凸部（例えば、凸部６３２，６３３）と、を有し、
前記凸部の高さは、前記ケース取付用ブラケットの前記第２部材本体の下面から突出する長さと同等に設定されており、
前記凸部は前記基板ケースの内部空間に連通する中空に形成されており、
前記凸部の中空には、前記基板ケース内に設けた部品の少なくとも一部が配置されている
ことを特徴とする遊技機。
【０５７２】
上記構成の第２９〜第３０の遊技機によれば、遊技機本体から取り外した基板ケースに対して作業を行う場合の作業性を担保することができる。
【０５７３】
上述の実施形態は、発明の要旨を逸脱しない範囲であれば適宜組み合わせが可能である。また、各種付記、第１〜第１５の遊技機に関しても、発明の要旨を逸脱しない範囲であれば適宜組み合わせが可能である。さらに、上述の実施形態は、ぱちんこ機を含む各種遊技機に適用可能である。
【符号の説明】
【０５７４】
１，３０１，５０１・・・パチスロ、  ２，３０２，５０２・・・外装体（遊技機本体）、  ２ａ，３０２ａ，５０２ａ・・・キャビネット、  ２Ａ・・・内壁面、  ２ｂ，３０２ｂ，５０２ｂ・・・フロントドア、  ３Ｌ，３０３Ｌ，５０３Ｌ・・・左リール、  ３Ｃ，３０３Ｃ，５０３Ｃ・・・中リール、  ３Ｒ，３０３Ｒ，５０３Ｒ・・・右リール、  １７Ｌ，５１９Ｌ・・・左ストップボタン、  １７Ｃ，５１９Ｃ・・・中ストップボタン、  １７Ｒ，５１９Ｒ・・・右ストップボタン、  ４１・・・主制御回路、  ４２，３９１・・・副制御回路、  ２０１，４０１，６０１・・・主制御基板ケース、  ２０２，４０２，６０２・・・第１部材、  ２０３，４０３，６０３・・・第２部材、  ２１２，２１３，４１２，４１３，６１２，６１３・・・第１封印部、  ２１６，４１６，４２１，６２６，６５１・・・第２封印部、  ２２１，６６１・・・ピン貫通部、  ２２２，６６２・・・封印蓋、  ２２４Ａ，２２４Ｂ，６６４Ａ，６６４Ｂ・・・ピン収容筒、  ２２５，６６５・・・連結部、  ２２６，４８１・・・ピン用凹部、  ２２７・・・係合溝、  ２２８・・・貫通孔、  ２２９（２２９Ａ，２２９Ｂ）・・・ピン保持部、  ２２９ａ・・・傾斜面、  ２３０・・・封印ピン、  ２３０ａ・・・胴部、  ２３０ｂ・・・頭部、  ２３０ｃ・・・ピン係合溝、  ２４１Ａ，２４１Ｂ・・・連結片、  ２４２・・・接続片、  ２５１Ａ，２５１Ｂ・・・円盤部、  ２５２・・・接続部、  ２５３・・・貫通孔、  ２５５，６６７・・・ピン規制突部、  ２５６，４９３，６６８・・・溶着用突部、  ２７１，４７１，７１１，７２１・・・封印ベース、  ２７２，４７２・・・封印カバー、  ２７３，４７３・・・封印用係合部材、  ２８１，４８５・・・ピン挿通孔、  ２８２・・・係合壁、  ２８３・・・移動規制部、  ２８５，４７８・・・凸部、  ２８６，４９２・・・変形抑制部、  ２８７・・・ベース側係合部、  ２８８・・・溶着用段部、  ２９１，４９１・・・嵌合凹部、  ２９２・・・ピン用凹部、  ２９３・・・溶着用突部、  ２９４，４９４・・・仕切り突部、  ２９７・・・本体板、  ２９７ａ，４９７ａ・・・位置決め用貫通孔、  ２９７ｂ，４９７ｂ・・・ピン貫通孔、  ２９８，４９８・・・係合部、  ２９９，４９９・・・係合片、  ３４１，５４１・・・ミドルドア、  ４１５，６１７・・・ＲＯＭ用壁、  ４７４・・・第１凹部、  ４７５・・・第２凹部、  ４７６・・・第３凹部、  ４７７，７１２，７２２・・・防護壁、  ４７９・・・ベース側係合部、  ４８６，４８７・・・スペーサ突部、  ４９７・・・本体板、  ６０８・・・スイッチ用貫通孔、  ６１４・・・第１シール貼付け部、  ６１５・・・コネクタ用カバー、  ６１６・・・ボス部、  ６１８，６１９・・・一対の軸受け部、  ６１８ａ・・・連通孔、  ６２１・・・スイッチ用ブラケット、  ６２２・・・スイッチカバー、  ６２８・・・第２シール貼付け部、  ６３０・・・シール貼付け面、  ６３１Ａ・・・ケース取付用ブラケット、  ６３２，６３３・・・凸部、  ６４０・・・封印シール、  ６４１・・・シールカバー、  ６４２・・・カバー板、  ６４３，６４４・・・側板、  ６４５・・・第１係止爪、  ６４６・・・係合ピン、  ６４８・・・第２係止爪、  ６７１Ａ，６７１Ｂ，６７１Ｃ・・・連結片、  ６７２Ａ，６７２Ｂ・・・筐体片、  ６７３・・・接続片、  ６７４・・・係合突部、  ６７４Ａ，６７４Ｂ，６７４Ｃ，６７４Ｄ・・・肉薄部、  ６７５Ａ，６７５Ｂ・・・係合突部、  ６７７Ａ，６７７Ｂ・・・円盤部、  ６７８・・・接続部、  ６７９・・・貫通孔、  ６８１・・・第１斜面、  ６８２・・・挿入凹部、  ６８３・・・爪挿入孔、  ６８４・・・第１爪係合部、  ６８６Ａ，６８６Ｂ・・・ガイド部、  ６９１・・・第２斜面、  ６９２・・・爪規制部、  ６９３・・・固定用ボス部、  ７３１・・・スイッチ支持部、  ７３１ａ・・・第１枠壁、  ７３１ｂ・・・第２枠壁、  ７３２・・・固定部、  ７３２ａ・・・係合凹部、  ７３２ｂ・・・挿通孔、  ７３３・・・固定部、  ７３３ａ・・・係合凹部、  ７３３ｂ・・・挿通孔、  ７３４，７３５・・・２つの腕部、  ７３４ａ，７３５ａ・・・先端面、  ７４１・・・嵌合凸部
【図１】
2019041894.tif 000003
【図２】
2019041894.tif 000004
【図３】
2019041894.tif 000005
【図４】
2019041894.tif 000006
【図５】
2019041894.tif 000007
【図６】
2019041894.tif 000008
【図７】
2019041894.tif 000009
【図８】
2019041894.tif 000010
【図９】
2019041894.tif 000011
【図１０】
2019041894.tif 000012
【図１１】
2019041894.tif 000013
【図１２】
2019041894.tif 000014
【図１３】
2019041894.tif 000015
【図１４】
2019041894.tif 000016
【図１５】
2019041894.tif 000017
【図１６】
2019041894.tif 000018
【図１７】
2019041894.tif 000019
【図１８】
2019041894.tif 000020
【図１９】
2019041894.tif 000021
【図２０】
2019041894.tif 000022
【図２１】
2019041894.tif 000023
【図２２】
2019041894.tif 000024
【図２３】
2019041894.tif 000025
【図２４】
2019041894.tif 000026
【図２５】
2019041894.tif 000027
【図２６】
2019041894.tif 000028
【図２７】
2019041894.tif 000029
【図２８】
2019041894.tif 000030
【図２９】
2019041894.tif 000031
【図３０】
2019041894.tif 000032
【図３１】
2019041894.tif 000033
【図３２】
2019041894.tif 000034
【図３３】
2019041894.tif 000035
【図３４】
2019041894.tif 000036
【図３５】
2019041894.tif 000037
【図３６】
2019041894.tif 000038
【図３７】
2019041894.tif 000039
【図３８】
2019041894.tif 000040
【図３９】
2019041894.tif 000041
【図４０】
2019041894.tif 000042
【図４１】
2019041894.tif 000043
【図４２】
2019041894.tif 000044
【図４３】
2019041894.tif 000045
【図４４】
2019041894.tif 000046
【図４５】
2019041894.tif 000047
【図４６】
2019041894.tif 000048
【図４７】
2019041894.tif 000049
【図４８】
2019041894.tif 000050
【図４９】
2019041894.tif 000051
【図５０】
2019041894.tif 000052
【図５１】
2019041894.tif 000053
【図５２】
2019041894.tif 000054
【図５３】
2019041894.tif 000055
【図５４】
2019041894.tif 000056